(57)【要約】      （修正有）【課題】構造物に関連して実装するためのワークプラットフォームシステムにおけるサブシステム及び部品と共に、ワークプラットフォームシステムに関する実装方法及び使用方法を提供する。【解決手段】ワークプラットフォームシステムは、第１対の可撓性要素及び第２対の可撓性要素を含み、各可撓性要素のそれぞれの第１端部が、第１支持部１３２に少なくとも間接的に接続され、各可撓性要素のそれぞれの第２端部は、第２支持部１３４に少なくとも間接的に接続されている。ワークプラットフォームシステムは、可撓性要素上に支持された複数のパネル構造物と、吊り下げ部品と、第１対の可撓性要素及び第２の対の可撓性要素の少なくとも一方に接続された吊り下げ構造物とをさらに含むことができる。パネル構造物は、１以上の支持延長部を含むことができる。【選択図】図１
2019007341.tif 000002
【特許請求の範囲】
【請求項１】
ある構造物に関連して実装するためのワークプラットフォームシステムであって、前記
ワークプラットフォームは、
第１の可撓性要素及び第２の可撓性要素であって、各々の前記可撓性要素の、それぞれ
の第１端部が、第１支持部に少なくとも間接的に接続され、各前記可撓性要素の第２端部
が、第２支持部に少なくとも間接的に接続されている、第１の可撓性要素及び第２の可撓
性要素と、
前記可撓性要素上に支持され、前記第１の可撓性要素と前記第２の可撓性要素との間に
実質的に延びる複数のパネル構造物であって、前記可撓性要素に沿って延びるパネル構造
物の列を形成するように、相互に連続して配置されている複数のパネル構造物とを備え、
前記複数のパネル構造物の各々が、第１対の対向する縁部及び第２対の対向する縁部を
含み、前記第１対の対向する縁部の各々が、前記可撓性要素と実質的に平行に延び、前記
第２対の対向する縁部の各々が、前記第１対の対向する縁部同士の間に延び、前記複数の
パネル構造物のうち、第１のパネル構造物が、前記第１のパネル構造物の、前記第２対の
対向する縁部のそれぞれのうち、第１のものから離れるように外方に、前記第１のパネル
構造物の前記第１対の対向する縁部と平行又はほぼ平行な方向に延びる第１支持延長部を
含み、第１のパネル構造物の第１支持延長部が、第１構成を有し、この第１構成内に、複
数のパネル構造物のうち第２のパネル構造物の、前記第２対の対向する縁部のそれぞれの
うち、第２のものが配置され、この第１構成が、第１のパネル構造物に対する第２のパネ
ル構造物の動きを少なくとも部分的に制限するのに役立つ、ワークプラットフォームシス
テム。
【請求項２】
前記第２のパネル構造物が、前記第２のパネル構造物の、前記第２対の対向する縁部の
それぞれのうち、前記第２のものから離れるように外方に、前記第２のパネル構造物の前
記第１対の対向する縁部と平行又はほぼ平行な方向に延びる第２支持延長部を含み、前記
第２支持延長部が、第２構成を有し、前記第２構成内に、前記第１のパネル構造物の、前
記第２対の対向する縁部のそれぞれのうち、前記第１のものが配置され、前記第２構成が
、前記第１のパネル構造物に対する前記第２のパネル構造物の動きを少なくとも部分的に
制限するのに役立つ、請求項１に記載のワークプラットフォームシステム。
【請求項３】
前記第１のパネル構造物が、前記第１のパネル構造物の、前記第２対の対向する縁部の
それぞれのうち、前記第１のものから離れるように外方に、前記第１のパネル構造物の前
記第１対の対向する縁部と平行又はほぼ平行な方向に延びる第１支持延長部を含み、前記
第１支持延長部が、第３支持延長部が配置されている第２位置よりも、前記第１のパネル
構造物の、前記第１対の対向する縁部のそれぞれのうち、前記第１のものに近い第１位置
にあり、前記第２のパネル構造物が、さらに、前記第２のパネル構造物の、前記第２対の
対向する縁部のそれぞれのうち、前記第２のものから離れるように外方に、前記第２のパ
ネル構造物の前記第１対の対向する縁部と平行又はほぼ平行な方向に延びる第４支持延長
部を含み、前記第２支持延長部が、前記第４支持延長部が配置されている第４位置よりも
、前記第２のパネル構造物の、前記第１対の対向する縁部のそれぞれのうち、前記第２の
ものに近い第３位置にあり、前記第１支持延長部、前記第２支持延長部は、前記第３支持
延長部、前記第４支持延長部の各々が、ハンドル構造物として機能するように構成されて
いる、請求項２に記載のワークプラットフォームシステム。
【請求項４】
前記パネル構造物の各々が、前記第１対の対向する縁部の各々から外方に延びる少なく
とも２つの支持延長部を含み、前記パネル構造物が前記可撓性要素上に支持されたときに
、前記支持延長部の各々が、それぞれ前記第１の可撓性要素又は前記第２の可撓性要素を
受けるように構成された少なくとも１つの凹部を含む、請求項１に記載のワークプラット
フォームシステム。
【請求項５】
前記第１対の対向する縁部の、前記少なくとも２つの支持延長部のうち、少なくとも１
つに旋回可能に接続されたラッチをさらに備える請求項４に記載のワークプラットフォー
ムシステム。
【請求項６】
前記ラッチが、グラビティラッチである、請求項５に記載のワークプラットフォームシ
ステム。
【請求項７】
前記ラッチが、前記支持延長部の少なくとも１つの前記凹部に対応し、かつ前記ラッチ
が下位置にあるとき、前記第１の可撓性要素又は前記第２の可撓性要素を受けるように構
成された凹部を含む、請求項６に記載のワークプラットフォームシステム。
【請求項８】
前記第１の可撓性要素及び前記第２の可撓性要素の各々が、一対の可撓性の要素を含む
、請求項１に記載のワークプラットフォームシステム。
【請求項９】
一対の可撓性の要素を含む第３の可撓性要素であって、前記第３の可撓性要素のそれぞ
れの前記第１端部も、前記第１支持部に少なくとも間接的に接続され、前記第３の可撓性
要素のそれぞれの前記第２端部が前記第２支持部に少なくとも間接的に接続されている、
第３の可撓性要素と、前記第２の可撓性要素及び前記第３の可撓性要素上に支持された、
追加の複数のパネル構造物とをさらに備え、前記追加の複数のパネル構造物のパネル構造
物が、前記第３の可撓性要素に沿って延びるパネル構造物の追加の列を形成するように、
相互に連続して配置されている、請求項８に記載のワークプラットフォームシステム。
【請求項１０】
前記第２の可撓性要素の一部分上を覆うように、初めの前記複数のパネル構造物のうち
少なくとも１つのパネル構造物と、前記追加の複数のパネル構造物のうちの少なくとも１
つのパネル構造物との間に位置する少なくとも１つのカバー部をさらに備える請求項９に
記載のワークプラットフォームシステム。
【請求項１１】
前記少なくとも１つのカバー部が、前記第２の可撓性要素の前記一対の可撓性の要素の
両方を少なくとも間接的に係合させるように構成されている、請求項１０に記載のワーク
プラットフォームシステム。
【請求項１２】
吊り下げ部品と、前記吊り下げ部品が取り付けられている吊り下げ構造物とをさらに備
え、前記第１の可撓性要素又は前記第２の可撓性要素がそれぞれ前記吊り下げ部品に支持
されるように、前記吊り下げ構造物がそれぞれの前記可撓性要素に接続されている、請求
項１に記載のワークプラットフォームシステム。
【請求項１３】
ある構造物に対してワークプラットフォームシステムを実装する方法であって、前記方
法は、
第１対の可撓性要素及び第２対の可撓性要素を、第１支持部及び第２支持部にそれぞれ
少なくとも間接的に取り付けることと、
前記第１対の可撓性要素及び前記第２対の可撓性要素上に第１のパネル部を設置するこ
とと、
前記第１対の可撓性要素及び前記第２対の可撓性要素上に第２のパネル部を設置するこ
とであって、前記第１のパネル部の第１の側縁から外方に延びる少なくとも１つの支持部
品に、前記第２のパネル部の第２の側縁を配置すること、及び前記第２のパネルが、前記
第１対の可撓性要素及び前記第２対の可撓性要素上に支持されるまで、前記第２パネル部
を回転させることを含む、前記第２のパネル部を設置することと、
少なくとも１つの前記支持部品を、前記第１対の可撓性要素及び前記第２対の可撓性要
素に対して設置すべきか否かを判定し、設置すべきと判定した場合には、前記少なくとも
１つの構造物を前記第１対の可撓性要素及び前記第２対の可撓性要素の少なくとも１つ上
に設置し、前記支持部品を少なくとも１つの前記吊り下げ構造物に接続することとを含む
方法。
【請求項１４】
前記少なくとも１つの支持部品が、ハンドル構造物として構成されており、前記方法が
、前記ハンドルの構造物によって、前記第１のパネル部を動かすことをさらに含む、請求
項１３に記載の方法。
【請求項１５】
第３対の可撓性要素を、前記第１支持部及び前記第２支持部にそれぞれ少なくとも間接
的に取り付けることと、
前記第２対の可撓性要素及び前記第３対の可撓性要素上に第３のパネル部を設置するこ
ととをさらに含み、前記第３のパネル部が、前記第１のパネル部及び前記第２のパネル部
のうち、隣接した一方である、請求項１３に記載の方法。
【請求項１６】
カバー部を、前記第３のパネルと、前記第１のパネル及び前記第２のパネルのうち、対
応する隣接する一方との間に設置することをさらに含む、請求項１５に記載の方法。
【請求項１７】
前記第２対の可撓性要素及び前記第３対の可撓性要素上に第４のパネル部を設置するこ
とをさらに含み、前記第４のパネル部が、前記第３のパネル部及び前記第１のパネル部及
び前記第２のパネル部のうち、他方と隣接している、請求項１６に記載の方法。
【請求項１８】
第２のカバー部を、前記第４のパネルと、前記第１のパネル及び前記第２のパネルのう
ち、対応する隣接する一方との間に設置することをさらに含む、請求項１７に記載の方法
。
【請求項１９】
前記第２のカバー部を設置することが、前記第２のカバー部の第１端部を前記第１のカ
バー部に固定することと、前記第１のカバー部の第２端部が前記第２対の可撓性要素の両
方の要素を少なくとも間接的に係合するまで、前記第２のカバー部を下方に回転させるこ
ととを含む、請求項１８に記載の方法。
【請求項２０】
ある構造物に関連して実装するためのワークプラットフォームシステムであって、前記
ワークプラットフォームシステムは、
第１対の可撓性要素、第２対の可撓性要素、及び第３対の可撓性要素であって、前記各
対の可撓性要素のそれぞれの第１端部が、第１支持部に少なくとも間接的に接続され、前
記各対の可撓性要素のそれぞれの第２端部が、第２支持部に少なくとも間接的に接続され
ている、第１対の可撓性要素、第２対の可撓性要素、及び第３対の可撓性要素と、
前記第１対の可撓性要素及び前記第２対の可撓性要素上に支持され、前記第１対の可撓
性要素と前記第２対の可撓性要素との間に実質的に延びている第１の複数のパネル構造物
であって、前記第１対の可撓性要素及び前記第２対の可撓性要素に沿って延びるパネル構
造物の列を形成するように、相互に連続して配置されている第１の複数のパネル構造物と
、
前記第２対の可撓性要素及び前記第３対の可撓性要素上に支持され、前記第２対の可撓
性要素及び前記第３対の可撓性要素の間に実質的に延びている第２の複数のパネル構造物
であって、前記第２対の可撓性要素及び前記第３対の可撓性要素に沿って延びるパネル構
造物の列を形成するように、相互に連続して配置されている第２の複数のパネル構造物と
を備え、
前記複数のパネル構造物の各々が、第１対の対向する縁部及び第２対の対向する縁部を
含み、前記第１対の対向する縁部の各々が、前記第２の可撓性要素及び前記第３の可撓性
要素と実質的に平行に延び、前記第２対の対向する縁部の各々が、前記第１対の対向する
縁部同士の間に延び、
前記複数のパネル構造物の各々が、前記第２対の対向する縁部のうち、第１のものから
離れるように外方に延びる第１支持延長部と、前記第２対の対向する縁部のうち、第２の
ものから離れるように外方に延びる第２支持延長部とを含み、前記第１支持延長部及び前
記第２支持延長部の各々が、ハンドルとして機能するように構成されており、
前記複数のパネル構造物の各々が、前記第１対の対向する縁部のうち、第１のものから
離れるように外方に延びる第３支持延長部と、前記第１対の対向する縁部のうち、第２の
ものから離れるように外方に延びる第４支持延長部とをさらに含み、
前記パネル構造物が、前記可撓性要素上に支持されたとき、前記第３支持延長部及び前
記第４支持延長部の各々が、前記それぞれの対の可撓性要素の少なくとも１つの可撓性要
素を受けるように構成された凹部をそれぞれ少なくとも１つ含み、かつ、前記パネル構造
物が、前記可撓性要素上に支持されたとき、少なくとも間接的に、前記パネル構造物を前
記可撓性要素に固定するように構成されている前記第３支持延長部及び前記第４支持延長
部に旋回可能に接続されたラッチを含む、ワークプラットフォームシステム。
【発明の詳細な説明】
【技術分野】
【０００１】
本発明は、概して、種々の構造物の、種々の部分へのアクセスを容易にするために立設
されるワークプラットフォームシステムの分野に関する。より具体的には、本発明は、端
部領域同士の間にかなりの距離にわたって長く延びるように立設され得るワークプラット
フォームシステムであって、ワークプラットフォームシステムがアクセスを容易にしてい
る構造物の少なくともいくつかの部分の下をさらに延びるワークプラットフォームシステ
ムに関する。
【背景技術】
【０００２】
複数のタイプのワークプラットフォームシステムが、種々の環境、状況、及び例えば、
建設や保守プロジェクトを含むプロジェクトにおいて使用されるために市販されている。
プロジェクトが、公共事業プロジェクト（例えば、低入札）であるか、民間プロジェクト
であるかにかかわらず、コスト及び／又は保守コストを妥当なレベルまで低減させること
は、関与する団体（例えば、施工業者及び／又は所有者）にとって重要な考慮事項である
。ワークプラットフォームシステムが使用される環境の１つは、長手方向にかなりの距離
延びる構造物、例えば橋に沿っており、特にそのような構造物の下にある。そのようなワ
ークプラットフォームシステムは、種々の理由で使用され得る。様々の理由には、例えば
、作業員が、構造物に対して種々の保守手順（検査、洗浄、塗装、改修、又は改装等）、
又は建設手順を実行できるようにすることであって、特に、構造物の下側領域、例えば橋
の下側領域に沿った、又は近位の領域に対してそのような手順を実行できるようにするこ
とが含まれる。このようなワークプラットフォームシステムは、そのような保守手順又は
建設手順に起因するデブリが生じる範囲を制限する点で、遮蔽機能を果たすことができる
。ワークプラットフォームシステムがなければ、デブリは、ワークプラットフォームシス
テムの下の領域に落ちることになる。
【０００３】
このような環境で実装することができる種々の従来のワークプラットフォームシステム
があり、これらの種々のワークプラットフォームシステムは、そのいくつかの属性が異な
る。このような従来のワークプラットフォームシステムの少なくともいくつかは、架線(c
atenary-based)システムである。架線システムでは、デッキ部分は、全体的なワークプラ
ットフォームシステムの端部領域同士の間に延びるワイヤ上に取り付けられている。ここ
で、ワイヤは、追加の支持部によってワイヤの長さに沿って種々の間隔でさらに吊り下げ
られている。
【発明の概要】
【発明が解決しようとする課題】
【０００４】
いくつかのそのような架線システムは、比較的安価に実装することができるが、これら
のシステムの少なくともいくつかは、いくつかの点で不利である。とりわけ、１以上の従
来の架線システムは、立設することが比較的困難であるか、又は適正に実装するためには
、得ること、もしくは保証することが困難な条件（例えば、レーン閉鎖）や専門的技術が
要求され得る。また、１以上の従来の架線システムは、寿命もしくは再利用に関して制限
されている部品で作られ、かつ／又は十分な耐久性や安定性に欠ける、もしくは他の理由
で人間工学的に望ましくない部品を使用している。さらに、従来のシステムのいくつかは
、平坦さが所望のレベルに満たない歩行面を提供する（例えば、歩行面は曲がっていたり
、過大な波打ちがあったりする）。
【０００５】
したがって、少なくともこれらの理由により、上述した問題、及び／もしくは他の問題
のうちの１以上に対処する、新たな、もしくは改良されたワークプラットフォームシステ
ム並びに／又は使用方法（例えば、ワークプラットフォームシステムの設置に関する）が
開発されれば有効である。
【課題を解決するための手段】
【０００６】
少なくともいくつかの例示的な実施形態において、本発明は、ある構造物に関連して実
装するためのワークプラットフォームシステムに関するものである。ワークプラットフォ
ームシステムは第１の可撓性要素及び第２の可撓性要素を含み、各可撓性要素のそれぞれ
の第１端部が、第１支持部に少なくとも間接的に接続され、各可撓性要素のそれぞれの第
２端部が、第２支持部に少なくとも間接的に接続されている。また、ワークプラットフォ
ームシステムは、上記可撓性要素上に支持され、第１の可撓性要素と第２の可撓性要素と
の間に実質的に延びている複数のパネル構造物を含み、複数のパネル構造物は、第１及び
第２の可撓性要素に沿って延びるパネル構造物の列を形成するように、相互に連続して配
置されている。複数のパネル構造物の各々は、第１対の対向する縁部及び第２対の対向す
る縁部を含み、第１対の対向する縁部の各々は、第１及び第２の可撓性要素と実質的に平
行に延び、第２対の対向する縁部の各々は、第１対の対向する縁部同士の間に延びている
。複数のパネル構造物のうち、第１のパネル構造物は、第１のパネル構造物の、第２対の
対向する縁部のそれぞれのうち、第１のものから離れるように外方に延びる第１支持延長
部を含む。また、第１のパネル構造物の第１支持延長部は、第１構成を有し、この第１構
成内に、複数のパネル構造物のうち第２のパネル構造物の、第２対の対向する縁部のそれ
ぞれのうち、第２のものが配置され、この第１構成は、第１のパネル構造物に対する第２
のパネル構造物の動きを少なくとも部分的に制限するのに役立つ。
【０００７】
さらに、少なくともいくつかの実施形態において、本発明は、ある構造物に関連して実
装するためのワークプラットフォームシステムに関するものである。ワークプラットフォ
ームシステムは第１対の可撓性要素及び第２対の可撓性要素を含み、各可撓性要素のそれ
ぞれの第１端部が、第１支持部に少なくとも間接的に接続され、各可撓性要素のそれぞれ
の第２端部が、第２支持部に少なくとも間接的に接続されている。また、ワークプラット
フォームシステムは、上記可撓性要素上に支持され、第１対の可撓性要素と第対２の可撓
性要素との間に実質的に延びている複数のパネル構造物を含み、複数のパネル構造物は、
可撓性要素に沿って延びるパネル構造物の列を形成するように、相互に連続して配置され
ている。複数のパネル構造物の各々は、第１対の対向する縁部及び第２対の対向する縁部
を含み、第１対の対向する縁部の各々は、第１及び第２の可撓性要素と実質的に平行に延
び、第２対の対向する縁部の各々は、第１対の対向する縁部同士の間に延びている。複数
のパネル構造物のうち、第１のパネル構造物は、第１のパネル構造物の、第２対の対向す
る縁部のそれぞれのうち、第１のものから離れるように外方に延びる第１支持延長部を含
む。また、第１のパネル構造物の第１支持延長部は、第１構成を有し、この第１構成内に
、複数のパネル構造物のうち第２のパネル構造物の、第２対の対向する縁部のそれぞれの
うち、第２のものが配置され、この第１構成は、第１のパネル構造物に対する第２のパネ
ル構造物の動きを少なくとも部分的に制限するのに役立つ。
【０００８】
さらに、少なくともいくつかの実施形態において、本発明は、ある構造物に関連して実
装するためのワークプラットフォームシステムに関するものである。ワークプラットフォ
ームシステムは、第１対の可撓性要素、第２対の可撓性要素、及び第３対の可撓性要素を
含み、各可撓性要素のそれぞれの第１端部が、第１支持部に少なくとも間接的に接続され
、各可撓性要素のそれぞれの第２端部が、第２支持部に少なくとも間接的に接続されてい
る。ワークプラットフォームシステムは、可撓性要素上に支持された複数のパネル構造物
をさらに含む。複数のパネル構造物の各々は、第１対の対向する縁部及び第２対の対向す
る縁部を含み、第１対の対向する縁部の各々は、可撓性要素と実質的に平行に延び、第２
対の対向する縁部は、第１対の対向する縁部同士の間に延びている。第１のパネル構造物
は、第１対の可撓性要素及び第２対の可撓性要素のうち、少なくとも１つの可撓性要素上
に支持され、第１対及び第２対の可撓性要素の間に実質的に延びている。第２のパネル構
造物は、第２対の可撓性要素及び第３対の可撓性要素のうち、少なくとも１つの可撓性要
素上に支持され、第２対及び第３対の可撓性要素の間に実質的に延びている。残りの複数
のパネル構造物のうちの少なくとも第１部分は、第１のパネル構造物に連続して配置され
、残りの複数のパネル構造物のうちの少なくとも第２部分は、第２のパネル構造物に連続
して配置され、それによって、可撓性要素に沿って延びるパネル構造物の２列を形成して
いる。ワークプラットフォームシステムは、パネル構造物の２列の間に配置され、第２対
の可撓性要素の両方の可撓性要素を少なくとも間接的に係合させる付加的カバー部をさら
に含む。
【０００９】
さらに、少なくともいくつかの実施形態において、本発明は、ある構造物に対してワー
クプラットフォームシステムを実装する方法に関するものである。この方法は、第１対の
可撓性要素及び第２対の可撓性要素を、第１支持部及び第２支持部にそれぞれ少なくとも
間接的に取り付けることと、第１対及び第２対の可撓性要素上に第１のパネル部を設置す
ることとを含む。この方法は、第２のパネル部を第１対及び第２対の可撓性要素上に設置
することをさらに含み、第２のパネル部を設置することは、第１のパネル部の第１の側縁
から外方に延びる少なくとも１つの支持部品に、第２のパネル部の第２の側縁を配置する
ことと、第２のパネルが、第１対及び第２対のワイヤ延長部上に支持されるまで、第２パ
ネル部を回転させることとを含む。
【図面の簡単な説明】
【００１０】
【図１】例示的ワークプラットフォームシステムが部分的に実現された、例示的な橋の側面図である。
【００１１】
【図２】図１に示す例示的な橋の一部に加えて、図１の部分的に実装された実施ワークプラットフォームシステムの支持サブシステムの一部と組み合わせて、当該部分的に実装されたワークプラットフォームシステムの、部分的に実装された吊り下げサブシステムの一部を特に示す、図１の側面図の一部分の拡大詳細図である。
【００１２】
【図３】図１の側面図に示し、図２の詳細図に示した部分の平面図であり、図２の線３−３に沿った部分断面図であるが、図３では、支持サブシステムの、特定の、下にある構造支持部品をより明確に明らかにするために、実際には支持サブシステム内に存在するフロアパネルが、存在するものとして示されていない。
【００１３】
【図３Ａ】部分的に実装された支持サブシステムに含まれる第１対のワイヤテンドンを示す、図３の断面図の一部の詳細図である。
【００１４】
【図４】図１〜３に、部分的に実装されるものとして示されている支持サブシステムを形成するのに用いられる例示的なハブの上方斜視図である。
【００１５】
【図５】図１〜３に、部分的に実施されるものとして示されている支持サブシステムを形成するのに用いられる例示的なジョイストの上方斜視図である。
【００１６】
【図６Ａ】図４及び５のハブとジョイストとの間の相互接続構造の分解上方斜視破断図を示す。
【図６Ｂ】図４及び５のハブとジョイストとの間の相互接続構造の上方斜視破断図を示す。
【００１７】
【図７】平面図であり、図１２の線７−７に沿った一部断面図である。
【００１８】
【図７Ａ】図７の断面図の一部の詳細図である。
【００１９】
【図７Ｂ】図７Ａに示されている、部分的に完成したワークプラットフォームシステムの一部のさらなる詳細図であるが、ワークプラットフォームシステムの当該部分をワークプラットフォームシステムの（上からではなく）下から見られるものとしてワークプラットフォームシステムの当該部分を示す。
【００２０】
【図８Ａ】図７に示す、部分的に完成したワークプラットフォームシステムに含まれる例示的なパネル部の平面図である。
【００２１】
【図８Ｂ】変形例のパネル部の平面図である。
【００２２】
【図９】図８Ａのパネル部の前面図である。
【００２３】
【図９Ａ】図９のパネル部などのパネル部に使用することができるワイヤテンドン支持延長部の別の実施形態の破断図である。
【００２４】
【図１０】図８Ａのパネル部の右端側面図である。
【００２５】
【図１１Ａ】所与の列のパネル部が、どのように互いに関連して実装されるかを示すために、図８〜１０の例示的なパネル部の第１部分破断概略図を、ある配置に置かれた同じタイプの追加のパネル部と共に示す。
【図１１Ｂ】所与の列のパネル部が、どのように互いに関連して実装されるかを示すために、図８〜１０の例示的なパネル部の第１部分破断概略図を、別の配置に置かれた同じタイプの追加のパネル部と共に示す。
【図１１Ｃ】所与の列のパネル部が、どのように互いに関連して実装されるかを示すために、図８〜１０の例示的なパネル部の第１部分破断概略図を、さらに別の配置に置かれた同じタイプの追加のパネル部と共に示す。
【００２６】
【図１１Ｄ】代替的なパネル部を示す斜視図である。
【図１１Ｅ】別の代替的なパネル部を示す斜視図である。
【図１１Ｆ】さらに別の代替的なパネル部を示す斜視図である。
【００２７】
【図１１Ｇ】図１１Ｄの代替的なパネル部の２つが横に並んだ状態を示す断面図である。
【００２８】
【図１１Ｈ】図８〜１０のパネル部と異ならせる機能部を有する代替的なパネル部の平面図である。
【００２９】
【図１１Ｉ】図１１Ｈの代替的なパネル部の２つが横に並んだ状態を示す側面図である。
【図１１Ｊ】さらに別の代替的なパネル部を示す斜視図である。
【図１１Ｋ】図８〜１０のパネル部と異ならせる機能部を有する代替的なパネル部の平面図である。
【図１１Ｌ】図８〜１０のパネル部と異ならせる機能部を有する代替的なパネル部の平面図である。
【図１１Ｍ】図８〜１０のパネル部と異ならせる機能部を有する代替的なパネル部の平面図である。
【００３０】
【図１１Ｎ】グラビティラッチを有する代替的なパネル部を示す図である。
【図１１Ｏ】グラビティラッチを有する代替的なパネル部を示す図である。
【図１１Ｐ】グラビティラッチを有する代替的なパネル部を示す図である。
【図１１Ｑ】グラビティラッチを有する代替的なパネル部を示す図である。
【図１１Ｒ】グラビティラッチを有する代替的なパネル部を示す図である。
【００３１】
【図１１Ｓ】グラビティラッチを有する、さらなる代替的なパネル部を示す。
【図１１Ｔ】グラビティラッチを有する、さらなる代替的なパネル部を示す。
【図１１Ｕ】グラビティラッチを有する、さらなる代替的なパネル部を示す。
【００３２】
【図１２】図２に示されている図１の例示的な橋の同じ部分を示しており、部分的に完成したワークプラットフォームシステムの一部も示す追加の拡大詳細図であり、このワークプラットフォームシステムは、ワークプラットフォームシステムの吊り下げサブシステムが、異なった、よし進んだ部分的実装状態にあることを除いては、図２のワークプラットフォームシステムと同じである。
【００３３】
【図１３Ａ】図１２、７、７Ａ、及び７Ｂに示される、部分的に完成したワークプラットフォームシステムに含まれる例示的な吊り下げ構造物の分解斜視側面図である。
【００３４】
【図１３Ｂ】図１３に示した吊り下げ構造物の平面図であって、想像線で示される吊り下げ構造物の特定の部分を共に示している。
【００３５】
【図１４Ａ】代替的な吊り下げ構造物の側面斜視図である。
【００３６】
【図１４Ｂ】図１４の代替的な吊り下げ構造物と共に用いられるボルトアセンブリを示す。
【００３７】
【図１５】図１の例示的な橋の側面図であって、ワークプラットフォームシステムが橋に対して完全に実装された後の、図１のワークプラットフォームシステムを共に示している。
【００３８】
【図１６】図１及び１５の橋に対してワークプラットフォームシステムを実装するプロセスの例示的なステップを示すフローチャートである。
【００３９】
【図１７Ａ】例示的なテンドン保持構造物の側面斜視図である。
【図１７Ｂ】例示的なテンドン保持構造物の平面図である。
【図１７Ｃ】例示的なテンドン保持構造物の側面図である。
【図１７Ｄ】例示的なテンドン保持構造物の端面図である。
【００４０】
【図１７Ｅ】代替的なテンドン保持構造物を示す。
【図１７Ｆ】代替的なテンドン保持構造物を示す。
【００４１】
【図１８Ａ】例示的な付加的カバー構造物（隙間フィラー）の斜視図である。
【００４２】
【図１８Ｂ】代替的なカバー構造物を示す。
【図１８Ｃ】代替的なカバー構造物を示す。
【図１８Ｄ】代替的なカバー構造物を示す。
【００４３】
【図１８Ｅ】さらに代替的な付加的カバー構造物を示す。
【図１８Ｆ】さらに代替的な付加的カバー構造物を示す。
【００４４】
【図１８Ｇ】さらに代替的な付加的カバー構造物を示す。
【図１８Ｈ】さらに代替的な付加的カバー構造物を示す。
【００４５】
【図１８Ｉ】テンドンクリップを用いた、さらに代替的な付加的カバー構造物を示す。
【図１８Ｊ】テンドンクリップを用いた、さらに代替的な付加的カバー構造物を示す。
【図１８Ｋ】テンドンクリップを用いた、さらに代替的な付加的カバー構造物を示す。
【図１８Ｌ】テンドンクリップを用いた、さらに代替的な付加的カバー構造物を示す。
【図１８Ｍ】テンドンクリップを用いた、さらに代替的な付加的カバー構造物を示す。
【図１８Ｎ】テンドンクリップを用いた、さらに代替的な付加的カバー構造物を示す。
【００４６】
【図１９】例示的な保持ブラケットの斜視図である。
【００４７】
【図２０】図１７Ａ〜１７Ｄのテンドン保持構造物、図１８Ａの付加的カバー構造物、図１９の保持ブラケット、ボルト、及びワイヤテンドンを互いに対して示す分解斜視一部破断図である。
【００４８】
【図２１】トーボードフレームとレールポストとを有するパネル部を示す。
【００４９】
【図２２Ａ】例示的なトーボードフレームの側面斜視図である。
【図２２Ｂ】例示的なトーボードフレームの側面斜視図である。
【００５０】
【図２３】例示的なレールポストマウントの側面斜視図である。
【００５１】
【図２４】レールポストマウント内に固定された、例示的なレールポストの側面斜視図である。
【００５２】
【図２５】設置されたトーボード及びレールポストを有する例示的なワークプラットフォームシステムの一部である。
【００５３】
【図２６】代替的なトーボードフレームを示す。
【００５４】
【図２７】図２６のトーボードフレームと共に用いられる代替的なトーボードを示す。
【００５５】
【図２８Ａ】代替的なのレールポストを示す。
【図２８Ｂ】代替的なのレールポストを示す。
【００５６】
【図２９】図２６、２７、２８Ａ及び２８Ｂの代替的なトーボードフレーム、トーボード、及びレールポストを用いた、図２５に示したものと同様の、例示的なワークプラットフォームシステムを、設置されたチェーンレールシステムと共に示す。
【００５７】
【図３０】非直線状に実装される、例示的な吊り下げサブシステムの一部分の概略図である。
【発明を実施するための形態】
【００５８】
図１を参照すると、部分的に実装された（又は部分的に設置された）ワークプラットフ
ォームシステム１１０と組み合わされた吊橋１００の側面図が提供される。ワークプラッ
トフォームシステム１１０は、作業員が、吊橋に対して１以上の作業動作をすることを許
容するために、吊橋に関連して実装されている。吊橋１００は、ワークプラットフォーム
システム、例えば部分的に実装されたワークプラットフォームシステム１１０（又は以下
にさらに説明するように別の実装状態にあるワークプラットフォームシステム）を実装し
て利用することができる構造物の一例を示したものにすぎないことを理解されたい。しか
し、本開示は、吊橋だけでなく、種々の構造物のいかなるものに関連したワークプラット
フォームシステム及びワークプラットフォームシステムの実装を包含することを意図して
いる。したがって、図１は吊橋１００を示しているが、本開示は、例えば、他の種類の橋
、例えばアーチ橋、ビル、塔、掘削装置（例えば、石油掘削装置）、柱、コンベヤ、及び
他の構造物を含む他の種々の構造物に関連したワークプラットフォームシステム、及びワ
ークプラットフォームシステムの実装を包含することを意図していることを理解されたい
。
【００５９】
本明細書に開示されたワークプラットフォームシステムの少なくともいくつかは、吊橋
１００などの構造物に関連して使用するのに特に適していることが想定される。吊橋１０
０などの構造物では、ワークプラットフォームシステムが構造物に沿って（かつ、構造物
の下にあることが多い）かなりの距離延びることが望ましい。この目的のために、本開示
は、特に、それぞれの支持サブシステムと、支持サブシステムの２つの部分の間に延びる
（かつ、かなりの距離を延びる可能性がある）それぞれの吊り下げサブシステムとの両方
を含むワークプラットフォームシステムを包含する。これに関して、再度図１を参照する
と、部分的に実装されたワークプラットフォームシステム１１０は、図示のように部分的
に実装された状態の場合であっても、両方が、部分的に実装された吊り下げサブシステム
１２０及び支持サブシステム１３０を含むことがわかる。図示されているように、支持サ
ブシステム１３０は、それぞれ部分的に実装された吊り下げサブシステム１２０の対向す
る端部にある第１部分１３２及び第２部分１３４を含み、それぞれ吊橋１００の各塔１４
０に支持され、部分的な吊り下げサブシステム１２０が支持サブシステム１３０の部分１
３２及び１３４の間に延びている。
【００６０】
図１は、部分的に実装された状態のワークプラットフォームシステム１１０を示すこと
で始まるが、最終的に図１５に示すように完全に実装されたワークプラットフォームシス
テムを形成するように、追加の部品を含み、あるいは他の追加的な特徴を得るように、こ
のワークプラットフォームシステム（特に吊り下げサブシステム）がどのようにさらに修
正されるかが、以下に提供された追加の説明から明らかになるであろうことを理解すべき
である。すなわち、図１（図２及び３も同様）は、吊橋１００に関連したワークプラット
フォームシステムの実装（設置）プロセスの初期段階を示している。初期段階では、ワー
クプラットフォームシステム１１０は、部分的に実装されたワークプラットフォームシス
テム１１０の形態をとり、以下に提供される追加の説明が、部分的に実装されたワークプ
ラットフォームシステム１１０が、どのようにさらに進化して完全に実装されたワークプ
ラットフォームシステムになるかに関する詳細を提供する。完全に実装されたワークプラ
ットフォームは、最後に図１５に示される。
【００６１】
さらに図２を参照すると、図１の側面図の領域、すなわち部分１５０の拡大詳細図が示
され、支持サブシステム１３０の第１部分１３２のアセンブリ２００、及び部分的に実装
されたワークプラットフォームシステム１１０の部分的な吊り下げサブシステム１２０の
追加部分と共に、吊橋１００の一部を示している。図２に、より具体的に示すように、部
分的に実装されたワークプラットフォームシステム１１０が吊橋１００に関連して実装さ
れている本例では、支持サブシステム１３０の第１部分１３２が橋の塔（又は柱）１４０
のそれぞれに取り付けられ、それぞれに支持され、したがって、部分的な吊り下げサブシ
ステム１２０が支持サブシステムの部分１３２によって、概して接合点２２５において支
持されるように、第１部分１３２は実装される。したがって、図２に示されている詳細図
では、支持サブシステム１３０の第１部分１３２が、橋１００の第１の塔１４０に取り付
けられ、支持されており、一方、支持サブシステムの、別のほぼ同一の部分（第２部分１
３４）は、（例えば、図１に示すように）（例えば、接合点２２５に対応する他の接合点
にある）他方の塔１４０に取り付けられ／支持されていることが理解されるべきである。
【００６２】
図３に関連してさらに説明するように、支持サブシステム１３０の第１部分１３２及び
第２部分１３４は、塔１４０に対して直接支持されている（例えば、以下に説明するよう
にアンカーによって）。しかし、そのような支持の態様に加えて、図２から明らかなよう
に（精査すれば図１からも）、本実施形態においては、支持サブシステム１３０の第１部
分１３２及び第２部分１３４は、支持チェーン２２０によってさらに支持されていること
も理解されたい。
図示されているように、支持サブシステム１３０の追加の部品を構成していると考えるこ
とができる支持チェーン２２０は、吊橋１００のデッキ２２２に沿った位置に接続され、
その位置から下方に、支持サブシステム１３０の本体に沿った位置まで（以下にさらに説
明するように、特に、本体の特定の構造支持部品まで）延びている。支持チェーン２２０
は、支持サブシステム１３０（特に支持サブシステムの本体）が、吊橋１００のデッキ２
２２に対して吊り下げられることを可能にするだけでなく、吊橋に関連して支持サブシス
テム１３０を実装することを可能にする。具体的には、本実施形態では、支持チェーン２
２０は、支持サブシステム１３０の、それ以外には完全に組み立てられた部分１３２、１
３４を上げて、塔１４０に沿った適切な鉛直方向の高さ位置にある所定位置にするために
使用されることが想定される。この位置で、部分１３２及び１３４は、以下に説明するよ
うに、アンカーによって塔に対して所定位置に固定される。
【００６３】
さらに図３を参照すると、平面図であって、図２のライン３−３に沿った一部断面図が
示されており、図２のアセンブリ２００に関連して吊橋１００の一部をさらに示している
。図３は、アセンブリ２００内に含まれる部分的に実装されたワークプラットフォームシ
ステム１１０の一部の特徴を特に図示している。これに関し、図３は、部分的に実装され
ている支持サブシステム１３０の第１部分１３２を、吊橋１００の第１の塔１４０周囲に
完全に延びるものとして示している。図３では図示しないが、本実施形態では、他方の塔
１４０に設けられた、支持サブシステム１３０の第２部分１３４が、同様に、その塔の周
囲に完全に延びていることを理解されたい。さらに、本実施形態では、第１部分１３２及
び第２部分１３４は、それぞれの部分が配置及び／又は支持されているそれぞれの塔１４
０の全周にわたって延びているが、別の実施形態では、第１部分及び／又は第２部分（す
なわち他のワークプラットフォーム又はワークプラットフォーム部分）は、それぞれの塔
（又は柱やその他の構造物）を一周する必要はなく、それぞれの塔（又は柱やその他の構
造物）の片側、又は１つの領域、又はある部分のみに沿って配置され、かつ／又は関連し
て支持され得る。
【００６４】
さらに、本実施形態における、部分的な吊り下げサブシステム１２０は、複数対の可撓
性要素２３０、例えば、図示の実施形態におけるワイヤテンドンを含むように示されてい
る。より具体的には、本実施形態におけるワイヤテンドン２３０は、第１対、第２対、第
３対、第４対、第５対、第６対、第７対、第８対、第９対のワイヤテンドン３０１、３０
２、３０３、３０４、３０５、３０６、３０７、３０８、３０９を有している。第１対の
ワイヤテンドン３０１の一部分が、図３Ａとして提供された追加の詳細図に示されており
、特に、対となったワイヤテンドンは図３には見られないものの、対となったワイヤテン
ドン２３０の各々は、２つの独立したワイヤテンドンであって、互いに沿って隣同士に延
びるワイヤテンドン（すなわち、それぞれの長さに沿って対応する位置にある２つのワイ
ヤテンドンは、地面に対して、又は同様の鉛直基準若しくはほぼ鉛直基準に対して測定す
ると、鉛直方向の高さがほぼ同じであること）を示す。また、本実施形態では、対となっ
たワイヤテンドンの各々が、７／１６インチ直径のワイヤテンドンであるが、他の実施形
態では他のサイズのワイヤテンドン（例えば、５／８インチ直径のワイヤテンドン）を用
いることができる。異なるサイズのワイヤテンドンは、所望の負荷容量を提供するために
、特に選択され得る。
【００６５】
本実施形態における可撓性要素（例えば、ワイヤテンドン）の対は、対のうち各所与の
ワイヤテンドンが果たす、他の構造物をそのワイヤテンドン（例えば、後述するパネル部
７５０のようなパネル部の１つなどの特定の側縁）上に支持するという意味における支持
役割が、均等、又はほぼ均等に、当該対の他方のワイヤテンドンによっても果たされると
いう意味において、特に「対」とみなすことができることを理解すべきである。当該支持
役割が他方のワイヤテンドンによっても果たされることにより、他方のワイヤテンドンは
、対のうち所与のワイヤテンドンに対して実質的に冗長な、又は補助支持役割を果たすよ
うになっている（逆も同様である）。冗長な対のワイヤテンドンを使用することにより、
一方のワイヤテンドンが意図された支持役割を果たさなくなったときでさえも、吊り下げ
サブシステム１２０の支持が達成される。
【００６６】
さらに、ワイヤテンドンのペアリングに関して、所与の吊り下げサブシステム内に支持
役割を果たす２つのワイヤテンドンがあることのみによって、これらのワイヤテンドンが
「対」となるわけではないことに留意されたい。各ワイヤテンドンによって提供される支
持役割が、シェアされず、かなりの程度まで重複せず、かつ２つのワイヤテンドンによっ
て提供される支持役割の、実質的な質的類似性がない場合は、２つのワイヤテンドンは「
対」にならない。例えば、２つのワイヤテンドンの両方が、同じ又は実質的に同じ方法で
少なくとも１つの部品を支持する場合（例えば、２つのワイヤテンドンのそれぞれが、後
述するパネル部７５０の１つなどのパネル部の同一の縁部を支持している場合）には、こ
れらの２つのワイヤテンドンは、対であると考えるのが適切であろう。２つのワイヤテン
ドンが、等量の支持を提供しない場合（例えば、ワイヤテンドンの一方が負荷６０％を支
え、他方が負荷の４０％を支える場合）であっても、同様であり得る。あるいは、例えば
、２つのワイヤテンドンの所与の一方が、前述のパネル部の第１側縁を支持するが、他方
のワイヤテンドンは、パネル部の対向する第２側縁を支持する場合や、その他、２つのワ
イヤテンドンが、任意の他の支持役割を共有又は実質的に共有（例えば、何らかの他の部
品に対する、なんらかの他の支持役割を共有）しない場合は、これら２つのワイヤテンド
ンが対であると考えるのは、適切ではないであろう。
【００６７】
以上の説明にもかかわらず、本開示はまた、ワイヤテンドンの多くの他の配置を利用す
る多くの他の実施形態を含むことが意図されると理解されるべきである。例えば、いくつ
かの代替実施形態では、所与の対のワイヤテンドンを並べて配置する必要がなく（それら
の長さに沿った鉛直高さを共有する必要はない）、互いに対して上又は下に配置され、又
は何らかの他の方法で配置することができる。また、例えば、他のいくつかの実施形態で
は、ワイヤテンドンの対を使用する代わりに、単一のワイヤテンドンを、独立して使用す
る（すなわち、他の冗長なワイヤテンドン又はテンドンによって共有又は実質的に共有さ
れない支持役割を果たすために用いられる）ことができ、又は、互いと対をなす（すなわ
ち、上述した意味、共有又は実質的に共有された支持役割の意味で対をなす）２つより多
いワイヤテンドンのグループとを用いることができる。また、実施形態に応じて、対を成
す（又は独立した）ワイヤテンドンの所定の配列は、図３の部分的に実装された吊り下げ
サブシステム１２０の場合と同様に、吊り下げサブシステム全体にわたって、一貫して繰
り返し使用され得る。あるいは、異なる数の対を成す（又は独立した）ワイヤテンドンが
、所与の吊り下げサブシステム内の異なる位置で種々の方法で使用され得る。
【００６８】
支持サブシステム１３０の第１部分１３２に関して、第１部分の「骨格」を共に形成す
る、第１部分１３２のいくつかの構造支持部品をより明らかに示すために、図３は、フロ
アパネル及び吊り下げチェーンが取り外された状態で支持サブシステム１３０の第１部分
を示している。このようなフロアパネル（作業員、及び／又はツール、機械若しくは他の
アイテムが、フロアパネル上で支持され、移動し、又は移動させられ得る）及び吊り下げ
チェーン（吊橋１００に対する第１部分１３２の支持を補助する）は、図２、７、及び１
２の他の場所に示されているが、特に図７がフロアパネルを示す。
しかし、図３に示すように、本実施形態では、支持サブシステム１３０の第１部分１３２
の構造支持部品（すなわち、「骨格」）は、特に複数のアンカー３００、複数のハブ３１
０、及び複数のジョイスト３３０を含み、ハブ３１０はジョイスト３３０によって相互に
接続されている。
図３から、アンカー３００は、塔１４０に対して支持サブシステム１３０の残りの部分を
特に固定又は支持するように機能し、各アンカーが、塔１４０と各々のハブ３１０との間
に配置されていることが理解されるであろう。アンカー３００は、例えば、拡張アンカー
（ここで塔１４０に対するボルト締めが行われる）、又は化学的なアンカー（例えば、接
着材）を含む種々の形態をとることができる。
【００６９】
図４、及び５を参照すると、ハブ３１０の１つの例示、及びジョイスト３３０の１つの
例示に関連してハブ３１０の１つがより詳細に示されている。ジョイスト、例えばジョイ
スト３３０は、荷重を支持する、又は支えることに適合された任意の細長い構造部材、例
えばバージョイスト、トラス、形鋼（すなわち、Ｉ型鋼、Ｃ型鋼等）等であると考えられ
る。一方、ハブ、例えばハブ３１０は、相互接続構造、例えば、ノード、ヒンジ、旋回軸
、束柱、回転中心、シャフト、スピンドル等である。本例では、図４のハブ３１０（及び
、実際には図３のハブ３１０のそれぞれ）は、図５に示すようにジョイスト３３０のうち
の１つに取り付けられると、ハブ３１０がジョイスト３３０に対して関節運動可能となる
ように構成されている（逆も同様である）。本明細書で用いられる関節運動は、旋回点又
は旋回軸を中心に揺動及び／又は回転する能力として定義される。とりわけこの関節運動
特徴は、より少ない人手で、システムの部品を、所望の最終位置、又はその近傍に組み立
てること、及び取り外すことを容易にする。
【００７０】
さらに図４、及び５に示すように、ハブ３１０は、中間部３１５の先端に、互いに間隔
が空けられた上部要素３１１及び底部要素３１２を有している。上部要素３１１及び底部
要素３１２はほぼ平面の構成であり、互いに対して平行であってもよい。上部要素３１１
及び底部要素３１２は、図示の実施形態においては、形状が八角形のほぼ平面である（平
面視で）。中間部３１５は、中間部３１５の長軸が上部要素３１１及び底部要素３１２の
平面に対して法線方向となる円筒部であってもよい。示されている実施形態では、中間部
３１５は直円柱である。図４では、中間部３１５の下部は、明確性のために（位置３２３
で）除去され、中間部３１５が中空であることを明らかにしている。図４にさらに示すよ
うに、上部要素３１１及び底部要素３１２の両方を通って延びる複数の開口３１３、３１
４が存在する。１以上のジョイスト３３０（例えば図５参照）に接続するための種々の位
置を提供するために、複数の開口３１３（例えば、３１３Ａ、３１３Ｂ、３１３Ｃ、３１
３Ｄ、３１３Ｅ、３１３Ｆ、３１３Ｇ、３１３Ｈ）が、上部要素３１１上に散在している
。開口３１３、３１４の各対（例えば、３１３Ａ、３１４Ａ）が同軸になるように、複数
の開口３１４（例えば、３１４Ａ、３１４Ｂ、３１４Ｃ、３１４Ｄ、３１４Ｅ、３１４Ｆ
、３１４Ｇ、３１４Ｈ）も同様に底部要素３１２に間隔をおいて配置されている。
【００７１】
具体的には、本実施形態では、部分的に実装された吊り下げサブシステム１２０のワイ
ヤのワイヤテンドン２３０は、これらワイヤテンドンを適切なハブ３１０の適切な開口３
１３（又は３１４）のそれぞれに接続することにより、支持サブシステム１３０にも接続
され得ることが、特に理解されるべきである。本実施形態では、これらの接続位置は、図
２に関連して上述した接合点２２５を概して構成している。接続が行われる実際の機構は
、実施形態によって変更され得る。例えば、いくつかの実施形態では、ワイヤテンドン２
３０は、ループ状端部を有することができ、そして、取り付けを実現するために、それぞ
れのワイヤテンドン２３０の、それぞれのループ状端部と、ハブ３１０の対応する開口３
１３（又は３１４）の両方を通るように追加のループ構造、Ｃブラケット構造、留め付け
構造、又はフック型部品が設けられている。他の実施形態では、種々の他の接続、留め付
け、係止、もしくは係着機構、又はブラケットのうち、任意のものを用いて、接合点２２
５において支持サブシステム１３０にワイヤテンドン２３０（かつ最終的には完全に完成
した吊り下げサブシステム）を取り付けることができる。そのような構造は、支持サブシ
ステムのフロアパネルと吊り下げサブシステムの対応するフロアパネルとの間のスムーズ
な移行を容易にする追加の構造によって補うことができる。
【００７２】
また、図示されているように、上部要素３１１の中央には、リンク機構又は吊り下げ接
続体を受け入れ可能に構成された中央開口３１６が形成されている。リンク機構又は吊り
下げ接続体によって、ハブ３１０は、他の構造物から、例えば吊橋１００のデッキ２２２
（図２参照）から吊り下げられ得る。中央開口３１６は、そこから延びる中央開口領域３
１９と４個のスロット３１７（例えば、３１７Ａ、３１７Ｂ、３１７Ｃ、３１７Ｄ）とを
含むほぼ十形状の構成とすることができる。また、４個のスロット３１７Ａ、３１７Ｂ、
３１７Ｃ、３１７Ｄのそれぞれと交差し、相互接続されているのが、一連のクロススロッ
ト３１８Ａ、３１８Ｂ、３１８Ｃ、３１８Ｄである。強度を付加するために、上部要素３
１１の下側に補強板３２０が追加されている。ここで、補強板３２０上の開口は、中央開
口３１６の構成及びその補助開口（例えば、スロットと領域３１７、３１８、３１９）に
対応し（かつこれらとほぼ同じ範囲を有し）ている。ハンドル３２２は、中間部３１５の
側面に任意で追加される。図４、及び５では見えないが、底部要素３１２上に同一の（中
央）開口が形成されており、底部要素は、その上面に沿って、同様に同一の開口を有する
補強板を含むことができる。これも図示していないが、底部要素３１２に沿った補強板、
及び中間部３１５に取り付けられているのは、ハブ３１０に追加の支持を提供する複数の
ガセットであってもよい。
【００７３】
ハブ３１０の１つと、ジョイスト３３０の１つとの間の相互接続構造の上方斜視図を示
す図５に加えて、さらに図６Ａ、及び６Ｂは、ハブ３１０とジョイスト３３０との間の典
型的な接続の、分解上方斜視破断図、及び通常の（分解されていない）上方斜視破断図を
示している。図示されているように、ジョイスト３３０は、上部要素３３２及び底部要素
３３３を含む。要素３３２、３３３の間に散在しているのは、複数の斜め支持部材３３８
である。要素３３２、３３３の各々は、アングル材３３９Ａ、３３９Ｂの２つのＬ字状片
で形成されている。上部要素３３２がその中央部にコネクタ孔３５４Ａ、３５４Ｂを有し
ていることを除き、要素３３２、３３３は、通常、同一の構成である。ジョイスト３３０
は、第１端部３３１Ａ及び第２端部３３１Ｂを有する。上部要素３３２及び底部要素３３
３の両方の端部３３１Ａ、３３１Ｂのそれぞれには、上部接続フランジ３３５と下部接続
フランジ３３６が延びている。加えて、上部接続フランジ３３５、及び下部接続フランジ
３３６のそれぞれを通るように、接続孔３３７が設けられている。
【００７４】
したがって、以上説明が与えられれば、４つの上部接続フランジ３３５Ａ、３３５Ｂ、
３３５Ｃ、３３５Ｄ、及び４つの下部接続フランジ３３６Ａ、３３６Ｂ、３３６Ｃ、３３
６Ｄ、があり、かつ４つの接続孔３３７Ａ、３３７Ｂ、３３７Ｃ、３３７Ｄがジョイスト
３３０にあることを理解されたい。したがって、第１端部３３１Ａにおいて、上部要素３
３２から延びているのは、上部接続フランジ３３５Ａと下部接続フランジ３３６Ａであっ
て、それらを通る接続孔３３７Ａ（図５及び図６Ａ参照）を有している。同様に、上部要
素３３２の第２端部３３１Ｂにおいて、上部接続フランジ３３５Ｂと下部接続フランジ３
３６Ｂが延びており、それらを通る接続孔３３７Ｂがある。
また、下部要素３３３の第１端部３３１Ａにおいては、上部接続フランジ３３５Ｄ及び下
部接続フランジ３３６Ｄが延びている。これらの接続フランジ３３５Ｄ、３３６Ｄに通っ
ているのが接続孔３３７Ｄである。さらに、ジョイスト３３０の第２端部３３１Ｂにおい
て下部要素３３３から延びているのは、上部接続フランジ３３５Ｃ及び下部接続フランジ
３３６Ｃであり、それらを通る接続孔３３７Ｃがある。各接続孔３３７Ａ、３３７Ｂ、３
３７Ｃ、３３７Ｄに加えて、接続フランジ３３５Ａ、３３５Ｂ、３３５Ｃ、３３５Ｄのそ
れぞれは、さらに、それぞれの付加係止孔３６０Ａ、３６０Ｂ、３６０Ｃ、３６０Ｄを、
それぞれ含む。付加係止孔３６０Ａ、３６０Ｂ、３６０Ｃ、３６０はすべて、各接続孔の
内方に（すなわち、接続孔に対して、ジョイスト３３０の中央に向かって軸方向に）配置
されている。
【００７５】
さらに、図６Ａ、及び６Ｂに示すように、ピン３４０Ａを、ジョイスト３３０の第１端
部３３１Ａと第２端部３３１Ｂのそれぞれにおいて、接続フランジ３３５、３３６の接続
孔３３７を通って、さらにハブ３１０の２つの対応する開口３１３、３１４を通って配置
することができる。図６Ａ、及び６Ｂは、第１端部３３１Ａにおいて使用されるピン３４
０Ａの１つを特に示しており、同一又はほぼ同一の配置が、端部３３１Ｂに存在し得るこ
とが理解される。このようにして、ジョイスト３３０は、実質的に無限の数の方法、及び
角度で、ハブ３１０に接続することができる。例えば、特に図６Ａ、及び６Ｂに示すよう
に、ピン３４０Ａの１つは、接続フランジ３３５Ａを通り、開口３１３Ａを通り、接続フ
ランジ３３６Ａを通り（すべて上部要素３３２の第１端部３３１Ａにおいて）、接続フラ
ンジ３３５Ｄを通り、開口３１４Ａを通り、そして接続フランジ３３６Ｄを通るように配
置され得る。このシナリオでは、ピン３４０Ａは、さらに、接続孔３３７Ａ、３３７Ｄを
通っている。
【００７６】
また、図示されているように（特に図６Ａ、及び６Ｂ参照）、ピン３４０Ａのそれぞれ
は、さらに、その上端部に２つのロールピン３４２を含む。２つのロールピン３４２のう
ち下部のものが、ストッパとして作用することにより、ピン３４０Ａがジョイスト３３０
及びハブ３１０のすべての距離を通って滑ることがない。上部のロールピン３４２は、ピ
ン３４０Ａを引っかけ、ジョイスト３３０及びハブ３１０からピン３４０Ａを除去するこ
とを容易にすることができる指掛け部として作用する。これら各部の設計は、ジョイスト
３３０とハブ３１０とが互いに接続されている場合であっても、ジョイスト３３０及びハ
ブ３１０の両方の自由な回転を許容するようになされている。図５、及び６Ｂの回転矢印
Ｒ１が、ハブ３１０に対するジョイスト３３０の回転を示し、回転矢印Ｒ２が、図５、及
び６Ｂのジョイスト３３０に対するハブ３１０の回転を示している。ジョイスト３３０及
びハブ３１０の互いに対する回転能力は、部分的に本設計の関節運動能力を与えている。
【００７７】
ジョイスト３３０及びハブ３１０の互いに対する関節運動は、いくつかの実施形態又は
動作環境で行うことができるが、他の実施形態又は環境では、関節運動は妨げられる。特
に、ワークプラットフォームシステムが完全に実装されるとき、又は部分的に実装されて
いる支持サブシステム１３０の構造支持体部品が図３に示すように設置されている場合で
あっても、関節運動は通常妨げられる。そのような関節動作を妨げるために、図６Ａ、及
び６Ｂに示すように、任意選択のロックピン３４０Ｂ（そのうちの１つが示されている）
が、インタフェースするハブ３１０、ジョイスト３３０に関連して設置されている。より
具体的には、図示されているように、相対的な関節運動を防止するための、図６Ａ、及び
６Ｂのハブ３１０及びジョイスト３３０の係止は、ジョイスト３３０の端部３３１Ａ近傍
の係止孔３６０Ａ、３６０Ｄを通るロックピン３４０Ｂを付加することによって達成され
る。ロックピン３４０Ｂは、ハブ３１０の上部要素３１１及び下部要素３１２の周囲に沿
って形成された複数の溝（又はスロット／ディンプル）３２４のうち２つに沿ったハブ３
１０との接触により、このような関節運動を（少なくとも部分的に）妨げるように特に動
作する。ロックピン３４０Ｂは、溝３２４の２つを通って延びているので、ロックピンが
上部要素３１１、下部要素３１２の周囲に沿って移動することを効果的に防止し、これに
伴ってハブ３１０に対するジョイスト３３０のそのような移動を防止することができる。
【００７８】
ピン３４０Ａと同様に、図示すように、ロックピン３４０Ｂはさらに２つのロールピン
３４２を含むことができ、２つのロールピン３４２は、ピン３４０Ａに設けられたロール
ピンに関連して上述したのと同じ目的に役立つ。図６Ａ、及び６Ｂでは図示しないが、ジ
ョイスト３３０の端部３３１Ｂ（図５参照）が、ピン３４０Ａの他の１つによって、ハブ
３１０の他の１つに接続されている場合、ロックピン３４０Ｂの他の１つが、同様にこの
端部３３１Ｂの近傍にある係止孔３６０Ｂ、３６０Ｃを通るように同様に追加され得るこ
とを同様に理解されたい。
【００７９】
本実施形態においては、支持サブシステム１３０は、本特許出願の有益な譲受人である
、ウィスコンシン州、ワウケシャの有限会社Ｓａｆｗａｙ  Ｓｅｒｖｉｃｅｓから入手可
能な吊り下げアクセスシステムＱｕｉｋＤｅｃｋ（登録商標）に従った部品及び機能を採
用していることを理解されたい。  すでに述べたように、また以下にさらに説明するよう
に、支持サブシステム１３０のこれらの部品は、とりわけ、アンカー３００、ハブ３１０
、及びジョイスト３３０、並びに上述した関連サブコンポーネントを含み、さらに、以下
でさらに論じるフロアパネル７３２及び支持チェーン２２０を含む。しかしながら、種々
の他の支持サブシステム及び支持サブシステム部品も併せて、又は代替的に、実施形態又
は状況に応じて使用することができること、及びそのような他の支持サブシステム及び関
連する部品も本明細書に包含されることが意図されることを理解すべきである。
【００８０】
とりわけ、本開示は、他の部品、例えば２０１０年８月２４日に交付された米国特許第
７、７７９、５９９号明細書「Articulating Work Platform Support System, Work Plat
form System, and Methods of Use Thereof」に記載の部品のうち任意のものを採用した
支持サブシステムを包含することを意図している。当該明細書は、本明細書において言及
されることにより本明細書に組み込まれる（上記の、発行された特許は、本出願と共通の
譲受人に譲渡された）。また、例えば、図４、５  ６Ａ、及び６Ｂに示すハブ３１０、ジ
ョイスト３３０、及びそれに関連する部品の上記説明にもかかわらず、これらの部品は、
支持サブシステム１３０の下にある／内部の構造支持部品（又は「骨格」）を形成する部
品の中から採用することができる例示的な部品にすぎないこと、及び他の構造支持部品を
他の実施形態で採用することができることを理解されたい。さらに、例えば、実施形態に
応じて、支持サブシステム１３０は、すでに説明した上記のアンカー、ハブ、ジョイスト
、フロアパネル及び、支持チェーンに加えて、及び／又はこれらの部品の代わりに種々の
他の部品を含むことができる。
【００８１】
また、例えば、実施形態に応じて、種々の異なる形状の部品を採用することができる。
例えば、ジョイスト３３０などのジョイストは、バージョイストであってもよいが、ジョ
イストは、オープンウェブジョイスト(open-web joist)及び／又は構造用管(structural 
tubing)であってもよい。さらに、例えば、１以上のジョイスト３３０は、複数の構成用
管形状の部分から成ってもよく、又はジョイスト３３０は、単一の構成用管形状であって
もよい。同様に、ジョイスト３３０は、形鋼（例えば、幅広フランジ要素、幅狭フランジ
部材等）、又は他の適切な形状及び材料で作ることができる。また、他のタイプのパネル
部、及びそのようなパネル部用の支持部も使われ得るので、直線ではなく曲線の、他のタ
イプのジョイストをさらに用いることができる。さらに、本実施形態では、支持サブシス
テム１３０の第１部分１３２及び第２部分１３４（すべてのハブ、ジョイスト、アンカー
、フロアパネル、及び支持サブシステム１３０の支持チェーンを含む）は、完全に組み立
てられ、吊り下げサブシステム（例えば、部分的に実装された吊り下げサブシステム１２
０）の任意の部分に先立って、塔１４０に関連して設置されることが想定されているが、
代替実施形態では、支持サブシステム１３０の一部は、吊り下げサブシステムの実装と同
時に、又はその後に実装されることが可能である。
【００８２】
ここで図７を参照すると、図１の領域１５０に対応する、さらに実装されたワークプラ
ットフォームシステム７１０の部分（すなわち、領域１５０に位置するであろう、システ
ムの部分）のアセンブリ７００の平面図であって、一部断面図が示されている。図７によ
って提供される特定の図は、図１２の線７−７に沿った図であり、以下にさらに説明する
ように、図１の領域１５０に対応する吊橋１００の部分との組み合わせで、アセンブリ７
００の側面図のさらなる拡大詳細図を示している。さらに実装されたワークプラットフォ
ームシステム７１０は、追加の部品を含むようにさらに変更されると、図１〜３の、部分
的に実装されたワークプラットフォームシステム１１０になるべきものであることが、特
に理解されるべきである。具体的には、図７に示されている、さらに実装されたワークプ
ラットフォームシステム７１０の部分は、上述の支持サブシステム１３０と、さらに実装
された吊り下げサブシステム７２０の部分との両方を含む。さらに実装された吊り下げサ
ブシステム７２０は、追加の構成要素を含むように変更された後の、部分的に実装された
吊り下げサブシステム１２０である。
【００８３】
支持サブシステム１３０は、図３と対比すると、図７では幾分異なるように見えるが、
これは、図７は、図３に関連して図示し、説明した支持構造物のハブ３１０及びジョイス
ト３３０（「骨格」）に支持されているパネル部７３２を示しているからに過ぎない。す
でに上述したように、パネル部７３２は、有効にフロアを提供する。このフロア上を作業
員が歩いたり、このフロア上で装置及び部品を搬送したり支持したりすることができる。
外観上のこの差異にもかかわらず、それでも、図７の支持サブシステム１３０は図３に示
したものと同じであり、かつ図２、及び１２に示したものと同じであるため、特に、ハブ
３１０、ジョイスト３３０、及び図３に示すアンカー３００、並びに図２、及び１２に関
連して図示され説明されたパネル部７３２及び支持チェーン２２０のすべてを含んでいる
。支持サブシステム１３０は、本実施形態では完全に実装され、又は設置された支持構造
物であると考えられるが、他の実施形態では、図７に（又は図２、３、もしくは１２に）
は示されていない追加の部品、例えばレールをさらに支持サブシステム１３０に追加する
ことができること、及び支持サブシステムは、そのような追加の部品が実装された後にの
み完全なものとなるであろうことを、さらに理解されたい。
【００８４】
さらに実装された吊り下げサブシステム７２０については、図３に示すように、吊り下
げサブシステム７２０が、種々の対のワイヤテンドン２３０に支持されるように設置され
た複数のパネル部７５０を含む点で、特にこの部分的に実装された吊り下げサブシステム
が部分的に実装された吊り下げサブシステム１２０と異なる。より詳細に示されているよ
うに、９対のワイヤテンドン２３０（すなわち、対のワイヤテンドンの３０１、３０２、
３０３、３０４、３０５、３０６、３０７、３０８、及び３０９である）が存在するとし
た場合、８つの部分的に完成したパネル部７５０の列、すなわち第１、第２、第３、第４
、第５、第６、第７及び第８列７５１、７５２、７５３、７５４、７５５、７５６、７５
７、７５８が図示されており、ここでそれぞれの行（例えば、７５１、７５２等）は、連
続した１つ１つのワイヤテンドン２３０の対（例えば、対３０１及び３０２、対３０２及
び３０３等）のうち、対応する対に支持されている。パネル部７５０の行の実際の数だけ
でなく、ワイヤテンドン２３０の対の実際の数は、実施例によって変更され得ることを理
解されたい。例えば、いくつかの他の実施形態では、２対のワイヤテンドン２３０上、及
び間には単一行のパネル部７５０のみが配置されている。一方、他の実施形態では、パネ
ル部は、８行より多くても少なくてもよく、ワイヤテンドンは９対より多くても少なくて
もよい。
【００８５】
ここで、図８Ａ、９、及び１０を参照すると、図７のパネル部７５０の例示的な１つの
平面図、側面図、及び右端側面図がそれぞれ示されている。例えば、図８Ａ、９、及び１
０は、図３に示したパネル部７６５を示すものと考えられる。このパネル部７６５は、パ
ネル部の６行目７５６の最も右側のパネル部であり、図３に示す他のパネル部７５０のそ
れぞれと同一であると考えることができる。図示されているように、パネル部７６５は、
概して細長い長方形状を有しており、本実施形態では、９２インチ（すなわち約８フィー
ト）の幅寸法７５９と２４インチ（２フィート）の長さ７６１を有する。この議論の目的
のために、幅寸法７５９は、隣り合ったワイヤテンドンの対の間の距離と実質的に対応し
ている。これらのワイヤテンドンの対の間には、パネル部７６５が延びており、一方、長
さ寸法７６１は、ワイヤテンドンに沿ったパネル部７６５の長さに対応する（ただし、他
の実施形態では長さ及び幅の寸法は異なるように定義することができる）。
【００８６】
他の実施形態では、所定の吊り下げサブシステムに採用されているパネル部の、任意の
１以上のこれらの寸法は、パネル部７６５に関連して示されたものから変更することがで
きる。例えば、別の実施形態では、パネル部は、約８フィートの幅×１フィートの長さで
あってもよい。実際には、パネル部は、細長い矩形である必要はなく、他の形状、例えば
正方形とすることができる。また、図７には示していないが、いくつかの実施形態では、
異なるサイズ（及び／又は形状）を有する異なるパネル部を同じワークプラットフォーム
システムで実装することができる。例えば、パネル部のうち、特定のものは、上述した２
フィート×８フィートの寸法を有することができ、パネル部のうち、他のものは１フィー
ト×６フィートの寸法を有することができる。寸法が異なる（例えば、異なる長さ及び／
又は幅寸法の）パネル部を使用することによって、ワークプラットフォームシステムの実
装に関連する、種々の実用的な問題に好適に対処することができる。例えば、１以上の障
害（例えば、デッキ２２の下方に突出した管）が、パネル部の行のうちの１つに沿ってパ
ネル部７５０の１つを実装することを不可能にする場合には、代わりに異なるサイズのパ
ネル部を実装できる可能性がある。
【００８７】
一例として、パネル部７６５は、全体のパネル部７６５の前述の幅及び長さ寸法７５９
及び７６１とそれぞれ等しい寸法の上パネル面７６３を特に含む。上パネル面７６３は、
その上を作業員が歩くことができる面である。本実施形態では、上パネル面７６３は、木
材（例えば、合板）から作られている。上パネル面７６３として木材を用いると、シート
メタルなどの他の材料を使用した場合よりも表面に水分が存在している状態（例えば、暴
風雨時）であっても良好な摩擦を得られるという点で、特に有効となり得る。しかしなが
ら、上パネル面７６３を形成するために用いられる特定の材料は、実施形態に応じて変更
され得る。
【００８８】
さらにパネル部７６５に対して、上パネル面７６３が、図８Ａ、８Ｂ、９、及び１０の
それぞれに示されている鋼管又はストラット７６０（特に図８Ａ、及び８Ｂでは、ストラ
ットは想像線で示されている）上に取り付けられている。鋼管又はストラット７６０は、
上パネル面７６３の下にある支持構造物又は「骨格」を形成する。さらに、図示するよう
に、ストラット７６０は、一対の側部ストラット７６２、一対の端部ストラット７６４、
及び支持ストラット７６６を含んでいる。側部ストラット７６２は、幅寸法７５９の全長
を延び、端部ストラット７６４が長さ寸法７６１の全幅を延びて、側部ストラット７６２
及び端部ストラット７６４は、上パネル面７６３の周辺部に沿ってループを効果的に形成
する。支持ストラット７６６は、２つの側部ストラット７６２の間を延びるように、上パ
ネル面７６３の下に配置されている。
【００８９】
図８Ａに示すように、下にある支持構造物（すなわち、側部ストラット７６２、端部ス
トラット７６４及び支持ストラット７６６）を形成する複数のストラット７６０は、同一
の形状、厚さ、内側寸法、及び外側寸法を有することができる。他の実施形態では、スト
ラット７６０は、異なる形状、厚さ、並びに外側寸法及び内側寸法を有することができる
。例えば、一実施形態では、側部ストラット７６２及び端部ストラット７６４は、角形筒
状の鋼であってもよく、支持ストラット７６６は矩形筒状の鋼であってもよい。
【００９０】
図８Ａに示される実施形態において、パネル部７６５は、端部ストラット７６４同士の
間に配置された単一の支持ストラット７６６を有している。図８Ｂに示す実施形態では、
パネル部７６５は、端部ストラット７６４同士の間に均等に配置された２つの支持ストラ
ット７６６を含む。図８Ａ、及び８Ｂに示すように、上パネル面７６３を支持するために
、より多くの又はより少ない支持ストラット７６６を使用することができ、支持ストラッ
ト７６６の数及び位置は、上パネル面７６３の材質、重量、強度、及び／又は厚さに依存
し得る。例えば、１つの実施形態では、単一の支持ストラット７６６を、１／２インチの
厚さを有するパネル面７６３と共に使用することができるが、２本の支持ストラット７６
６には、３／８インチの厚さを有するパネル面７６３が要求され得る。
【００９１】
パネル部７６５は、上パネル面７６３及びストラット７６０に加えて、いくつかの支持
部品を含む。いくつかの支持部品は、（例えば、パネル部の列を形成するように）パネル
部７５０のストラット７６０から外方に延び、ワイヤテンドン２３０に関連して、かつ他
のものにも関連してパネル部７６５を取り付けることを許容する。より詳細には、図示さ
れているように、これらの支持部品は、４つのワイヤテンドン支持延長部７７０、及び４
つのハンドル支持延長部７８０を含み、これらのすべてが、前述した幅寸法７５９及び長
さ寸法７６１のいずれかの範囲を超えて外向きに延びる。図示されているように、ワイヤ
テンドン支持延長部７７０は、詳細には、端部ストラット７６４から外方に離れる方向、
すなわち幅寸法７５９と平行又は実質的に平行な方向に沿って外側に延びている。ワイヤ
テンドン支持延長部７７０のうちの２つは、側部ストラット７６２のうち一方のほぼ両端
において、外方に延びており、他の２つのワイヤテンドン支持延長部７７０は、他方の側
部ストラット７６２のほぼ両端において、外方に延びている。一方、ハンドル支持延長部
７８０は、側部ストラット７６２から長さ寸法７６１と平行、又はほぼ平行な方向に外方
に延びており、すべてのハンドル支持延長部７８０は、端部ストラット７６４の十分内側
位置にある。
【００９２】
図８Ａ、及び８Ｂから明らかであるように、延長部７７０の外側部７７６が、内側部７
７８に対してわずかにずれ、それによってワイヤテンドン支持延長部７７０が端部ストラ
ット７６４に固定されるように、ワイヤテンドン支持延長部７７０は、小屈曲部７７４を
含む。より具体的には、本実施形態では、端部ストラット７６４のうちの第１のもの（例
えば、図８Ａに示す右端ストラット）から延びているワイヤテンドン支持延長部７７０の
各々は、長さ寸法７６１に沿った第１の方向にオフセットされ、すなわちずらされるそれ
ぞれの外側部７７６を有し、端部ストラット７６４の他方（例えば、図８Ａに示す左端ス
トラット）から延びるワイヤテンドン支持延長部７７０の各々は、第１の方向とは反対の
方向にオフセットされ、すなわちずらされるそれぞれの外側部７７６を有している。その
ような、パネル部７６５の両端部に位置している外側部７７６の反対方向のオフセット（
又は「ダボ」）は、複数の列のうち隣り合うものにあるパネル部７５０の２つ（例えば、
図７の列７５６及び列７５７に隣り合ってそれぞれ配置された２つのパネル部）が、共有
されるワイヤテンドン２３０の対に（例えば、ワイヤテンドン３０７の対によって）支持
されること、及びパネル部のそれぞれの対応する側部ストラット７６２が互いに対して正
確に一直線に並ぶことを可能とするために、相補的である。したがって、図７では、パネ
ル部７５０の列７５１、７５２、７５３、７５４、７５５、７５６、７５７、７５８は互
いに対して完全に一直線に並ぶように示されている。
【００９３】
さらに、特に図９において図示されるように、ワイヤテンドン支持延長部７７０、特に
その外側部７７６の各々は、その下部突条から上方に延びている凹部７７２を有している
。これらの凹部７７２により、ワイヤテンドン支持延長部７７０の外側部７７６は、ワイ
ヤテンドン２３０のうち２対であって、それらの間にパネル７５０を配置すべき２対のワ
イヤテンドン２３０上を滑り、その上に滑り込む場合がある。したがって、例えば、図８
Ａ、８Ｂ、９、及び１０のパネル部７５０は、パネル部７５６の６番目の列のパネル部の
うちで最も右の１つである、図７のパネル部７６５であると仮定すると、図９に示される
外側部７７６の凹部７７２のうち、左側の１つは、ワイヤテンドン３０７の対を受ける（
対上を滑る）凹部であると考えることができ、図９に示される外側部７７６の凹部７７２
のうち、右側１つは、ワイヤテンドン３０６の対を受ける（対上を滑る）凹部であると考
えることができる。
【００９４】
以上の特徴部に加えて、図９から、本実施形態においては、ワイヤテンドン支持延長部
７７０の各々は、それぞれのワイヤテンドン支持延長部の凹部７７２同士の間に概して配
置されるオリフィス又は切り欠き７８１も含むことがわかるだろう。ワイヤテンドン支持
延長部のオリフィス７８１の存在により、いくつかの実施形態では、ガードレールストラ
ット、もしくはワイヤ、又はその他の構造物（不図示）が、ワイヤテンドン支持延長部に
固定され得、したがって吊り下げサブシステムの残りの部分に固定され得る。
【００９５】
ワイヤテンドン支持延長部７７０に関する上記の説明にもかかわらず、これらの延長部
（パネル部７５０が、可撓性支持体、例えばワイヤテンドン２３０に支持されることを可
能にするために使用される同様の構造物）は、他の実施形態では異なる形態とり得ること
を理解されたい。例えば、いくつかの代替実施形態では、ワイヤテンドン支持延長部は、
オフセット（又は「ダボ」）を有しない。すなわち、このような実施形態では、内側端部
及び外側端部（すなわち、上述した内側及び外側部７７８、７７６に対応するワイヤテン
ドン支持延長部の部分）が一直線に並ぶように、ワイヤテンドン支持延長部は直線状であ
る。ワイヤテンドン支持延長部の厚さを薄くすることができるので、又は所与のワイヤテ
ンドンの対の対向する辺の列に並べられたパネル部が完全に一直線に並ぶ（すなわち、異
なる列におけるパネル部の側部ストラット７６２が一直線に並ぶようにする）ことは、必
ずしも、特に要求されないので、オフセット（又は「ダボ」）を、すべての実施形態にお
いて採用する必要はない。
【００９６】
さらにいくつかの代替実施形態では、１以上のワイヤテンドン支持延長部の、１以上の
下位特徴部は、図８Ａ、８Ｂ、９、及び１０に関連して上述したものとは異なる形態をと
ることができる。例えば、一代替実施形態では、パネル部のワイヤテンドン支持延長部の
うち１以上は、図９に示すワイヤテンドン支持延長部７７０Ａの形態を取ってもよい。ワ
イヤテンドン支持延長部７７０Ａは、比較のために、図９のワイヤテンドン支持延長部７
７０のうちの１つの部分に対応するように示されている。本実施形態では、形状が同一で
ある２つの凹部７７２を有するのではなく、ワイヤテンドン支持延長部７７０Ａは、形状
が若干異なる第１の凹部７７２Ａと第２の凹部７７２Ｂを有し、第２の凹部７７２Ｂは、
図９の凹部７７２と同一又は実質的に同一であるが、第１の凹部７７２Ａは、図９の凹部
７７２のサイズ及び形状を超えて凹部を拡張する追加の切り欠き領域７８３Ａを有する。
追加の切り欠き領域７８３Ａを有する第１の凹部７７２Ａの拡張されたサイズは、少なく
ともいくつかの実施形態では、ワイヤテンドン支持延長部７７０Ａをワイヤテンドン、例
えばワイヤテンドン２３０の対に取り付けることをより容易にすることができる。なお、
図９Ａの代替的な実施形態では、ワイヤテンドン支持延長部７７０Ａは、オリフィス７８
１Ａを有することに留意されたい。このオリフィス７８１Ａは、オリフィス７８１Ａが、
第１の凹部７７２Ａの追加の切り欠き領域７８３Ａの存在に適応するために、第１の凹部
７７２Ａよりも低く、かつより第２の凹部７７２Ｂの近くに位置している（少なくとも２
つの凹部の最上部を比較した場合に）ことのみを除いて図９のワイヤテンドン支持延長部
７７０のうちの１つのオリフィス７８１に対応している。図９、及び９Ａについての上述
の説明にもかかわらず、ワイヤテンドン支持延長部は、他の方法でも修正され得ることを
理解されたい。例えば、いくつかの追加の実施形態では、追加の孔（例えば、オリフィス
７８１、又はオリフィス７８１Ａに加えて）固定及び／又は他のサイズの足場構成での使
用を容易にするために追加される。
【００９７】
さらに図８Ａ、８Ｂ、９、及び１０を参照すると、ハンドル支持延長部７８０は、ルー
プ構造である点で、ワイヤテンドン支持延長部７７０と異なる構造形態をとる。このルー
プ構造は、ハンドル支持延長部７８０のそれぞれが側部ストラット７６２の一方から外方
に離れる（パネル面７６３から外方へ離れる）方向に延び、その後それぞれ中間ハンドル
部７７９が形成されるように側部ストラットとほぼ平行に延び、その後それぞれの側部ス
トラットであって、ループ構造が（側部ストラットに沿った異なる位置において）初めに
延びる元である側部ストラットと再度接続するようにループバックする。この意味で、ハ
ンドル支持延長部７８０のそれぞれは、Ｕ字状の延長部である。さらに図１０から明らか
なように、パネル部７６５を、右端側（又は左端側）から見たとき、ハンドル支持延長部
７８０の各々は、Ｕ字状であるだけでなく、Ｌ字状の特性を有している。より詳細には、
図示するように、ハンドル支持延長部７８０のそれぞれは、それぞれが取り付けられた各
側部ストラット７６２から、ほぼ水平（すなわち、上パネル面７６３に平行）に外方に突
出するが、その後さらにフック形状７８５を含むように延びる。このフック形状７８５に
おいて、各ハンドル支持延長部は、まず若干下に下がり（すなわち、上パネル面から離れ
）、その後、拡張部の中間ハンドル部７７９が形成されている位置まで上方に（すなわち
、上パネル面の平面に向かい）湾曲している。本実施形態では、それぞれのハンドル支持
延長部７８０の各中間ハンドル部７７９は、それぞれのハンドル支持延長部７８０が、ま
ず外方に水平に延びるそれぞれの位置よりもかなり高い位置にある。
【００９８】
パネル部７５０、例えばパネル部７６５の、それぞれのハンドル支持延長部７８０の具
体的なフック形状の構成は、いくつかの目的に役立つ。初めに、ハンドル支持延長部７８
０の形状によって、これらの延長部はハンドルとして役立つことができる。そのため、作
業員（又は他の設置機器）は、ワークプラットフォームシステムの実装中にパネル部７５
０を把持して支持する（したがって、持ち上げて移動する）ことができる。また、（以下
にさらに説明するように）ハンドル支持延長部７８０の形状及び配置によって、任意の所
与の列にあるパネル部７５０のうち、隣り合ったパネル部を互いに対して容易に配置し、
最終的には相互に結合することを可能にする。実際、ハンドル支持延長部７８０によって
提供された所与の列のパネル部の、この結合に起因して、かつパネル部自体の重量と組み
合わされて、本実施形態におけるパネル部７５０は、全体として、追加の固定機構を伴う
ことなく、（ワイヤテンドンの対を受ける凹部７７２と共に）ワイヤテンドン２３０の対
に支持されており、ワイヤテンドン２３０の対に取り付けられ得る。追加の固定機構があ
った場合には、追加の固定機構は、ワイヤテンドンのパネル部の上昇を妨げる傾向にある
。すなわち、パネル部７５０は、一度所定位置に置かれると、ワイヤテンドンに確実に係
止されるのではなく、パネル部７５０自体の重量及び隣り合うパネル部との相互接続があ
るため、テンドンに対して所定位置に留まるにすぎない。しかし、別の実施形態では、パ
ネル部７５０は、パネル部を、これらのパネル部を支持するワイヤテンドンの対に確実に
係止し、又は固定するための他の特徴部を含み得ることも理解されたい。
【００９９】
さらに、パネル部７６５などのパネル部７５０の設置及び係合に関しては、図１１Ａ、
１１Ｂ、及び１１Ｃは、それぞれ、ワイヤテンドン２３０に（例えば、第６対のワイヤテ
ンドン３０６及び第７対のワイヤテンドン３０７に）すでに配置されたパネル部７６５に
関連して設置されている追加のパネル部７９１（パネル部７５０のそれぞれと同じタイプ
のものである）の、第１、第２、及び第３の部分破断概略図を提供している。このように
設置されている結果、追加のパネル部７９１は、同様に、これらのワイヤテンドンに配置
され、これらのワイヤテンドンによってよって支持されている。より具体的には、図１１
Ａ、１１Ｂ、及び１１Ｃは、それぞれ、パネル部７６５及び７９１の両方を通る、パネル
部７６５に関する図８に示した線１１−１１に対応するラインに沿った断面図である。図
８に示すように、ライン１１−１１は、パネル部７６５の側部ストラット７６２の一方に
沿ったパネル部７６５の、ハンドル支持延長部７８０のその一方を通って切断する。パネ
ル部７９１は、パネル部７６５に隣接して配置されるべきものである。さらに、これに関
して、図８は、追加のパネル部７９１も図示していないが、図１１Ａ、１１Ｂ、及び１１
Ｃに提供されている断面図は、パネル部７６５に関連して追加のパネル部７９１を設置す
る代表的なプロセスを適切に示しており、これらの図において、２つのパネル部の端部ス
トラット７６４が相互に位置合わせされていることを理解すべきである。
【０１００】
より具体的には、図１１Ａは、追加のパネル部７９１が、初めにパネル部７６５に関連
して設置されるとき、まず追加のパネル部７９１が（例えば、作業員が、ハンドル支持延
長部７８０を使用してパネル部７９１を所定位置に持ち上げることによって）どのように
配置されるかを示している。追加のパネル部７９１の上パネル面７６３が、パネル部７６
５の２つの互いに位置合わせされたハンドル支持部７８０で受けられ、そのハンドル支持
部７８０から実質的に鉛直方向の上方に受けられると、パネル部７６５から実質的に垂直
に上方に延びるように、追加のパネル部７９１が配置される。このように配置されると、
追加のパネル部７９１の側部ストラット７６２のうち、第１のものは、第１のパネル部７
６５のハンドル支持延長部７８０のフック形状７８５内に配置される。この第１のパネル
部７６５内に、追加のパネル部７９１がすでに受けられている。また、この初期位置では
、上パネル面７６３は、パネル部７６５のハンドル支持延長部７８０まで（又は、ほぼハ
ンドル支持延長部７８０まで）、下方に延びており、パネル部７６５及び７９１の、隣合
う側部ストラット７６２同士の間を延びている。
【０１０１】
図１１Ｂ、及び１１Ｃをそれぞれ参照すると、図１１Ａに示すように、パネル部７６５
に対して所定の位置に配置されている追加のパネル部７９１に、追加のパネル部７９１を
さらに設置することは、図１１Ｂの矢印７９２で概して示される方向に、そのパネル部７
９１を回転させることによって行われる。すなわち、回転は、パネル部７６５から離れる
方向に、概して下方及び外方に、パネル部７９１の上パネル面７６３が水平となり、パネ
ル部７６５の上パネル面７６３と平行になるように、追加のパネル部７９１が完全に所定
の位置に配置されるまで行われる。そのような回転移動が完全に完了したときは、パネル
部７６５及び７９１の両方は、これらのパネルのそれぞれに形成されたワイヤテンドン支
持延長部７７０によって（図８、及び９に関して上述されたように）、それらのパネルが
間に延びているワイヤテンドン３０６、３０７上に支持されることが理解されよう。また
、完全に設置されたときは、パネル部７６５、及び７９１の隣合う側部ストラット７６２
は、概して互いに隣接している。
【０１０２】
上のハンドル支持延長部は、追加のパネル部７９１の、パネル部７６５に対する適切な
回転を許容するために、ハンドル支持延長部７８０は、第１のパネル部７６５の側部スト
ラット７６２から外方に離れるように延びる必要があることが理解されよう。この第１の
パネル部７６５に、これらのハンドル支持延長部が、追加のパネル部７９１の側部ストラ
ット７６２の断面幅をいくらか超えた距離だけ離れて取り付けられている。このように、
超えた分の距離が、図１１Ｃに距離７９４として示されている。さらに、適切で完全な設
置に続いて、ハンドル支持延長部の結合の結果として、横に並んで組み立てられたパネル
部７６５は、左右及び上下方向の少なくとも一方の、より好ましくは左右及び上下方向の
両方における、移動が少なくとも部分的に制限されることが理解されるであろう。したが
って、ワイヤテンドン支持延長部７７０（不図示）と組み合わせた支持延長部ハンドルは
、少なくとも部分的に、好ましくは完全に、横に並んで完全に設置されたパネル部の移動
を３軸のすべて、すなわち左右、上下、前後で制限する。したがって、いくつかの実施形
態では、パネル部７６５は、追加の係止又は固定構造、機構又は装置を必要とすることな
く、テンドンに固定され、かつ互いに対して固定される。
【０１０３】
さらに、図１１Ｃに示すように（図１１Ａ、及び１１Ｂには示されていないが）、追加
のパネル部７９１は、パネル部７６５と同様にハンドル支持延長部７８０を有する。パネ
ル部７６５、７９１のそれぞれのハンドル支持延長部７８０の間隔は図８（パネル部７６
５、７９１を含むパネル部７５０のそれぞれの特徴部を表す）に示したものと同じである
と仮定すると、パネル部７５０の側部ストラット７６２の一方におけるハンドル支持延長
部７８０は、各パネル部の中央のストラット７６６に対して第１の方向にオフセットされ
ているが、各パネル部７５０の側部ストラット７６２の他方におけるハンドル支持延長部
７８０は、中央ストラットから反対方向にオフセットされていることを認識すべきである
。すなわち、図８に示す、側部ストラット７６２の下側の一方に沿ったハンドル部は左に
オフセットされている一方、側部ストラット７６２の上側の一方に沿ったハンドル支持延
長部７８０は右にオフセットされている。より具体的には、図８に示すように、パネル部
７６５の本実施形態では、側部ストラット７６２の上側の一方から延びる、左のハンドル
支持延長部７８０の左端部は、端部ストラット７６４の左側の一方の左側縁でもある、パ
ネル部の左側縁から３２インチオフセットされており、その側部ストラットから延びてい
る右側のハンドル支持延長部７８０の左端部は、左側のハンドル支持延長部の左端部から
、さらに２８インチオフセットされている。一方、側部ストラット７６２の下側の一方か
ら延びる右側のハンドル支持延長部７８０の右端部は、端部ストラット７６４の右側の一
方の右側縁でもある、パネル部の右側縁から３２インチオフセットされている。当該側部
ストラットから延びる左側のハンドル支持延長部の右端部側は、右側のハンドル支持延長
部の右端部から、さらに２８インチオフセットされている。
【０１０４】
パネル部７５０のそれぞれに対するハンドル支持延長部７８０のこのような配置を考慮
すれば、パネル部７５０のハンドル支持延長部７８０は、実質的に相補的であることを理
解されたい。すなわち、パネル部７５０のそれぞれの両側におけるハンドル支持延長部７
８０の逆シフトの配置に起因して、隣接するパネル部は、互いに対して隣り合って配置さ
れ得る。この配置では、隣合うパネル部のハンドル支持延長部７８０が互いと衝突し、妨
害する代わりに、隣り合ったパネル構造物の各々のハンドル支持延長部７８０が、隣合う
パネル構造物の他方と係合し、又は噛合するのに役立つ。例えば、パネル部７５０のうち
の例えば追加のパネル部７９１が、図１１Ｃに示すように、パネル部の他の１つ、例えば
パネル部７６５に関連して実装されるとき、追加のパネル部７９１に面する、パネル部７
６５の辺にあるハンドル支持延長部７８０は、追加のパネル部７９１の、隣接する側部ス
トラット７６２の下及び上並びに周りに延び、同様にパネル部７６５に面する（図１１Ｃ
に想像線で示されるように）パネル部７９１の辺にあるハンドル支持延長部７８０は、パ
ネル部７６５の隣接する側部ストラット７６２の下及び上、並びに周りに延びる。
【０１０５】
図８、９、及び１０、並びに再び図１１Ａ、１１Ｂ、及び図１１Ｃに示したパネル部７
６５は、吊り下げサブシステム、例えばさらに実装された吊り下げサブシステム７２０で
使用することができるパネル部の１つの例示的タイプであるが、すでに上述したように、
実施形態又は状況に応じて、多くの異なるタイプの特徴部を有する、多数のタイプのパネ
ル部を使用し得ることを理解されたい。採用された、パネル部全体のサイズ、寸法、又は
形状における変更は、特定の吊り下げサブシステムによって変更され、かつ所与の吊り下
げサブシステムに関連しても変更され得るが、この変更に加えて、パネル部、例えばハン
ドル支持延長部の特徴部も変更可能である。図１１Ｄ、１１Ｅ、１１Ｆ、１１Ｇ、１１Ｈ
、１１Ｉ、１１Ｊ、１１Ｋ、１１Ｌ、及び１１Ｍは、パネル部７６５の特徴部とは異なる
いくつかの特徴部を有する代替的なパネル部８５０、８５６、８６０、８７０、８８０、
８８５、８８８、及び８９０のいくつかの例である。より具体的には、図示のように、こ
れらの例示的な実施形態では、代替的なパネル部の各々は、パネル部７５６のワイヤテン
ドン支持延長部と実質的に同じワイヤテンドン支持延長部７７０を備えているが、その代
わりに、ハンドル支持延長部、及び／もしくはハンドル支持延長部をインタフェースする
相補的な部品の異なるタイプ、又は配置を有している。
【０１０６】
より具体的には、この点に関して、図１１Ｄを参照すると、代替的なパネル部８５０の
斜視図が提供されている。代替的なパネル部８５０は、代替的なパネル部の第１の辺８５
２から延びるハンドル支持延長部の対を備えているが、代替的なパネル部の対向する辺８
５４には他のハンドル支持延長部が設けられていない点を除いて、代替的なパネル部８５
０は、パネル部７６５と実質的に同一である。さらに、パネル部７５６に存在するフック
状のハンドル支持延長部７８０を採用するのではなく、代替的なパネル部８５０は、当該
ハンドル支持延長部と異なるハンドル支持延長部８５１を採用する。このハンドル支持延
長部８５１では、特に図１１Ｇによく示されているように、ハンドル支持延長部は水平方
向に、辺８５２から単に外方に、かつ水平に延び、その後９０度上方に屈曲するが、これ
については以下にさらに説明する。
【０１０７】
さらに、図１１Ｅを参照すると、代替的なパネル部８５６の斜視図が提供されている。
代替的なパネル部８５６が、一対のハンドル支持延長部８５１を備えるが、これらのハン
ドル支持延長部のうち一方（２つではなく）が、この代替的なパネル部の第１の辺８５８
に設けられ、これらのハンドル支持延長部の他方が、この代替的なパネル部の対向する辺
８５９に設けられている点を除いて、代替的なパネル部８５６は、代替的なパネル部８５
０と実質的に同一である。さらに、図１１Ｆを参照すると、代替的なパネル部８５３の斜
視図が提供されている。代替的なパネル部８５３が、第１の辺８６１に沿った単一のハン
ドル支持延長部８５１（当該辺のほぼ中央部に配置された）のみを備え、対向する辺８６
４に沿ったハンドル支持延長部がないことを除いて、代替的なパネル部８５３は、代替的
なパネル部８５６と実質的に同一である。
【０１０８】
代替的なパネル部８５０、８５６、及び８３２のそれぞれにおけるハンドル支持延長部
８５１のタイプ、数、及び配置は、パネル部７５６とは異なるが、これらの代替のパネル
部のそれぞれにおけるハンドル支持延長部は、図１１Ａ、１１Ｂ、及び１１Ｃに示すよう
に、パネル部７５６（及びパネル部７９１）におけるハンドル支持延長部７８０によって
実行される機能を少なくともある程度まで行うことができることを理解されたい。ハンド
ル支持延長部８５１は、（図１１Ｄ〜１１Ｇに示すように）代替的なパネル部８５０、８
５６、及び８５３の運搬、及び移動のためにも用いられ得る。また、ハンドル支持延長部
８５１は、さらに、隣接するパネル部を（少なくともある程度まで）方向付け、捕捉し、
支持するのに役立つ。例えば、図１１Ｄの、（パネル部の列であるかのように）横に並ん
だ状態で、隣接して組み立てられて配置された２つの代替的なパネル部８５０を、断面の
一部破断図において示す図１１Ｇに示すように、一実施形態において、これらの代替的な
パネル部のうちの１つの、対向する辺８５２から延びるハンドル支持延長部８５１は、こ
れらの代替的なパネル部８５０のうち他のパネル部の、隣接する側部ストラット８６２の
下、上、及び周りに延び、それによって、少なくとも部分的には、当該他のパネル部を所
定の位置に保持し、支持するのに役立つ。
【０１０９】
さらに、図１１Ｈに関して、図１１Ｄの代替的なパネル部８５０とは対照的に、代替的
なパネル部８７０は、第１の辺８７４から延びるハンドル支持延長部８７２の対であって
、ハンドル支持延長部８５１とは対照的に、屈曲部を有さず、第１の辺８７４から純粋に
水平に延出するＵ字状の構造である、ハンドル支持延長部８７２の対を含む。さらに、代
替的なパネル部８５０の対向する辺８７８には、いかなるタイプのいかなるハンドル支持
延長部も有することなく、代わりに追加のパネル部に相補的な結合装置又は突起８７６を
備えている。図示されているように、それぞれの接続デバイス８７６の各々は、対向する
辺８７８に沿って、第１の辺８７４に配置されたハンドル支持延長部８７２のそれぞれと
位置合わせされている。結合装置８７６は、結合装置の突出部が、代替的なパネル部８７
０の他の１つのハンドル支持延長部８７２の相補的内側オリフィス領域内に嵌合するよう
なサイズを有し、そのように構成されている。
【０１１０】
そのような配置は、図１１Ｉに示されている。図１１Ｉは、図１１Ｈの代替的なパネル
部８７０のうち横に並ぶように（パネル部の列であるかのように）隣接して配置された２
つの側面図を提供する。図示されているように、代替的なパネル部８７０のうち１つの、
対向する辺８７８に沿った結合装置８７６は、代替的なパネル部のうち、別の１つの、第
１の辺８７４に配置されたハンドル支持延長部８７２のそれぞれの内側に受けられ、ハン
ドル支持延長部８７２のそれぞれを通り、ハンドル支持延長部８７２のそれぞれの下に延
びている。ハンドル支持延長部８７２内の結合装置８７６がこのように位置決めされると
、２つの代替的なパネル部８７０は、相互に結合される。さらに、ハンドル支持延長部７
８０、及び８５１と同様に、ハンドル支持延長部８７２も代替的なパネル部８７０の運搬
、及び移動を容易にするハンドルとして役立つだけでなく、隣接する代替的なパネル部を
支持するのにも役立つ。例えば、図１１Ｉに示すように、結合装置８７６を受けるハンド
ル支持延長部８７２は、これらの結合装置と関連づけられた代替的なパネル部の、隣接す
る側部ストラット８７９の下に延びている。
【０１１１】
図１１Ｈ、及び１１Ｉに示した代替的なパネル部８７０は、平坦なハンドル支持延長部
８７２を用いた代替的なパネル部の一例であるが、図１１Ｊ、１１Ｋ、１１Ｌ、及び１１
Ｍそれぞれに示す代替的なパネル部８８０、８８５、８８８、及び８９２が、この点に関
する別の例である。しかし、追加のパネル部８７０とは対照的に、追加のパネル部８８０
、８８５、８８８、８９２のいずれも結合装置８７６を含んでいない。より具体的には、
図１１Ｈは、代替的なパネル部８８０の斜視図を示しており、第１の辺８８２から（概略
的には、その面に沿った中央位置から）延びるハンドル支持延長部８７２の一方のみを有
し、対向する辺８８３から延びる他のハンドル支持延長部８７２を有しないものとして代
替的なパネル部８８０を示している。対照的に、図１１Ｋは、第１の辺８８４から延びる
ハンドル支持延長部８７２の一方、及び対向する辺８８６から延びるハンドル支持延長部
８７２を有するものとして代替的なパネル部８８５を示し、図１１Ｌは、第１の辺８８７
から延びるハンドル支持延長部８７２を２つ有するが、対向する辺８８９から延びるハン
ドル支持延長部は有さないものとして、代替的なパネル部８８８を示し、図１１Ｍは、第
１の辺８９０から延びるハンドル支持延長部８７２の２つ、及び対向する辺８９４から延
びるハンドル支持延長部８７２の別の２つを有するように代替的なパネル部８９２を示し
ている。
【０１１２】
パネル部７５６のハンドル支持延長部７８０と同様に、図１１Ｍの代替的なパネル部８
９０の第１の辺８９２及び対向する辺８９４から延びるハンドル支持延長部８７２の対は
、それらの各辺の長さに沿って互いからオフセットされていることを理解すべきである。
これは、代替的なパネル部８９０の複数の、横に並んだ配置を容易にするために、相補的
に配置されるようするためである。同様に、反対側に配置されたハンドル支持延長部が、
相補的に配置されるようにするために、図１１Ｅの他のパネル部８５６のハンドル支持延
長部８５１と同様、図１１Ｋの代替的なパネル部８８５のハンドル支持延長部８７２は、
辺８８４及び８８６の長さに沿って互いからオフセットされている。
【０１１３】
図１１Ｎ、１１Ｏ、１１Ｐ、１１Ｑ、及び１１Ｒを参照すると、さらなる代替的なパネ
ル部１０００が示されている。代替的なパネル部１０００は、グラビティラッチ１０１０
を有する。図１１Ｎ、及び１１Ｏでは上位置で示されているグラビティラッチ１０１０は
、テンドン延長部７７０と旋回点１０１５で接合されている。グラビティラッチ１０１０
はテンドン係合部１０１２と、固定開口１０１４を有する延長部１０１３と、上面１０１
６とを含んでいる。テンドン係合部１０１２は、グラビティラッチ１０１０が図１１Ｐ、
及び１１Ｑに示すように下位置にあるときに、直接的又は間接的にテンドン２３０同士を
係合するように構成されている。図示される例示的な実施形態においては、テンドン係合
部１０１２は、Ｃ字状、又はＣ字構成となっている。
【０１１４】
グラビティフック１０１０が上位置と下位置のいずれにあるときでも、図１１Ｐ、及び
１１Ｑに示すように、グラビティフック１０１０の重心Ａが、旋回点１０１５から少しオ
フセットされるように、グラビティフック１０１０は特別に設計されている。図１１Ｏ、
及び１１Ｒにおいて、領域Ａを参照するだけのために円形のマークを用いて重心Ａが示さ
れている。グラビティフック１０１０の実施形態は、重心の可視又は物理的表示を含んで
も、含まなくてもよい。
【０１１５】
グラビティフック１０１０が上位置と下位置のいずれにあるときでも、重心Ａは、旋回
点１０１５からオフセットしているので、重心Ａが旋回点１０１５の反対側まで通るよう
に、グラビティフック１０１０が物理的に回転するまで、グラビティフック１０１０は上
位置に留まるであろう。同様に、重心Ａが、旋回点１０１５を通って戻るようにグラビテ
ィフック１０１０が物理的に回転するまで、グラビティフック１０１０は下位置に留まる
であろう。したがって、グラビティフック１０１０は、テンドン２３０に対してパネル部
７５０が上方に移動することを防止するように機能する。
【０１１６】
延長部１０１３の開口１０１４は、テンドン延長部７７０の開口１０１７に対応するよ
うに構成されている。安定性を増すために、ジップタイ、ボルト、その他の構造のような
固定部品は、開口１０１４、１０１７を貫通して固定することができ、それによってグラ
ビティフック１０１０とテンドン延長部７７０を第２の点で接続する。第１の点は、旋回
点１０１５である。同様に、グラビティフックが下位置にあるとき、テンドン延長部７７
０の切り欠き１０１８は、上面１０１６の位置に対応するように構成され、それによって
付加的カバー構造物（後述）がグラビティフック１０１０を介してパネル部７５０同士の
間に設置されることを可能にする。また、切り欠き１０１８は、下位置から上位置に向け
グラビティフック１０１０を旋回させるために、上面１０１６にアクセスすることを可能
にする。
【０１１７】
例えば、図１１Ｎ、１１Ｏ、１１Ｐ、及び１１Ｑに示すように、上面１０１６は、グラ
ビティフック１０１０を操作するための把持領域又は接触領域を提供するように構成され
る。例えばグラビティフック１０１０が上位置にあるとき、つま先で蹴ることや、手によ
って上面１０１６を押し、グラビティフック１０１０を下位置まで旋回させることができ
る。グラビティフック１０１０が下位置にあるとき、足でフック１０１０を操作したり、
手で上面１０１６を把持したりすることによって、グラビティフック１０１０がその上位
置に戻れるように、上面１０１６は、切り欠き１０１８の上方に突出している。
【０１１８】
図１１Ｒは、グラビティフック１０１０をさらに詳細に示す。図１１Ｒに示すように、
テンドン係合部１０１２は、傾斜面１０２０を有している。上に上げられた状態で（すな
わち、テンドン引張力１０３０の下で）、傾斜面１０２０は、グラビティフック１０１０
を時計回り（図１１Ｒに示した図に対して）に回転させ、それによってグラビティフック
１０１０を閉位置に維持する。
【０１１９】
重心Ａ、及び旋回点１０１５の位置も、上に上げられた状態でグラビティフック１０１
０を閉位置に維持するのに役立つ。具体的には、閉位置では、重心Ａは、旋回点１０１５
の中心から、距離１０２４のだけオフセットしており、旋回点１０１５の中心より下側に
設定されている。ワイヤテンドン２３０の位置も、旋回点１０１５の中心からオフセット
している。その結果、上に上げられた状態では（すなわち、テンドン引張力１０３０の下
で）、グラビティフック１０１０が時計回りの位置に回転し、閉位置に留まる。
【０１２０】
上述したパネル部１０００は、本明細書で説明するようなハンドル支持延長部の任意の
構成を有することができることを理解されたい。また、上記に説明した代替的なパネル部
の例は単なる例であり、本発明に包含される実施形態において、パネル部の、多数の他の
変更例を実装可能であることを理解されたい。
【０１２１】
図１１Ｓ、及び１１Ｔは、パネル１０００及びグラビティラッチ１０１０と共に使用す
るための、修正されたテンドン延長部７７０ａ´及び７７０ｂ´を示している。修正され
たテンドン延長部７７０ａ´、７７０ｂ´は、組み立てられていないパネル部１０００を
積み重ねる際に、支持及び安定性を提供する。図１１Ｓ、及び１１Ｔに示すように、修正
されたテンドン延長部７７０ａ´、７７０ｂ´は輪郭部７７１ｂを含み、それによって、
テンドン延長部７７０ａ´を明確に右側テンドン拡張部とし、テンドン延長部７７０ｂ´
を明確に左側テンドン拡張部としている。すなわち、テンドン延長部７７０ａ´、７７０
ｂ´は互いの鏡像である。
【０１２２】
図１１Ｔは、修正されたテンドン延長部７７０ａ´をより詳細に示している。図示され
ているように、輪郭部７７１ｂは、テンドン延長部７７０ａ´の本体７７１ａ及びパネル
部１０００の平面から離れる方向に角度が付けられている。パネル部１０００が、（例え
ば、保管や運搬時）他のものの上に積み上げられる場合、隣接して積み上げられたパネル
部の左右のテンドン延長部７７０ａ´、７７０ｂ´は、保管及び運搬の際のパネル１００
０の移動（例えば左右移動）を防ぐ、又は制限するために、互いに対して重なるように係
合する。
【０１２３】
図１１Ｕは、グラビティラッチ１０１０´の代替実施形態を示している。グラビティラ
ッチ１０１０´は、図１１Ｎ〜図１１Ｒを参照して説明したのと同様に機能するが、より
フックした形状のテンドン係合部１０１２´を有している。いくつかの実施形態では、図
１１Ｕに示されているように、グラビティラッチ１０１０´は、隆起部とトーボードを係
合させるための受容開口１０１９´を含む。
【０１２４】
図７に戻り、さらに図７Ａ、及び７Ｂを参照すると、吊り下げサブシステムの完全な実
装は、パネル部７５０をワイヤテンドン２３０上に実装することだけを含むのではなく、
付加的な部品の実装も含む。これらの付加的な部品を示すために、図７Ａは、図７の領域
９６１の詳細図を提供する。隣り合う２列のパネル部７５０のうち、いくつかのパネル部
の列７５１、７５２の各々が、ワイヤテンドン２３０の中間対、すなわちワイヤテンドン
３０２上に支持されている位置に、特に焦点が当てられている。さらに、図７Ｂも、図７
Ａに示すのと同じ領域（領域９６１）を示すために提供されるが、その領域は、下方から
見られる（すなわち、図７Ａが領域９６１の平面図であるのに対し、図７Ｂは、その領域
、又はほぼ同じ領域の底面図である）。
【０１２５】
図７Ａ、及び７Ｂからは、パネル部７５０とワイヤテンドン支持延長部７７０の構成に
より、パネル部の上パネル面７６３は、支持ワイヤテンドン３０２上を覆うことはなく、
パネル部の隣接する列、例えば列７５１及び７５２のパネル部７５０の上パネル面同士の
間に空間すなわち隙間があることが特に明らかであろう。パネル部７５０の隣合う列、例
えば列７５１、７５２のパネル部の上パネル面７６３同士との間にこの隙間があるので、
本実施形態では、ワイヤテンドン２３０にパネル部を実施した後に付加的カバー構造物（
又は隙間フィラー）７６７が設けられる。特に、付加的カバー構造物７６７の１つが、図
７Ａ、及び７Ｂに示されている。付加的カバー構造物７６７は、隣接する列（この場合も
、例えば列７５１及び７５２）のパネル部７５０の、上パネル面７６３同士の間の隙間を
埋め、上パネル面７６３同士の間のワイヤテンドン２３０の対（例えば、ワイヤテンドン
の対３０２）上をこれらのワイヤテンドンのほぼ全長に沿って覆うことに役立つ。ただし
、覆う機能は、以下にさらに説明されるように、吊り下げチェーンが吊り下げ構造物によ
ってワイヤテンドンに接続されている場所を除いて行われる。
【０１２６】
特に図７Ａ、及び７Ｂに示すように、付加的カバー構造物の外縁部８９９が、実際には
、パネル部の縁部（図７Ｂは外縁部８９９を想像線で示している）上を延びるように、付
加的カバー構造物７６７は、パネル部の列同士の間の隙間よりも大きい幅を有している。
さらに、図７Ａ、７Ｂだけでなく、以下に説明する図１７Ａ、１７Ｂ、１７Ｃ、１７Ｄ、
１８、１９、及び２０に示すように、本実施形態における付加的カバー構造物７６７は、
付加的な部品によって、ワイヤテンドン２３０に強固に接続されている。
【０１２７】
より具体的には、本実施形態では、付加的カバー構造物７６７は、一対のボルト孔９５
０を有している。ボルト孔９５０によって、付加的カバー構造物７６７は、テンドン保持
構造物７６９にボルト締めされ得る。図１８Ａは、付加的カバー構造物７６７の１つの斜
視図を示すものであり、特にボルト孔９５０を示している。図１７Ａ、１７Ｂ、１７Ｃ、
及び１７Ｄはそれぞれ、テンドン保持構造物７６９の一例の斜視図、平面図、側面図、及
端面図を示している。図示されているように、テンドン保持構造物７６９は、主外側シェ
ル９５２を備え、主外側シェル９５２は、屋根部９５４と、屋根部の２辺の各々から下方
に延びる第１側壁９５６及び第２側壁９５７とを備えている。また、テンドン保持構造物
７６９は平坦な内部圧縮構造物９５８を備えている。内部圧縮構造物９５８は、２つの耳
延長部９６０を含み、耳延長部９６０はそれぞれ、２つの側壁９５６、９５７の各々の下
縁近傍に形成された２つの相補的なスロット９６２に嵌合される。概略的には相補的であ
るが、相補的なスロット９６２は、特に鉛直方向において  耳延長部９６０よりもわずか
に大きい。その結果、耳延長部９６０が、相補的なスロット９６２内に延びるように、平
坦な内部圧縮構造物９５８が、側壁９５６及び９５７の間の内部チャネル９６４内に配置
されているとき、平坦な内部圧縮構造物９５８は、主外側シェル９５２に対して鉛直方向
の上方及び下方に移動することができる。
【０１２８】
上述した特徴部に加えて、主外側シェル９５２の第１側壁９５６は、第１ワイヤ受容凹
部９６６及び第２ワイヤ受容凹部９６７をそれぞれ有しており、第２側壁９５７は、第３
ワイヤ受容凹部９６８及び第４ワイヤ受容凹部９６９をそれぞれ有している。図示のよう
に、ワイヤ受容凹部９６６、９６７、９６８、及び９６９のすべては、相補的なスロット
とほぼ同じ鉛直高さに配置されているが、相補的なスロットよりも、わずかに高く配置さ
れている。また、第１ワイヤ受容凹部９６６及び第２ワイヤ受容凹部９６７は、第１側壁
９５６のほぼ両端にそれぞれ配置され、第３ワイヤ受容凹部９６８及び第４ワイヤ受容凹
部９６９は第２側壁９５７のほぼ両端にそれぞれ配置されている。以下でさらに説明する
ように、第１凹部９６６及び第３凹部９６８は、それぞれ、第１の形状を共通して有する
。第１の形状は、細長い凹部９７０を含み、それぞれ第１側壁９５６及び第２側壁９５７
の対向する端部にそれぞれ配置されている。比較により、第２凹部９６７及び第４凹部９
６９は、それぞれ、細長い凹部を有さない第２の形状を共有し、第１側壁９５６、及び第
２側壁９５７の対向する端部に配置されている。さらに、主外側シェル９５２の屋根部９
５４はオリフィス９７１を含むものであり、平坦な内部圧縮構造物９５８は、スナップイ
ンケージナットも含むものであり、スナップインケージナットは、耳延長部９６０が、相
補的なスロット９６２内にあるときにオリフィス９７１とほぼ位置合わせされるねじ付き
内部オリフィス９７２を有することが理解されるであろう。
【０１２９】
図２０を参照すると、図１８の付加的カバー構造物７６７、付加的な保持ブラケット９
８０、保持ボルト９８２、及び一対のワイヤのワイヤテンドン３０２の各々に対するテン
ドン保持構造物７６９の分解斜視一部破断図が提供されている。図２０は、特に、テンド
ン保持構造物７６９が、どのようにワイヤテンドン３０２の対上に配置され得るのか、及
びそのように配置されるとどのようにワイヤテンドンを把持することができるかを示して
いる。より具体的には、まずチャネル９６４がワイヤテンドン２３０の長さとほぼ位置合
わせされるように、テンドン保持構造物７６９をほぼワイヤテンドン２３０同士の間に配
置し、その後、ワイヤテンドンが第１、第２  第３及び第４ワイヤ受容凹部９６６、９６
７、９６８、９６９に嵌合するように、テンドン保持構造を矢印９８４で示す方向を回転
させることにより、テンドン保持構造は、まずワイヤテンドン２３０に配置され得ること
が理解されよう。テンドン保持構造物７６９を回転させて所定の位置に配置するこのプロ
セスは、これに関し、第１及び第３のワイヤ受容凹部９６６、９６８の細長い凹部９７０
により容易となることが理解されるであろう。
【０１３０】
また、ワイヤテンドン３０２上に配置されたテンドン保持構造物７６９によれば、ボル
ト孔９５０の１つがオリフィス９７１の上にあり、特にねじ付き内部オリフィス９７２と
位置合わせされるように、付加的カバー構造物７６７が配置される。さらに、保持ブラケ
ット９８０は、本実施形態では、ブラケットの水平壁部９８６と鉛直壁部９８８のそれぞ
れに配置されている２つのオリフィス９８５を有するＬ字状のブラケットであり、かつ水
平壁部９８６上のオリフィス９８５が、ねじ付き内部オリフィス９７２と位置合わせもさ
れるように位置合わせされている。付加的カバー構造物７６７が屋根部９５４の上にあり
、水平壁部９８６が、付加的カバー構造物の上にあるように、上述のように位置合わせさ
れ配置されたこれらすべての部品により、ボルト９８２は、オリフィス９８５、ボルト孔
９５０、オリフィス９７１を通って、ねじ付きの内部オリフィス９７２内に挿入され得る
。ボルト９８２の締め付けは、ねじ付き内部オリフィス９７２が内部に形成されているケ
ージナットを回転させる効果を有する。したがって、平坦な内部圧縮構造及び凹部９６６
、９６７、９６８、９６９の上面でワイヤテンドン３０２を把持するように、平坦な内部
圧縮構造物９５８を、シェル９５２に対して上方に移動させる。これが起きると、保持ブ
ラケット９８０は、保持ブラケット９８０とテンドン保持構造物７６９との間に付加的カ
バー構造物７６７が挟まった状態でテンドン保持構造物７６９に押し付けられて保持され
る。その結果、最終的にすべての保持ブラケット、付加的カバー構造物、及びテンドン保
持構造は、ワイヤテンドン３０２に頑強に、固定的に接続される。パネルに対するテンド
ン保持構造物７６９の固定機能を考慮して、テンドン保持構造物７６９は、いくつか実施
形態においてデッキ保持クランプと呼ばれ得る。
【０１３１】
図１７Ｅ、及び１７Ｆは、テンドン保持構造物１２００の代替的実施形態を示している
。吊り下げサブシステム１２０のいくつかの実施形態では、ワイヤテンドン２３０はパネ
ル部７５０に対して低く構成されている。係る実施形態では、図１７Ｅ、及び１７Ｆに示
すようなテンドン保持構造物１２００を使用する。テンドン保持構造物１２００は、より
低い位置にあるテンドン２３０を考慮するように細長く形成されている側壁９５６´、９
５７´、及び平坦ではなく、輪郭づけされた内部圧縮構造物９５８´を除いて、本質的に
保持構造物７６９と同じである。
【０１３２】
また、いくつかの実施形態では、テンドン保持構造物１２００は、図１７Ｅ及び図１７
Ｆに示すように、細長い内部圧縮構造物９５８´を含む。重要なのは、細長くするために
は、内部圧縮構造を輪郭づける（９５８´のように）ことは必要ではないことである。図
２０のテンドン保持構造物７６９は、例えば、細長い内部圧縮構造物９５８も含む。図１
１Ｐ、又は１１Ｑに戻ると、細長い内部圧縮構造物９５８／９５８´は、筒状ストラット
内に突出するように設計され、それによってパネル構造物の骨格が形成されていることが
容易にわかる。
【０１３３】
特に保持ブラケット９８０に関して、そのような保持ブラケットは、テンドン保持構造
物７６９及び付加的カバー構造物７６７の任意の１つの実装に対して、任意選択的なもの
に過ぎないことを理解されたい。保持ブラケット９８０は、特に、例えばワイヤテンドン
２３０及び／又はパネル部７５０に対して（又はその一部として）他の構造物を固定的に
取り付けること、例えばガードレールを取り付けることが所望される領域に設けられ得る
。しかし、ここに示す実施形態では、保持ブラケットが存在しないことは、図７Ａ及び７
Ｂから明らかである。保持ブラケットは存在せず、図７Ｂに示されるように、付加的カバ
ー構造物７６７のみがテンドン保持構造物７６９に固定されており、その状態が、図７Ｂ
に特に示されている。しかしながら、図７Ａ及び図７Ｂから特に明らかなように、テンド
ン保持構造物７６９に対する付加的カバー構造物７６７の固定的な接続、及びボルト９８
２による、ワイヤテンドン３０２に対するこれらの構造の両方の固定的な接続のおかげで
、パネル部と重なる縁部８９９に起因して、付加的カバー構造物７６７が、パネル部の隣
接する列同士の間の隙間を埋めるとともに、ワイヤテンドン３０２に対してパネル部を固
定する冗長手段として機能することもできる。
【０１３４】
図１８Ｂ〜１８Ｈを参照すると、付加的カバー構造物は、代替構成を有することができ
、それによって、付加的カバー構造物をテンドン保持構造物７６９なしで使用することが
可能になる。そのような場合、付加的カバー構造物は、デッキパネル同士の間の隙間を覆
うための、隙間フィラーとして機能する。
【０１３５】
図１８Ｂ、１８Ｃ、及び１８Ｄに示すように、付加的カバー構造物１３００の代替実施
形態は、隆起部１３０３を有する第１端部１３０２と、受容開口１３１６を有する第２端
部１３１５と、テンドン係合側壁１３１７とを備えている。
隆起部１３０３は、次に配置されるカバー部１３００の受容開口１３１６と係合するよう
に設計されている。例えば図１８Ｂ、１８Ｃ、及び１８Ｄに示し、かつ図１８Ｂのカバー
部１３００の側面図である図１８Ｃにおそらく最もよく示すように、Ｚ字状の隆起部１３
０３は、付加的カバー構造物１３００の本体から離れたところで、鉛直側壁１３０６に移
行する水平延長部１３０５を含む。鉛直側壁１３０６は、その後、鉛直側壁１３０６から
水平方向に延びている係合隆起部１３０７に移行する。
【０１３６】
図１８Ｂ、１８Ｃ、及び１８Ｄに示された例示的な実施形態では、Ｚ字状の隆起部１３
０３は、付加的カバー構造物１３００から離れるように外方へ傾斜した鉛直側壁１３０６
を有し、かつ水平延長部１３０５と係合隆起部１３０７とが互いに対してほぼ平行である
、ほぼＺ字状の構成を有している。さらに別の例示的な実施形態では、Ｚ字状の隆起部１
３０３は、異なる角度を有する鉛直側壁１３０６を含むことができ、かつ水平延長部１３
０５は、係合隆起部１３０７とほぼ平行以外の関係であってもよい。
【０１３７】
図１８Ｄに示すように組み立てられたとき、第１の付加的カバー構造物１３００のＺ字
状の隆起部１３０３が、付加的カバー構造物１３０１の受容開口１３１６上となるように
、第１の付加的カバー構造物１３００は、すでに設置された付加的カバー構造物１３０１
にほぼ垂直に保持される。    第１の付加的カバー構造物の係合隆起部１３０７が、設置
された付加的カバー構造物１３０１の受容開口１３１６に入ると、係合突起１３０７が、
すでに設置された付加的カバー構造物１３０１の下に延び、鉛直側壁１３０６が、設置さ
れた付加的カバー構造物１３０１の受容開口１３１６に入るように、第１の付加的カバー
構造物１３００は、より水平に近い位置まで回転する。
【０１３８】
第１の付加的カバー構造物１３００が最終的な水平位置まで回転し続けると、ワイヤテ
ンドン３０２は、テンドン係合側壁１３１７に直接的又は間接的に接触する。図１８Ｂ〜
１８Ｄに示す例示的な実施形態においては、テンドン係合側壁は、２つの脚部１３１８を
備え、２つの脚部１３１８のそれぞれは、切り欠き１３１９で分離された、ワイヤテンド
ン凹部１３１２と、これに対応する傾斜側面１３１１とを含む。第１の付加的カバー構造
物１３００は、水平位置に位置し続けるので、ワイヤテンドン３０２は、まず、傾斜側面
１３１１に接触する。傾斜側面１３１１に加えられる圧力が、脚部１３１８を互いに向か
って撓ませ、それによって、第１の付加的カバー構造物１３００がその最終的な水平位置
に位置し続ける際に、テンドン３０２が傾斜側面１３１１を摺動して上昇することが可能
となる。
【０１３９】
第１の付加的カバー構造物１３００がその最終位置に到達すると、Ｚ字状の隆起部１３
０３が完全に受容開口１３１６に係合し、ワイヤテンドン３０２は、テンドン凹部１３１
２の位置に嵌合される。脚部１３１８は、もはや撓んでおらず、付加的カバー構造物１３
００の、テンドン３０２に対する上方への移動が、テンドン凹部１３１２へのテンドン３
０２の係合により防止される。
【０１４０】
隆起部１３０３の代替的な構成は、隆起部１３０３が受容開口１３１６と係合するため
に、異なる配置と回転を必要とすることを理解されたい。
【０１４１】
図１８Ｅ及び１８Ｆは、テンドン係合側壁１３２５を有する第１端部分１３２２と、テ
ンドン係合側壁１３２５を有する第２端部分１３２４とを含む、付加的カバー構造物１３
２０の第２の代替実施形態を示す。
【０１４２】
図１８Ｇ及び１８Ｈは、テンドン係合側壁１３３５と受容開口１３３６を第１端部１３
３４に有し、かつテーパ状本体１３３１を有することにより、第１端部１３３４の幅より
も狭い幅の第２端部１３３２を有する、付加的カバー構造物１３３０の第３の代替実施形
態を示す。以上説明したように、テンドン３０２を係合させるテンドン係合側壁１３３５
と共に付加的カバー構造物１３３０を固定するために、第２端部１３３２が受容開口１３
３６に直接挿入される。
【０１４３】
設置されたとき、付加的カバー構造物の一部が重なっていることが理解されよう。付加
的カバー構造物１３００、１３２０、１３３０は、テンドン３０２と直接的又は間接的に
係合するので、代替的な付加的カバー構造物１３００、１３２０、１３３０を用いた場合
は、テンドン保持構造物７６９は必ずしも必要ではないことをさらに理解されたい。しか
し、付加的カバー構造物１３００、１３２０、１３３０は、いくつかの例、例えば、内点
、すなわち、吊り下げサブシステム１２０の外周に沿っていない点にガードレールを設け
る場合において、テンドン保持構造物７６９と共に使用される。
【０１４４】
図１８Ｂ〜１８Ｈのそれぞれに示されるように、各付加的カバー構造物１３００、１３
２０、１３３０は、中央開口、すなわちボルト孔９５０´を備えている。中央開口９５０
´は、付加的カバー構造物１３００、１３２０、１３３０に追加的な構造物を固定するた
めに使用され得る。追加的な構造物としては、当技術分野において知られており、用いら
れている収容ブラケット、レールポスト、上昇ポスト、及び他の構造物が挙げられるが、
これらに限定されるものではない。図１８Ｂ〜１８Ｈの付加的カバー構造物は、単に構造
物を下方向に、テンドンに対して押し下げ、テンドンが、各テンドン係合部と係合するこ
とを許容することによって、テンドンを把持することが理解されよう。すなわち、付加的
カバー構造物／隙間フィラーを迅速かつ容易に設置するために、可動部品は使用されない
（すなわち、テンドン係合構造の開閉はない）。
【０１４５】
図１８Ｉ〜１８Ｍは、付加的カバー構造物１３００の、さらに他の実施形態を示す。図
１８Ｉ〜１８Ｍに示された例示的な実施形態では、付加的カバー構造物１３００´は、係
合輪郭１３０３´を含む第１端部１３０２´と、第１のクリップスロット１３１０´とを
含む。係合輪郭１３０３´は、図１８Ｉでは、Ｚ字状に屈曲している。図１８Ｉに示され
るように、Ｚ字状の隆起部１３０３は、図１８Ｂ〜１８Ｄを参照して上述したような構造
及び機能において隆起部１３０３とほぼ同様である。付加的カバー構造物１３００´は、
第２の端部１３１５´も含み、第２の端部１３１５´は、複数のＺ字状屈曲スロット１３
１６´及び第２のクリップスロット１３１０´を含む。図示されている例示的な実施形態
では、クリップスロット１３１０´は、クリップスロット１３１０´のいずれかの側に対
で配置された隆起バンプ１３０４´を複数含んでいる。
【０１４６】
図１８Ｊは、付加的カバー構造物１３００´と共に使用されるクリップ１１１１´を示
している。クリップ１１１１´は、把持部１１１２´、首部１１１３´、及びクリップ本
体１１１４´を有する楕円形部品である。図１８Ｋ、及び１８Ｌに関連してさらに詳細に
説明するように、把持部１１１２´がクリップスロット１３１０´を通過できるように、
把持部１１１２´は、クリップスロット´１３１０の寸法とほぼ等しい長さ及び幅を有し
ているが、クリップスロット´１３１０の寸法より少し小さい寸法を有している。同様に
、首部１１１３´は、首部１１１３´がクリップスロット１３１０´内を回転できるよう
な長さ及び幅を有している。クリップ本体１１１４´は、テンドン係合部１１１５´を含
み、それぞれのテンドン係合部１１１５´はテンドン上を摺動し、テンドンを受けるよう
に可撓性を有している。テンドン係合部は、それぞれ２つの脚部１１１６´を備えている
。各々の脚部１１１６´は、下部に傾斜面１１１７´を含み、傾斜面１１１７´と共にテ
ンドン受容開口１１１８´及び柔軟隙間１１１９´を形成する。図１８Ｂ〜１８Ｈの付加
的カバー構造物と同様に、クリップ１１１１´は、可動部品なしに（すなわち、テンドン
係合構造が開閉することなく）テンドンと係合していることが理解されよう。
【０１４７】
図１８Ｋ及び１８Ｌは、組み立てられる前に、クリップ１１１１´が、どのように加的
カバー構造物１３００´をワークプラットフォームシステムと係合させるかを示している
。図１８Ｋに示すように、把持部１１１２がクリップのクリップスロット１３１０´と平
行になるように、クリップ１１１１´は、まず下側からクリップスロット１３１０´内に
挿入される。首部１１１３´がクリップスロット１３１０´内に入るように、クリップ１
１１１´が、クリップスロット１３１０´から突出すると、把持部１１１２´がクリップ
スロット１３１０´に垂直となるように、クリップ１１１１´を回転させる。この目的の
ために、クリップスロット１３１０´内のクリップ１１１１´の自由回転を可能にするた
めに、首部１１１３´は、クリップスロット１３１０´の幅より少し小さい直径を有して
いることを理解されたい。これにより、把持部１１１２´がバンプ１３０４´の対同士の
間に配置される。バンプ１３０４´は、クリップ１１１１´の回転移動を防止する。テン
ドンを係合しながら、クリップ１１１１´の回転を防止するために、隆起したバンプの異
なる構成だけでなく、他の構造物及び装置を使用できることを理解されたい。
【０１４８】
図１８Ｍ及び１８Ｎは、テンドンを利用する付加的カバー構造物１３００ａ´に係合さ
れるクリップ１１１１´を示している。図１８Ｍに示すように、付加的カバー構造物１３
００ｂ´が、テンドンを係合するクリップ１１１１´によって設置されている。付加的カ
バー構造物１３００ａ´は、まずＺ字状屈曲部１３０３´を、付加的カバー構造物１３０
０ｂ´の対応するＺ字状屈曲スロット１３１６´と係合させることによって設置される。
それぞれの付加的カバー構造物１３００ａ´、１３００ｂ´のクリップスロット１３１０
´が重なり合わないことを理解されたい。クリップスロット１３１０´同士は重なり合わ
ず、付加的カバー構造物１３００ａ´及び１３００ｂ´の各クリップスロット１３１０´
は、必要に応じて付加的カバー構造物１３００ａ´、１３００ｂ´をテンドンに固定する
ために使用され得る。
【０１４９】
付加的カバー構造物１３００ａ´が下向きに旋回する際（図１８Ｂ〜１８Ｄを参照して
全体的に説明されたように）、クリップ１１１１´のテンドン係合部１１１５´は、テン
ドン上で位置合わせされる。テンドンは、まず下部の傾斜面１１１７´と係合し、それに
よって各テンドン係合部１１１５´の脚部１１１６´を強制的にわずかに離間する。柔軟
隙間１１１９´は、作業員、又は個人が物理的にテンドン係合部１１１５´又は脚部１１
１６´を操作（すなわち開閉）する必要なく、脚部１１１６´がこのように離間すること
を可能にする。さらに押し込むと、図１８Ｎに示すように、テンドンがテンドン受容開口
１１１８´に入るのに十分に脚部１１１６´が離間する。
【０１５０】
付加的カバー構造物１３００´は、テンドンに直接接触したり、載置されたりしないこ
とを理解されたい。直接ではなく、図に示すように、クリップ１１１１´は、テンドンと
付加的カバー構造物１３００´との間の間接的接続部として機能する。例えば図１８Ｈを
参照して示すように、付加的カバー構造物１３００´は、パネル部７６５と重なり、それ
によって、付加的カバー構造物１３００´上に載置された任意の負荷の少なくとも一部が
、クリップ１１１１´によってパネル部７６５に、直接的ではなく移行されることをさら
に理解されたい。
【０１５１】
図７、７Ａ、及び７Ｂを参照し、また図１２を参照すると、本実施形態では、さらに実
装された吊り下げサブシステム７２０も、ワイヤテンドン２３０の対及び、ワイヤテンド
ン２３０の対上に支持されたパネル部７５０（並びにパネル部の列の間に配置されたカバ
ー部７６７などのカバー部）に加えて、ワイヤテンドンの長さに沿った種々の位置におけ
る吊橋１００のデッキ２２２の下面とワイヤテンドン２３０の対との間に接続される吊り
下げチェーン７９０であって、ワイヤテンドンの長さに沿った種々の位置に設けられる吊
り下げチェーン７９０を含む。吊り下げチェーン７９０は、ワイヤテンドン２３０の対の
各々の長さに沿って間隔をおいて定期的に設けることができ、このような吊り下げチェー
ンの数は状況又は実施形態によって変更することができる。図１２は、少なくとも第４対
のワイヤテンドン３０４に沿って配置された２つの吊り下げチェーンを特に示している。
この第４対のワイヤテンドン３０４上には、３列目のパネル部７５３及び４列目のパネル
部７５４が支持されている。３列目のパネル部７５３及び４列目のパネル部７５４は、こ
れらの列のそれぞれが（他の列７５１、７５５、７５６、７５７、及び７５８とは異なり
）第４対のワイヤテンドン３０４の全長に沿って実装されたパネル部７５０を含む点で、
完全に完成している。
【０１５２】
図１２に明示していないが、吊り下げチェーン７９０の１つ以上が、ワイヤテンドン２
３０の対の各々に関して（例えば、図７の例では対のワイヤテンドン３０１、３０２、３
０３、３０４、３０５、３０６、３０７、３０８、及び３０９それぞれに関して）設けら
れていることを理解されたい。特定のワイヤテンドン２３０の対に沿った吊り下げチェー
ン７９０の各々は、通常、作業員が、各吊り下げチェーンを取り着けるべき各位置まで歩
いて行くことを可能にするために、十分な数のパネル部７５０がそのワイヤテンドンの対
に設置されている場合に限り、ワイヤテンドンの対上に設置される。ワイヤテンドン２３
０の対の各々に沿った吊り下げチェーン７９０の数は同一であってもよく、ワイヤテンド
ンの対の各々に沿った吊り下げチェーン７９０の相対的な間隔は、本実施形態では同一で
あるが、これは、すべての実施形態において同様である必要はない。例えば、別の代替的
実施形態では、吊り下げチェーン７９０は、１対のワイヤテンドンの長さに沿っては第１
の間隔で設けられ、別の対のワイヤテンドンの長さに沿っては異なる間隔で設けられ得る
。
【０１５３】
さらに図示されているように、吊り下げチェーン７９０をワイヤテンドン２３０の対に
接続するために、本実施形態では、吊り下げ構造物８００が使用され、その１つが図７Ａ
及び図７Ｂのそれぞれに示されており、他のものが図１２に示されている。さらに、これ
に関して図１３Ａ及び１３Ｂを参照すると、吊り下げ構造物８００の特定の特徴部を説明
するために、吊り下げ構造物８００の１つの分解斜視側面図、及び吊り下げ構造物８００
の平面図がそれぞれ示されている。図示されるように、吊り下げ構造物８００は、側縁８
０４同士の間に延びる上部の平坦な（又はほぼ平坦な）表面８０２を有し、さらに、吊り
下げ構造物８００の第１端部及び第２端部８０８の各々に配置され、下方に延びるブラケ
ット延長部８０６を備えている。パネル部７５０のワイヤテンドン支持延長部７７０と同
様に、各々のブラケット延長部８０６は、例えば図７Ｂに示すように、ワイヤテンドンの
対に関して、吊り下げ構造物８００が所定の位置に配置されるように、所与のワイヤテン
ドン２３０の対のワイヤテンドン上を覆い、ワイヤテンドンを受けるように意図された凹
部８１０のそれぞれの対を含む。また、上平坦面８０２は、側縁８０４同士の間の幅が、
付加的カバー構造物７６７とほぼ等しい。付加的カバー構造物７６７は、上述したように
、複数のパネル部の列のうち、隣接するパネル部７５０の間に延びるように設けられ得る
。したがって、吊り下げ構造物８００の上平坦面８０２は、パネル部のうち、特に、吊り
下げ構造物が配置されたワイヤテンドン２３０の対に沿った位置において、隣接する列の
隣接するパネル部間の隙間を埋めることと同様の目的に役立つ。
【０１５４】
さらに、図示するように、吊り下げ構造物８００は、上ハンドル部８１２を有する本体
８０１を備える。上ハンドル部８１２は、上平坦面８０２の大部分に沿って上平坦面８０
２と重なる平面部８１４を含み、さらに２つの上方に延びるハンドル部８１６を含む。ハ
ンドル部８１６は、平面部８１４から斜め上方に延び、すなわち両方が上平坦面８０２か
ら離れるように上方に延び、吊り下げ構造物８００のそれぞれの側縁８０４に向かって概
して外側に延びている。各ハンドル部８１６は、各スロット８１８を含み、この各スロッ
ト８１８によって、吊り下げ構造物８００を実装する作業員は、吊り下げ構造物を把持す
ることができる。さらに図示するように、平面部８１４だけでなく上平坦面８０２は、３
つの追加の孔、又はオリフィス、すなわち、円形状の第１及び第２の端部オリフィス８２
０、並びに楕円状の中間オリフィス８２２を含む。端部オリフィス８２０は、それぞれ、
中間オリフィス８２２の対向する端部に近接し、かつ中間オリフィス８２２の対向する端
部のそれぞれと、平面部８１４の外側端部８２４の両端部との間にある。さらに、同じく
円形状でオリフィス８２０よりも小径の付加的オリフィス８２６が、上平坦面８０２のブ
ラケット延長部８０６に近接して配置されている。各付加的オリフィス８２６は、概略的
には平面部８１４の外側端部８２４のそれぞれの側に配置されている。
【０１５５】
図示されているように、中間オリフィス８２２は、中央領域８２１、端部スロット領域
８２３、中間横方向スロット領域８２５を含んでいる。これらの領域は、中間オリフィス
が取付特徴部として役立つことを可能にする。この取付特徴部によって、吊り下げチェー
ン７９０のうちの１つ（又は任意選択的に１より多い）を、吊り下げ構造物８００に取り
付けることが可能となる。図１３Ａ及び図１３Ｂに詳細に示されていないが、吊り下げチ
ェーン７９０の１つは、吊り下げチェーンの自由端を中間オリフィス８２２の中央領域８
２１に挿入し、次いで、端部スロット領域８２３のうちの１つの上で、かつその内部に吊
り下げチェーンを摺動させることによって、取り付けられ得ることを理解されたい。吊り
下げチェーン７９０が、端部スロット領域８２３のうちの１つの内部に配置されると、吊
り下げチェーン７９０がそのスロット領域に保持されたままとなるように、吊り下げチェ
ーン保持ピン（不図示）が、当該端部スロット領域に隣接した１つの横方向スロット領域
８２５内に配置される。吊り下げチェーン７９０及び中間オリフィス８２２（特に、端部
スロット領域８２３）のサイズ及び構成は、適切な横方向スロット領域内に保持ピンを適
切に配置したら、吊り下げチェーンが、吊り下げ構造物８００の本体８０１に効率的に係
止され、端部スロット領域８２３内の保持ピンの位置から鉛直方向又は横方向に摺り出る
ことを不可能にする。この係止システムは、効率的に吊り下げ構造物８００を吊り下げチ
ェーン７９０に効果的に固定する。さらに、いくつかの実施形態では、設置者を視覚的に
助けて、保持ピンが設置されていることを確実にするために、付加的な「ジップタイ」又
は他のタグ型構造を、保持ピン内の孔と、吊り下げチェーン７９０の隣接部分との間に配
置することができる。
【０１５６】
中間オリフィス８２２とは対照的に、オリフィス８２０及び８２６は、第１及び第２の
把持部（留め付け部）８３０を、吊り下げ構造物８００の本体８０１に組み立てること可
能にする。その際、吊り下げ構造物が１対のワイヤテンドン２３０のワイヤテンドンを把
持することを可能にし、これらワイヤテンドンに対して吊り下げ構造物を係止することを
可能にするような組み立てが可能となる。ワイヤテンドンに対する吊り下げ構造物の係止
は、吊り下げチェーン７９０によって提供される張力をワイヤテンドンにかけることがで
き、これらのワイヤテンドンをデッキ２２２に対して所定の位置に保持できるように行わ
れる。より具体的には、図示するように、各把持部８３０は、中央位置８３６から水平延
長部８３４に沿って上方に延びる中央ポスト８３２を含む。水平延長部８３４は、中央位
置から、互いに反対方向に外方に延びている。さらに、図示されているように、各把持部
８３０は、中央位置８３６及び中央ポスト８３２から半径方向にオフセットしており、中
央ポストよりも直径が小さい付加的ポスト８３８も備えている。より具体的には、図示す
るように、水平延長部８３４の端部８４０が、中央ポスト８３２に対してどの程度近くに
配置されているかと比較して、付加的ポスト８３８の位置は、中央ポスト８３２に対して
比較的近い。ただし、付加的ポスト８３８の位置は、端部８４０同士の間に延びる中央軸
８４２からオフセットしている（すなわち、中央軸８４２から横方向にシフトしている）
。
【０１５７】
１対のワイヤテンドン２３０に対する吊り下げ構造物８００の実装は、まず、２つのそ
れぞれの把持部８３０のそれぞれの中央ポスト８３２を本体８０１の各端部オリフィス８
２０内に本体の下から挿入することで進行する。その際、把持部が、図１３Ｂに示すよう
な開始方向８４３となるように、把持部の両方が、回転した状態で、中央軸８４２と軸方
向に位置合わせされている。中央ポスト８３２が端部オリフィス８２０に挿入されると、
中央ポスト８３２は、本体８０１に対して把持部８３０を保持するために、ナット８４４
によって本体８０１に接続される。このように方向付けられた把持部８３０によれば、当
該対のワイヤテンドン２３０に吊り下げ構造物８００（吊り下げ構造物８００には、上述
のように吊り下げチェーン７９０がすでに接続されていてもよい）を設置することが可能
となる。その結果、ワイヤテンドン２３０は凹部８１０内に進行する。中央軸８４２と位
置合わせされた開始方向８４３における把持部８３０の両方の位置合わせによって、把持
部が、所定の一対のワイヤテンドンのテンドン間にまず摺り込むことが可能になる。
【０１５８】
上述したように、吊り下げ構造物８００が、当該対のワイヤテンドン２３０に対して所
定の位置になると、把持部８３０は、付加的ポスト８３８（特に先端／ヘッド）が、付加
的オリフィス８２６と位置合わせされるまで、さらに９０度（９０°）回転する。本実施
形態では、回転は矢印８４６で示すように時計回りに行われる。この回転はトルクボルト
によって達成され得る。この回転が行われると、把持部８３０が本体８０１に向かって上
方に動き、かつ把持部と本体との間に延びる当該対のワイヤテンドン２３０を固定的に把
持するように、ナット８４４をさらに締め付けることができる。
各把持部８３０の、水平延長部８３４の上縁に沿って形成された凹部８４８は、さらにワ
イヤテンドンが、このように把持されることを可能にする。吊り下げ構造物８００の設置
手順、及びテンドンを把持して吊り下げチェーンを固定する機能を考慮すると、吊り下げ
構造物８００は、いくつかの実施形態では、吊り下げクランプと呼ぶことができる。
【０１５９】
理解されるであろうように、吊り下げチェーン７９０は、吊り下げ構造物８００によっ
て、支持サブシステム１３０の部分１３２、１３４（例えば、２つの塔１４０にそれぞれ
配置された２つの部分）同士の間の位置において、さらに実装された吊り下げサブシステ
ム７２０の支持を強化するのに役立つ。部分１３２、１３４には、さらに実装された吊り
下げサブシステム７２０及びそのワイヤテンドン２３０の端部が接続される。そのような
支持の強化は、支持サブシステム１３０を、その長さに沿って平坦（又はほぼ平坦）に保
ち、その長さに沿って生じるうねりを除去又は減少させるのに役立つ。また、特に図７Ｂ
を参照すると、把持部８３０（及び水平延長部８３４）を有する吊り下げ構造物８００も
、パネル部７５０を保持するのを助けるのに役立つ。図７Ｂから明らかなように、吊り下
げ構造物８００の１つに関連して実装される場合には、パネル部７５０は、吊り下げ構造
物の上平坦面８０２の側縁８０４の下方に延びている。また、図７Ｂに示すように、吊り
下げ構造物８００の側縁８０４の下に延びているパネル部７５０に加えて、吊り下げ構造
物８００の把持部８３０（及びその水平延長部８３４）が所定の位置に回転するとき、吊
り下げ構造物８００の把持部８３０は、パネル部７５０（特にその端部ストラット７６４
）が水平延長部８３４の端部８４０との側縁８０４との間に位置するように配置される。
したがって、水平延長部８３４は、パネル部７５０の保持を補助することに役立つ。
【０１６０】
図１４Ａ及び図１４Ｂは、吊り下げ構造物１４００の代替実施形態を示す。以下でさら
に詳細に説明するように、代替的な吊り下げ構造物１４００の種々の変形例は、図１３Ａ
及び図１３Ｂの吊り下げ構造物８００とは独立して使用され得ることを理解されたい。例
えば、吊り下げサブシステム８８０のいくつかの実施形態では、ワイヤテンドン２３０は
パネル部７５０に対して低く構成されている。そのような実施形態では、テンドン２３０
が低い位置にあることを原因として、細長いブラケット延長部８０６´を有する、図１４
Ａに示すような吊り下げ構造物１４００を用いることができる。テンドン２３０が低い位
置にあることを原因として、種々の表面（すなわち、８３４´、８４０´）をさらに変化
させることも必要となる場合がある。
【０１６１】
図１４Ａも、テンドン２３０と係合させるために把持部８３０´を締め付ける代替的な
構造を示す図である。図示されている実施形態では、把持部８３０から上方に向けて突出
しており、かつナット８４４で本体８０１に固定する中央ポスト８３２を使用する代わり
に、吊り下げ構造物１４００は、本体８０１´を通って下方へ延びるボルト８３２´を使
用する。ナット８４４´は、把持部８３０´の下のボルト８３２´に固定されている。
【０１６２】
図１４Ａ及び図１４Ｂに示すように、ボルト８３２´は、ナット８４４´がボルト８３
２´のねじ部８３２ｂ´の周りを回転する際に、把持部８３０´がボルト８３２´上を容
易に摺動することを可能にするねじなし部分８３２ａ´、を含む。ナット８４４´が、ボ
ルト８３２´に締め付けられると、把持部８３０´は上方に向かって動かされ、テンドン
２３０が固定される。ナット８４４´がボルト８３２´から緩められると、把持部８３０
´は下方に緩められてテンドン２３０を開放する。ナット８４４´が完全に緩められると
、ボルト８３２´の第２のねじなし部分８３２ｃ´の周りにナット８４４´が配置される
。
【０１６３】
また、ボルト８３２´は、ロールピン８３７ａ´によってボルト８３２´に接続される
下部ワッシャ８３７ｂ´を含む。ロールピン８３７ａ´は、ナット８４４´がボルト８３
２´から係合解除されることを防ぐ。図示されている実施形態では、ばね８３９´が、ワ
ッシャ８３７ｂ´とナット８４４´の間に配置されている。ばね８３９´は、ボルト８３
２´のねじ部８３２ｂ´に抗して押し上げられた状態でナット８４４´を維持し、それに
よってねじ部８３２ｂ´が再び係合することがより容易になる。しかし、ばね８３９´は
、他の例示的な実施形態において省略することができ、下部ワッシャ８３７ｂ´は、追加
又は代替の構造を用いてボルト８３２´に固定され得る。
【０１６４】
把持部８３０´は、図１４Ａ及び図１４Ｂに示される実施形態における吊り下げ構造物
１４００の本体８０１´から取り外しできないことを理解されたい。これによって、ワー
クプラットフォームアセンブリの組み立てをより容易にすることができ、部品の紛失を防
ぐことができる。吊り下げ構造物１４００の設計はまた、ワークプラットフォームアセン
ブリの上方から、吊り下げ構造物１４００をテンドン２３０に取り付けることを可能にす
る。
【０１６５】
ここで図２１〜２５を参照すると、図１、３、７等に示したワークプラットフォームシ
ステムのいくつかの実施形態において、付加的部品、例えばトーボード及びレールを、ワ
ークプラットフォームシステム及びパネル部７５０に組み込むことができる。例えば、図
２１は、例示的なレールポスト２０００を有するパネル部７５０及び、トーボードフレー
ム２５００への設置準備ができた状態のトーボード２７００を有するトーボードフレーム
２５００を示す。図２２は、トーボードフレーム２５００をより詳細に示す。
【０１６６】
図２１は、例示的なレールポスト２０００を示す。レールポスト２０００は、図示の実
施形態では、２つのレールシステム固定構造物２００２を含む方形中空ポストである。レ
ールシステム固定構造物２００２は、図示した実施形態ではループ構造である。さらなる
実施形態において、レールポスト２０００は任意の形状を有することができ、レールシス
テム固定構造物２００２は、レールシステムを固定するために設計された任意の構造とす
ることができる。例えば、チェーン、ロープ又は他の材料を、ループ状構造２００２に通
して、レールシステムを形成することができる。
【０１６７】
図２１は、トーボードフレーム２５００への設置準備ができたトーボード２７００を示
している。トーボード２７００は、トーボードフレーム２５００の形状に対応するように
輪郭づけされており、レールポストマウント２４００の開口２４０６に対応する固定用開
口２７０１を有している。ボルト２７０２は、開口２７０１、２４０６を係合させること
によって、トーボード２７００を固定トーボードフレーム２５００に固定するために使用
される。しかし、さらに別の例示的な実施形態では、異なる固定機構及び固定構造を使用
できることが理解される。
【０１６８】
図２１及び図２２Ａに示すように、トーボードフレーム２５００は、２つのパネル係合
用延長部２５０５を有し、方形筒状材料からなる屈曲フレーム２５０２及びレールポスト
支持部材２５２０である。パネル係合用延長部２５０５は、パネル部７５０のストラット
７６０内に挿入するように構成されている（図８、図９、図１０参照）。中央ブレース２
５１０は、トーボード及び／又はレール２０００を取り付けるための固定フランジ２５１
５を有し、固定フランジ２５１５は、フランジ２５１５の底部に設置されたケージナット
（不図示）を含む。トーボードフレーム２５００はまた、パネル部７５０のテンドン延長
部７７０の開口２５０３に対応した開口２５０４を有する。付加的固定部品（すなわち、
ジップタイ、ボルト等）は、トーボードフレーム２５００をパネル部７５０にさらに固定
するために任意選択的に用いることができる。
【０１６９】
図２２Ｂは、トーボードフレーム２５００´の代替的な実施形態を示す。図２２Ｂに示
す実施形態では、トーボードフレーム２５００´は、開口２５０４に代えて、２つのボタ
ン２５８０を備えている。ボタン２５８０は、単一の隆起部２５８２を各端部に有する可
撓性金属２５８４の屈曲部から構成されている。隆起部２５８２が、水平延長部２５０５
の孔の外へ延びるように、ボタン２５８０は、水平延長部２５０５内に挿入される。ボタ
ン２５８０は、パネル部７５０のテンドン延長部７７０の開口２５０３と係合する。
【０１７０】
以上説明した実施形態では、ボタン２５８０は、各端部に隆起部を含む可撓性金属の屈
曲部として具体的に説明されているが、トーボードフレーム２５００´の水平延長部２５
０５から外向きに延びる可動隆起部を提供するために、異なる材料及び構造を使用できる
ことを理解されたい。例えば、当技術分野において知られているスプリング式ピン、ボー
ルロック、摩擦嵌合部品、及び他の構造及び装置のような他の構造である。
【０１７１】
図２３は、トーボードフレーム２５００と共に使用するための例示的なレールポストマ
ウント２４００を示す。レールポストマウント２４００は、前板２４０２、第１の側板２
４１２、及び第２の側板２４２２を備えている。レールポスト２０００の外形寸法に対応
する内部寸法を有する後方チャネル２４５０を形成するために、側板２４１２、２４２２
は、一定の距離だけ離れている。レールポスト２０００をレールポストマウント２４００
に固定するために、側板２４１２、２４２２は、レールポスト２０００の開口／輪郭線に
対応する複数の開口及び／又は輪郭線を含む。そして、レールポスト２０００は、当技術
分野において知られているボルト、つなぎ材、又は任意の他の構造物又は装置を使用して
チャネル２４５０内に固定することができる。
【０１７２】
図２４に示すような、いくつかの実施形態では、レールポスト２０００は、１以上のス
プリング式ピン２００５を有し、チャネル２４５０は、チャネル２４５０内におけるレー
ルポスト２０００の種々の配置に対応する複数の開口を含む。スプリング式ピンを用いる
と、対応する開口からピンを係合解除するために、単に、ピンを押下すること、及びピン
が開口に再び係合するまで、レールポスト２０００を上下に摺動させることによって、レ
ールポスト２０００をチャネル２４５０内で容易に上下に移動させることが可能になる。
さらなる実施形態において、スプリング式ピン２００５又は他の固定機構に加えて、又は
単独の固定機構として、１以上のキャリッジボルト２００８を用いて、レールポスト２０
００をレールポストマウント２４００に固定することができる。
【０１７３】
前板２４０２は、開口２４０６を有する底部２４０３と鉛直面２４０７と含む。底部２
４０３は、垂直板２４０４に移行し、その後フック２４０５に移行する。チャネル２４５
０が３つの側面、上面、底面、及び開いているチャネルの一側面で閉じられるように、垂
直板２４０４は、チャネル２４５０の第３壁を形成する。
【０１７４】
図２１に示すように、レールポストマウント２４００がトーボードフレーム２５００に
固定されると、開口２４０６が、固定フランジ２５１５の開口２５１６と位置合わせされ
、フック２４０５がトーボードフレーム２５００の上面部２５０２上に固定されるように
、鉛直面２４０７が中央ブレース２５１０に接する。その後、レールポストマウント２４
００及びトーボードフレーム２５００は、当技術分野で知られているボルト、つなぎ部材
、又は他の任意の構造物又は装置を使用して開口２４０６、２５１６にさらに固定される
。いくつかの例示的な実施形態では、トーボードフレーム２５００は、フランジ２５１５
の下方の中央ブレース２５１０上にケージナットを含むことができる。レールポストマウ
ント２４００が、トーボードフレーム２５００に固定されると、鉛直面２４０７は、フラ
ンジ２５１５の下方であって、ケージナットの上方の中央ブレース２５１０に接する。レ
ールポストマウント２４００を固定トーボードフレーム２５００に固定するために、ナッ
トはまずフランジ２５１５の開口２５１６を通り、その後レールポストマウント２４００
の底部２４０３の開口２４０６を通り、最終的にケージナットと係合する。
【０１７５】
さらなる態様では、底部２４０３は、開口２４０６及びスプリング式ピン２４０９を含
む。レールポストマウント２４００がトーボードフレーム２５００に接続されたとき、鉛
直面２４０７がフランジ２５１５の下に摺動する際にスプリング式ピン２４０９が押下さ
れる。スプリング式ピン２４０９が、フランジ２５１５の対応する開口２５１６と位置合
わせされると、スプリング式ピン２４０９は開口２５１６に係合し、レールポストマウン
ト２４００をトーボードフレーム２５００に固定すること、及びレールポストマウント２
４００をトーボードフレーム２５００と位置合わせすることに役立つ。
【０１７６】
図２５は、付加的カバー構造物１３００と共に所定の位置に設置されたパネル部７５０
を有する例示的なワークプラットフォームシステムを示す図である。トーボード２６００
は、トーボードフレーム２５００に固定されている。図示の例示的な実施形態では、レー
ルポスト２０００も、４つのトーボード２６００ごとに１つ含まれている。しかし、別の
実施形態では、より多くの又はより少ないレールポスト２０００を用いることができ、上
述したようにレールポスト２０００はトーボード２６００からポイント内部の点に配置す
ることができる。
【０１７７】
図２５は、ほぼ６つのトーボード２６００のそれぞれの位置に配置された吊り下げ構造
物８００も示している。しかし、より多数又はより少数の吊り下げ構造物８００を使用す
ることができ、吊り下げ構造物８００は、トーボードに沿って任意の間隔で配置され得る
ことを理解すべきである。図１３Ａ及び図１３Ｂを参照してより詳細に説明するように、
吊り下げ構造物８００は、パネル部７５０同士の間に設置されると、吊り下げ構造物８０
０がパネル部７５０同士の間の隙間を埋めるように作用するような幅を有し、パネル部７
５０に載置された吊り下げ構造物８００の側縁８０４によって、その位置に安定化される
。外装パネル部７５０に用いた場合には、吊り下げ構造物８００を安定化させるために単
一のパネル部７５０のみがある。第２のパネル部７５０の代わりに、吊り下げ構造物はト
ーボードフレーム２５００の中央のブレース２５１０を使用する。
【０１７８】
図２６〜２９は代替的な別の部品、トーボード及びレールシステム等を示している。例
えば、図２６は、固定フランジ２５１５”及びレールポストマウント２４００”を有する
代替的なトーボードフレーム２５００”を示している。図示されているように、トーボー
ドフレーム２５００”は、方形筒状材料からなる屈曲フレーム２５０２”である。屈曲フ
レーム２５０２”は、パネル部７５０のストラット７６０／７６０´内に挿入するように
構成された２つのパネル係合延長部２５０５”と、レールポスト支持部材２５２０”とを
含む。トーボードフレーム２５００、２５００´とは異なり、トーボードフレーム２５０
０”は、上方鉛直屈曲部を含んでいない。中央ブレース２５１０”は、トーボードを固定
するための開口２４０６”を有する固定フランジ２５１５”と、レールポストを固定する
ためのレールポストマウント２４００”とを含む。トーボードフレームもまた、図２２Ａ
及び図２２Ｂを参照して上述したように、パネル部７５０上の開口２５０３”に対応する
開口２５０４”及び／又はボタン２５８０”を含む。
【０１７９】
図２６に示すように、レールポストマウント２４００”は、レールポスト２０００”（
図２８Ａ）の外径よりもわずかに大きい内径を有する円形筒状構造物であり、内径は材料
筒状構造物である。レールポストマウント２４００”は、レールポストマウント２４００
”内にレールポスト２０００”を固定するために、レールポスト２０００”上に開口及び
／又はボタンに対応する開口２４１０”を含んでいる。レールポスト２０００”の鉛直方
向の配置を調整可能とするために、レールポストマウント２４００”には底面がないこと
を理解されたい。
【０１８０】
さらに、図２６に示すように、固定フランジ２５１５”は、可撓性レールシステム、例
えばチェーンと共に使用されるレールシステム固定用開口２５１２”も含む。
【０１８１】
図２７はトーボードフレーム２５００”と共に用いるための、例示的なトーボード２７
００”を示している。トーボードフレーム２７００は、トーボードフレーム２５００、２
５００´に対応するように特に輪郭づけられたが、トーボードフレーム２７００”は、同
様にトーボードフレーム２５００”に対応するように輪郭づけられる。図示されているよ
うに、トーボード２７００”は、ボルト（不図示）を用いてトーボード２７００”を固定
するために、トーボードフレーム２５００”の固定フランジ２５１５”に、開口２４０６
”に対応する開口２７０１”を含んでいる。
【０１８２】
図２８Ａ及び図２８Ｂは、レールポスト２０００”を詳細に示す。図示されているよう
に、レールポスト２０００”は、複数の開口及び／又はボタン２００１”を含む筒状ポス
トである。開口／ボタンの第２のセットが、図示された開口／ボタンと正反対に配置され
るように、開口及び／又はボタンは、対応するペアで生じることを理解すべきである。レ
ールポスト２０００”をレールポストマウント２４００”に固定するとき、対応する一対
の開口／ボタンが、レールポストマウント２４００”の開口２４１０”と位置合わせされ
ており、レールポスト２０００”が所定位置に固定されている。複数の開口／ボタン対を
レールポスト２０００”に設けることにより、レールポストは、レールポストマウント２
４００”内で鉛直方向に調整可能である。
【０１８３】
また、レールポスト２０００”は、チェーンレールシステム（図２９参照）と共に使用
するために特に設計されたレールシステム固定構造物２００２”を含む。レールシステム
固定構造物２００２”は、図２８Ｂにより詳細に示されている。レールシステム固定構造
物２００２”は、レールのレールポスト２０００”に固定された本体２００２ａ”を含み
、と２つの対応するチェーンスロットの対２００２ｄ”／２００２ｅ”を含んでいる。グ
ラビティラッチ２００２ｂ”は、レールポスト２０００”から離れた端部において本体２
００２ａ”に旋回可能に接続されている。チェーンレールをレールポスト２０００”に固
定するために、チェーン（又はストリング又は他の可撓性レールシステム）がグラビティ
ラッチ２００２ｂ”上に、所望のチェーンスロット２００２ｄ”又は２００２ｅ”に押し
下げられる。ラッチ本体２００２ｇ”が上方に移動させられる際に、グラビティラッチ２
００２”の側部延長部２００２ｆ”は、下方に回転させられる。  グラビティラッチ２０
０２”は、旋回点２００２ｃ”を中心に旋回する。チェーン又は他のレール材料が側部延
長部２００２ｆ”を通り過ぎると、グラビティラッチ２００２”が、ラッチ本体２００２
ｇ”（グラビティラッチ２００２”の質量の大部分を含む）を元に戻すように落下させる
。それによって、側部延長部２００２ｆ´が上方に移動させられ、従って、チェーンスロ
ット２００２ｄ”／２００２ｅ”を閉じる。
【０１８４】
図２９は、代替的なトーボードフレーム２５００”、レールポスト２０００”、及びト
ーボード２７００”が使用され、可撓チェーンのレールシステム２８００”が設置されて
いることを除いて、図２５と同様の例示的なワークプラットフォームシステムを示す。図
示されている例示的な実施形態において、可撓性チェーンが１つのレールポスト２０００
”から次のレールポスト２０００”に延び、かつ第１のレールポスト２０００”の固定構
造物２００２”からフランジ２５１５”（図２６参照）の固定用開口２５１２”（図２６
）まで斜めに延びた状態で、可撓チェーンレールシステム２８００”は、上レール固定構
造物２００２”のチェーンスロット２００２ｄ”、２００２ｅ”の両方を使用する。各レ
ールポスト２０００”上の第２の下部レール固定構造物２００２”は、第２のレールシス
テムのために利用可能なままである。
【０１８５】
図１、３、７等に示したワークプラットフォームシステムの一実施形態は、吊り下げサ
ブシステムが、支持サブシステム１３０の部分１３２、１３４の間にほぼ水平にだけに延
びることが意図されているのではなく、吊橋１００自体がほぼ直線構造であることに起因
して、ほぼ直線状に延びることも意図している。ワークプラットフォームシステムの他の
実施形態は、吊り下げサブシステムが非直線状に実装することもでき、又はそのように実
装することが必要とされる場合もあるだろうことに留意されたい。非直線状に実装すると
は、例えば、図３０に示す吊り下げサブシステム９９５によって概略的に示すように湾曲
状に実装することである。この種の非直線状の実装は、特殊な実装懸念を生じさせる場合
がある。これは、図３０に示すように、例えば、異なる列からのパネル部は、例えば、位
置９９７で示すように、位置合わせされた、又は「一致した」特定の位置に配置すること
ができるが、位置９９９などの他の位置では、パネル部は、もはや位置合わせされておら
ず、「一致した」位置にないためである。この配置およびこれ自身は、常に困難を生じる
ものではないが、位置が一致していないパネル部が、吊り下げチェーン７９０の設置を許
容するために、所望の吊り下げ構造物８００に嵌合されることを困難にする場合には、困
難が生じる場合がある。しかしながら、このような困難は、異なる列のパネル部間の位置
合わせの再設定を可能にする種々のサイズのパネル部を使用することによって軽減するこ
とができる。例えば、図３０の位置９９７におけるパネル部の列同士の再位置合わせは、
ある列のパネルであって、その他で利用されている標準サイズの列パネルの長さの半分の
長さを有する列パネルを１つの列に導入することにより達成することができる。
【０１８６】
以上のことから、図１及び図３の部分的に完成した吊り下げシステム１２０に対して、
図７及び図１２のさらに実装された吊り下げサブシステム７２０は、部分的に完成した形
態であることを理解されたい。すなわち、パネル部７５０、吊り下げチェーン７９０、吊
り下げ構造物８００、及びカバー部７６７の一部は、図７及び１２に関連して実装される
ように示されているが、それでも、ワイヤテンドン２３０の対に沿って、パネル部及び上
記の他の部品がまだ設置されていない領域が残されている。より具体的には、図７は、パ
ネル部の列７５３、７５４が、パネル部の列のワイヤテンドンの対３０４の全長であって
、パネル部のこれらの列の間にわたって延びるパネル部７５０の完全に完成した列であり
得ることを示唆しているが、図示のように、パネルのその他の列７５１、７５２、７５５
、７５６、７５７、７５８はさらなるパネル部７５０の設置を必要としている。
【０１８７】
上記の説明にもかかわらず、ワイヤテンドン２３０のすべての対の全長に沿ってパネル
部７５０、カバー部７６７、吊り下げチェーン７９０、及び吊り下げ構造物８００がさら
に追加されると、さらに実装された吊り下げサブシステム７２０は、最終的には、全体的
に実装された状態を得るために修正され得ることが、図７及び１２から理解されるであろ
う。より具体的には、図１５に示すように、このプロセスが完了した結果、図示されるよ
うに、吊橋１００に設けられた完全に実装されたワークプラットフォームシステム８６０
が得られる。ここで、完全に実装されたワークプラットフォームシステムは、吊橋の２つ
塔１４０に取り付けられている支持サブシステム１３０の２つの部分１３２、１３４を含
む（図７を参照して説明したように）だけでなく、この支持サブシステムの２つの部分間
に延びる完全に実装された吊り下げサブシステム１２０を含んでいる。ここで、完全に実
装された吊り下げサブシステム１２０は、その長さに沿って、吊橋のデッキ２２２に接続
されている吊り下げチェーン７９０のうちの複数のものを含む。
【０１８８】
さらに特にこの点において、図７、７Ａ、７Ｂ、及び１２に関連して提供される説明か
ら、さらに実装された吊り下げサブシステム７２０は、以下の方法によって、完全に実装
された吊り下げサブシステム８８０を得るために修正され得ることが明らかであろう。方
法は、特に、（ａ）列７５１、７５２、７５３、７５４、７５５、７５６、７５７、及び
７５８の各々が、２つの塔１４０に装着された支持サブシステム１３０の２つの部分１３
２と１３４の間の距離のすべて、又はほぼすべてに延びるパネル部の全セットを含むよう
に、ワイヤテンドン２３０の対の全長に沿ってパネル部７５０の追加のものを配置するこ
と、ｂ）吊橋１００のデッキ２２２と、ワイヤテンドン２３０との間の、十分な又は適切
な数の吊り下げチェーン７９０を、対応する吊り下げ構造物８００であって、ワイヤテン
ドン２３０に対してパネル部７５０を所定の位置に保持することにも役立つ吊り下げ構造
物８００によって接続すること、及び（ｃ）吊り下げ構造物８００の存在にもかかわらず
、パネル部の列７５１、７５２、７５３、７５４、７５５、７５６、７５７、及び７５８
の間に存在する隙間を排除するためにこれらの列の間に付加的カバー構造物７６７を提供
することを含む。
【０１８９】
図１５の、完全に実装されたワークプラットフォームシステム８６０の実装／設置／建
設ステップをさらに説明するために、フローチャート９００が、さらに図１６に示される
。このフローチャートは、そのようなステップを、本開示の例示的な実施形態に従って示
す。フローチャート９００のステップは、図１〜１５及び１６〜２６に関して行われた説
明にほぼ対応していることが理解されるだろう。
【０１９０】
図示されているように、開始ステップ９０２で始まるプロセスは、まず、支持サブシス
テム１３０などの支持サブシステムを組み立てる／設置するステップ９０４を含む。ステ
ップ９０４は、構造物の一端において支持サブシステムの第１部分（例えば、第１部分１
３２）を組み立て、固定する第１のサブステップ９０６と、構造物の別の端部において支
持サブシステムの第２部分（例えば、第２部分１３４）を組み立て、固定する別のサブス
テップ９０８とを含む。サブステップ９０６及び９０８において、支持サブシステムの各
部分の設置及び固定は、必要に応じて任意の適切な吊り下げ構造物、アンカー構造物、及
び／又は突っ張り構造物を実装することを含むこと、並びにそのような設置及び固定は、
望ましい高さ、又は高さ位置（例えば、地表面上の所望の距離）で行われることが理解さ
れるであろう。
【０１９１】
少なくともいくつかの実施形態によれば、サブステップ９１０も実行される。サブステ
ップ９１０は、支持サブシステムの各部分に（例えば、支持サブシステムの部分の前縁に
）、アダプタブラケット（不図示）などの構造物を用意して設置することを含む。このサ
ブステップは、上述したワイヤテンドン２３０の対などの可撓性要素に接続されるべき、
それぞれの支持サブシステムの部分を準備又は構成することに役立つ。次に、ステップ９
１２において、可撓性要素（前述したように、例えば、ワイヤテンドン２３０の対）は、
上述したアダプタブラケット等によって支持サブシステムの各部に固定される。これらの
可撓性要素の取り付けは、通常、可撓性要素同士の間（例えば、異なるワイヤテンドン対
の間）の複数の列を確立する。可撓性要素の取り付けは、上述したように吊り下げサブシ
ステムの設置を開始し、最終的には、完全に実装された吊り下げサブシステム１２０など
の完全に吊り下げサブシステムを実装する。したがたって、支持サブシステム１３０と組
み合わせて見ると、上述した完全に実装されたワークプラットフォームシステム１１０な
どの完全に実装されたワークプラットフォームシステムの実装である。
【０１９２】
可撓性要素を取り付けると、プロセスは、パネル部７５０などのパネル部を設置するこ
とを含むステップ９１４に進む。ステップ９１４は、図示するようにいくつかのサブステ
ップ９１６、９１８、９２０、９２２、及び９２４を含む。サブステップ９１６は、構造
物の一方の端部、例えば、上述の第１部分１３２にパネル部の設置が開始されると、まず
行われる。このサブステップは、複数の可撓性要素上に複数のパネル部を配置することと
、パネル部を支持サブシステム１３０の部分（この場合も、例えば、第１部分１３２）に
固定することとを含み、かつ、人間が、支持サブシステムから吊り下げサブシステムに移
行する際に滑らかな移行を可能にする特別のパネル構造物又は他の構造物（例えば、滑ら
かな床面）の実装を含むことができる。
【０１９３】
次に、サブステップ９１８において、プロセスは、複数の可撓性要素の上にパネル部７
５０の後続のもの又は追加のものを配置することと、ハンドル支持延長部、例えば上述し
たハンドル支持延長部７８０を用いて、先のパネル部のそれぞれに対してそのようなパネ
ル部７５０の後続のもの又は追加のものを固定することとを含む。このステップは、通常
、異なる可撓性要素によって確立されるような吊り下げサブシステムの列のそれぞれに対
して行われる。さらに、少なくともいくつかの実施形態では、パネル部７５０を配置し、
固定するこのステップは、特定の方法でパネル部を配置すること及び下降させることとを
含むことができる。例えば、パネル部の配置と下降は、作業員によって完全に手作業で行
うこともできるし、又は機械によって行うことができ、かつ／又はランヤードなどの拡張
コネクタを含むことができる。ランヤード又は同様のロープ状コネクタを用いた場合には
、このようなコネクタは、パネル部の設置中に作業員から離れる方向に回転しようとする
ハンドル支持延長部（例えば、図１１Ａに示した場合、追加のパネル部７９１の最上部に
あるであろうハンドル支持延長部）に取り付けられ、かつランヤードの取り付けられてい
ない端部を保持することによって、作業員は、制御された方法でパネル部を下降させるこ
とができる。サブステップ９１８は、１以上のグラビティラッチを作動させることを含む
ことができる。
【０１９４】
また、サブステップ９２０において、テンドン保持構造物７６９は、可撓性要素に対し
て設置され、通常は、可撓性要素に沿った所望の、所定の及び／又は指定された位置にあ
る。サブステップ９２０は、サブステップ９１８の後に続いて行われるものとして示され
ているが、一般的には、サブステップ９１８に従って、パネル部７５０が複数の可撓性要
素上に配置される際に、サブステップ９２０を行うことができると考えられる。いくつか
の実施形態では、サブステップ９１８は完全に省略することができる。また、ステップ９
２２において、付加的カバー構造物７６７は、保持構造物又は接続構造物（例えば、ボル
ト９８２などのボルト）を使用してテンドン保持構造物に設置され、固定されている。こ
のサブステップ９２２はまた、一般的にパネル部７５０が、複数の可撓性要素上に配置さ
れる際にも行うことができる。最後に、サブステップ９２４で示すように、いくつかの実
施形態ではガードレールシステムも、パネル部７５０に対して設置されており、このサブ
ステップも、一般にパネル部７５０が複数の可撓性要素上に配置される際に行うことがで
きると考えられる。ガードレールシステムは、例えば、ブラケット９８０などの保持ブラ
ケット、又はパネル部に関連づけられたオリフィス７８１などの特徴部を含む種々の他の
構造物にガードレール構造物を取り付けることにより実装され得る。
【０１９５】
次に、ステップ９２６によって示されるように、ワークプラットフォーム吊り下げ構造
物の設置が行われ、これは、サブステップ９２８、９３０、及び９３２を含む。ステップ
９２６並びに関連するサブステップ９２８、９３０、及び９３２は、図１６のフローチャ
ート９００では、ステップ及びサブステップ９１４、９１６、９１８、９２０、９２２、
及び９２４に従って、パネル部を設置することに続いて行われるものとして示されている
が、他の実施形態ではステップ及びサブステップ９１４、９１６、９１８、９２０、９２
２、９２４とほぼ同時に行われ得る。示されているように、サブステップ９２８は、所望
の、所定の及び／又は指定した位置に、可撓性要素（ここでも、例えば、ワイヤテンドン
２３０）に吊り下げ構造物８００などの吊り下げブラケット構造を設置することと、固定
することとを含む。次にサブステップ９３０が実行される。サブステップ９３０は、吊り
下げ構造物（例えば、吊り下げチェーン７９０）をビームクランプ又は吊り下げ構造物の
その他の部分／部材に設置し固定することを含む。ワークプラットフォームシステムが、
この吊り下げ構造物に対して、吊り下げ構造物に沿って所望の、所定の及び／又は特定さ
れた位置において（例えば吊橋１００のデッキ２２２に沿った位置に）実装されている。
【０１９６】
そして、さらなるサブステップ９３２で、（可撓性要素に接続された）パネル部７５０
の高さを調整すること（例えば、昇降）と、（例えば、前述したようにチェーン保持構造
物を用いて）吊り下げ構造物を吊り下げブラケット構造物に付加的に固定することとを含
む。張力が構造物８００にかけられ、したがって可撓性要素にもかけられるように、例え
ば、吊り下げチェーン７９０のうちの１以上は、吊り下げ構造物８００の中間オリフィス
８２２によって、吊り下げ構造物８００に取り付けられ得る。高さ調整を、調整又は達成
するために、吊り下げ調整ツールなどのツールを使用することができる。また、吊り下げ
構造物８００などの吊り下げブラケット構造物をサブステップ９２８において設置するプ
ロセスは、吊り下げ構造物８００を可撓性要素に配置することと、その後吊り下げ構造物
を可撓性要素に固定するために、（かつパネル部７５０の端部が、吊り下げ構造物の把持
部８３０と上平坦面８０２との間の所定位置に係止されるように）把持部８３０を回転さ
せて締め付けることとを部分的に含むことができることに留意されたい。この実施形態に
応じて、回転しており、かつ可撓性要素に対して所定の位置に係止されている把持部８３
０の前に、吊り下げワイヤが代替的に構造物８００に接続されていてもよい。
【０１９７】
ステップ９３６で、パネル部の列のうちの任意の１以上に対してパネル部７５０の設置
が完了していないと判定された場合には、ステップ９１４に戻ることによって、パネル部
７５０とワークプラットフォーム吊り下げ構造物の設置に関するステップ及びサブステッ
プが繰り返される。この状況では、特にステップ９１４に関連するサブステップを繰り返
すことにより、（パネル部の実装が、まさに、通常支持サブシステム及び可撓性要素との
間の接合部で起こることはなくなるので）サブステップ９１６は、通常もはや適用されず
、スキップされることに留意されたい。したがって、一般的に、構造物の他端（例えば、
第２部分１３４）に到達するまでステップ及びサブステップ９１４〜９３６は繰り返され
る。しかし、ステップ９３６において、パネル部７５０の設置がすべての列に対して完了
したと判定された場合には、ステップ９３８で、パネル部は、最終的に支持サブシステム
（例えば、アダプタブラケット構造）の第２部分（例えば、部分１３４）に固定され、そ
の後、プロセスはステップ９４０において終了する。フローチャート９００は、吊り下げ
サブシステムの遠位端（例えば、部分１３４）に到達したときに設置が完了することを想
定しているが、他の実施形態では、完了はまた、他の場所に到達するか、又はいくつかの
他の実装レベルを達成することによっても実現され得ることを理解されたい。
【０１９８】
さらなる実施形態では、フローチャート９００は、吊り下げサブシステムの使用及び／
又はいかなる任意選択の部品の使用に応じて、追加のサブステップを含むことができる。
例えば、フローチャート９００は、トーボードフレームを設置し、トーボードを設置し、
レールポストマウントを設置し、レールポストを設置し、かつ／もしくはレールシステム
を形成する他のステップ又はサブステップを含むことができる。フローチャート９００は
、また、図１８Ｉ〜１８Ｎを参照して説明したように、付加的カバー部を設置するための
さらなるサブステップを含んでもよい。付加的なステップ又はサブステップは、上記のも
のに限定されず、上記に列挙されたステップ又はサブステップは、さらなるサブステップ
を含み得る。
【０１９９】
ワークプラットフォームアセンブリ、サブシステム及びその部品、並びにワークプラッ
トフォームアセンブリ、サブシステム及びその部品に関連した上述の実装／設置／及び使
用方法は、実施形態に応じて１以上の点で有利であることを理解されたい。例えば、噛み
合いハンドル又は把持部８３０は、パネル部７５０を支持するのみならず、支持延長部と
して機能し、隣接するパネル部が相互に接続され、自己補強することを可能にする（例え
ば、隣接するパネル部の側部ストラットの下に延びる１つのパネル部の把持部８３０が、
その隣接するパネル部のためのさらなる支持を提供することを助ける）。把持部／支持延
長部８３０は、隣接するパネル部の上パネル面の、互いに対する高さ変化が最小となるよ
うに、隣接するパネル部の上パネル面がほぼ位置合わせされた状態に保持するのに役立つ
。また、パネル部７５０は、積み上げ及び輸送が容易である。
【０２００】
適切に配置されたワイヤテンドン２３０を使用することにより、ワークプラットフォー
ムシステムによって提供される全体的な作業面（例えば、作業員が歩く面）は、ほぼ平坦
である。単一のテンドンではなく、支持サブシステム（ワークプラットフォーム）同士の
間に延びる対のテンドンを用いることにより、ワークプラットフォームシステムには重要
な冗長性が組み込まれる。また、ワークプラットフォームシステムの多くの部品は、モジ
ュール式及び／もしくは交換可能であり、並びに／又は付加的な構造物に関連して新たな
ワークプラットフォームシステムを実装することに関連して何度も再利用することができ
る。
【０２０１】
上述のワークプラットフォームアセンブリ、サブシステム及びその部品、並びにワーク
プラットフォームアセンブリ、サブシステム及びその部品に関する実装／設置／使用方法
は、例に過ぎず、本開示は、上述した概念の多くの変形を包含するものであることを意図
している。例えば、種々のサイズ及び形状を有する種々のパネル部が実施形態に応じて使
用可能であり、実際、いくつかの実施形態では、異なるサイズ及び形状のパネル部が１つ
のワークプラットフォームシステムに実装されている。状況に応じて、異なる幅及び／又
は長さのパネル部を使用することも適切となり得る。例えば、いくつかの実施形態又は状
況では、ワイヤテンドンの異なる対同士の間に延びる前述の幅寸法（例えば、図８の幅寸
法７５９）が異なるサイズを有するパネル部は、これらのワイヤテンドンの異なる対のワ
イヤテンドン同士の間における可変の間隔に適応するために、異なる列において適切とな
り得る。さらに例えば、ワイヤテンドンが端部に取り付けられた支持システムのハブ３１
０のうち、異なるハブ同士の間の可変の間隔を受容するために適している。
【０２０２】
また、いくつかの実施形態又は状況では、上述した長さ寸法（例えば、図８の長さ寸法
７６１）と異なるサイズを有するパネル部を提供することができる。異なる長さを有する
パネルを使用すると、環境及び他の状況に応じて、必要な場合に、全体的なワークプラッ
トフォームシステムを有効に実装することが可能となる。例えば、異なる長さのパネル部
を用いることにより、パネル部を障害物（例えば、橋構造物から突出している管）により
よく合わせること、ワークプラットフォームを輪郭づけされた構造に合わせて湾曲させる
こと、又は、吊り下げ構造物８００の設置を容易にする方法で、ワイヤテンドン支持延長
部（テンドンフックと呼ぶこともできる）７７０を離間させる能力を提供することを可能
にする。さらにいくつかの実施形態では、種々異なる数及び種類のハンドル支持延長部（
又は単に結合ハンドル）のが、任意の２つ以上のパネル部同士を結合するために使用され
得る。また、ハンドル支持延長部は、図８に示すハンドル支持延長部７８０と、数、サイ
ズ、及び形状が同一である必要はない。
【０２０３】
ハンドル支持延長部を使用することによって、多くの機能が提供される。多くの機能に
は、例えば、（ａ）パネル部が、互いから離れるように摺動しないように、組立時にパネ
ル部を互いに固定すること、（ｂ）ハンドル支持延長部が、組み立て及び分解時に案内及
び支持を提供する限りにおいて、ワークプラットフォームの組み立てをより容易にするこ
と、（ｃ）１つのパネル部から他のパネル部に負荷を移すことが可能になるために、パネ
ル部の剛性を高めること、（ｄ）隣接するパネル部が、位置合わせされていない表面を有
する度合いを最小限にすること（例えば、隣接するパネル間の段差をなくし、種々の隣接
するパネル部の全体的な表面が、実質的に平坦となる度合いを高めること）、（ｅ）ワー
クプラットフォームシステムが下り坂に延びるような適用例において、パネル部をワイヤ
テンドン／ケーブルに固定することができる前に、パネル部が離れる方向に摺動すること
を防ぐことによって、パネル部の組立を容易にすること、並びに／又は（ｆ）パネル部を
作業現場に搬送する前に、パネル部の取り扱い、パッキング、及び、固定を容易にするこ
とを含む。
【０２０４】
すでに上記で示したように、所与のパネル部に関連づけられた、ハンドル支持延長部の
特定の数、大きさ、形状、及び配置は、実施形態又は状況に応じて変更され得る。いくつ
かのワークプラットフォームシステムでは、パネル部のすべてが同じハンドル支持延長部
を有するが、他の実施形態では、１以上の他のパネル部が、１以上のハンドル支持延長部
の第１の配置を有し、１以上の他のパネル部は、１以上のハンドル支持延長部の他の配置
を有することができる。ハンドル支持延長部の種々の可能な配置のうち、可能なものを以
下に示す。すなわち、（ａ）パネル部の一方の側には単一のハンドル支持延長部のみが設
けられる第１の配置、（ｂ）パネル部の一方の側には２以上のハンドルが設けられる（し
かし、パネル部の他方の側にはハンドル支持延長部がない）第２の配置、（ｃ）パネル部
のそれぞれの側に単一のハンドル支持延長部が設けられる（２つ以上のハンドル支持延長
部はない）第３の配置、及び（ｄ）パネル部の両側に２以上のハンドル支持延長部が設け
られる第４の配置である。
【０２０５】
さらに、本開示は、種々の異なる形状のいずれかを有するハンドル支持延長部、並びに
１以上のハンドル支持延長部のみならず、ハンドル支持延長部の１以上の目的に役立つ１
以上の他の特徴部を含むパネル部を包含するように意図されていることを認識されたい。
例えば、いくつかの実施形態では、パネル部は、隣接するパネル部を支持することに役立
つ平坦なＵ字状のハンドル支持延長部（このようなハンドル支持延長部は、隣接するパネ
ル部の側部ストラットの下に延びるように配置される）を含むことができる。あるいは、
例えば、いくつかの実施形態では、パネル部は、隣接するパネル部を支持することに役立
ち、かつ隣接するパネル部からの結合装置を受ける役割も果たす平坦なＵ字状のハンドル
支持延長部を含むことができる。
【０２０６】
さらに、例えば、いくつかの実施形態では、パネル部は、隣接するパネル部を支持する
ことに役立つ平坦なＵ字状のハンドル支持延長部を含むことができ、このパネル部は、隣
接するパネル部と結合するように構成された（又は隣接するパネル部の結合特徴部を受け
るように構成された）付加的な特徴部をさらに含むことができる。また、例えば、いくつ
かの実施形態では、パネル部は、図８を参照してすでに説明したように、隣接するパネル
部を一緒に固定するだけのために、一方の側のみが９０度の屈曲部を有しているＵ字状の
ハンドルを有することができる。また、ハンドル支持延長部の多くの他の可能な配置もま
た本明細書に包含するものとして可能である。さらに、いくつかの代替実施形態では、ハ
ンドル支持延長部と呼ばれる支持延長部は、すべてが、作業員（又は機械）が、支持延長
部が形成されているパネル部を把持し、持ち上げ、又移動できるようにするハンドルとし
て役立つことを目的（又は主な目的）とする必要はない。すなわち、少なくともいくつか
の代替的実施形態では、パネル部は１以上の支持延長部を含むことができる。このような
支持延長部がハンドルとして構成されていなくても、もしくはハンドルとして用いられて
いなくても（又は主にハンドルとして構成されていなくても、もしくは主にハンドルとし
て用いられていなくても）、このような支持延長部は、所与のパネル部が、パネル部のう
ち所与の列にある（又は、隣接するパネル部の別の配置における）隣接するパネル部に支
持を提供し、かつ／又はそのパネル部に関連して配置され（取り付けられ）得るように構
成されている。
【０２０７】
以上説明した実施形態は、ワイヤテンドンの対３０１、３０２、３０３、３０４、３０
５、３０６、３０７、３０８、３０９などのワイヤテンドンの対（又は他の可撓性のリン
ク機構もしくは要素）を採用し、かつ例えばテンドン支持延長部７７０などのワイヤテン
ドン支持延長部（又はテンドンフック）を採用している。ワイヤテンドン支持延長部が、
ワイヤテンドンの対上にパネル部を配置し、支持するために用いることができる二重の凹
部（又は切り欠き）７７２を有する限り、ワイヤテンドン支持延長部は、そのようなワイ
ヤテンドンの対に適している。しかしながら、そのようなテンドン支持延長部は、パネル
部に隣接して単一のテンドンのみが配置される実施形態において（例えば、パネル部の列
が単一のテンドン同士の間に配置されている実施形態において）も用いられ得ることを理
解されたい。実際、ワイヤテンドンの対を使用すると、冗長性、システム強度の向上、及
び頑強性を提供することができ、かつ他の構造物をワイヤテンドンにバランス良くクラン
プする（例えば、吊り下げ構造物８００又はテンドン保持構造物によって、テンドンをバ
ランス良くクランプする）ことを容易にする点で、ワイヤテンドンの対を使用することは
有効である。しかしながら、完全に実装されたワークプラットフォームシステムのすべて
の、又はほぼすべての部品（例えば、吊り下げ構造物８００を含む）は、パネル部の隣接
する列同士の間に並んだ（又はパネル部のある列に隣接して並んだ）単一のテンドンのみ
を使用するワークプラットフォームシステム内でも使用され得ることを理解されたい。
【０２０８】
また、完全に実装されたワークプラットフォームシステム８６０の多くの補助部品は、
種々の機能及び利点を提供する特定の特徴を有している。例えば、吊り下げ構造物８００
に対して、ハンドル部８１６は、吊り下げ構造物が吊り荷重に耐え得るように、吊り下げ
構造物の強度及び剛性のために必要な部分を提供しつつ、吊り下げ構造物の容易な取り扱
い／把持を容易にする。また、例えば、テンドン保持構造物（又は回転ケーブル構造物）
７６９は、単一又は２重のテンドン配置に、テンドン保持構造物（ブラケット）を高速か
つ単純に設置し、固定することを容易にする。さらに、いくつかの実施形態では、１以上
の吊り下げ構造物又はテンドン保持構造物は、視覚インジケータを提供する表示ピンを含
む。視覚インジケータは、吊り下げ構造物又はテンドン保持構造物の適切な組み立て又は
実装（例えば、１以上のテンドンへの適切なクランプ）が達成されたか否かを表示する。
また、いくつかの実施形態では、吊り下げ構造物に関連づけられた視覚インジケータは、
高速、単純、かつ視覚的に検証可能に、吊り下げチェーンを吊り下げ構造物に固定するこ
とを容易にする。
【０２０９】
また、例えば、吊り下げ構造物８００の中間オリフィス８２２のそれぞれは、端部スロ
ット領域８２３の対及び中間横方向スロット領域８２５が存在することに起因して、二重
チェーンスロットとして役立つことを理解されたい。二重チェーンスロットによって、吊
り下げ構造物８００は、吊り下げチェーン７９０、他の結合部、延長部、又はコネクタの
１つのみではなく１つより多いもの（例えば、２つ）に取り付けられ得る。また、中間オ
リフィス８２２のそれぞれは、吊り下げ構造物８００を設置するために、吊り下げ調整器
の使用を容易にする。さらにいくつかの実施形態又は状況では、中間オリフィス８２２は
、吊り下げ構造物８００に関連して風ブレーシングチェーンの設置を可能にするために使
用され得る。また、テンドン保持構造物７６９は、付加的カバー構造物（隙間フィラー）
７６７をワイヤテンドンに固定することができる接続構造物のみを提供できるのではなく
、テンドン保持構造物７６９は、保持ブラケットをワイヤテンドンに対して固定すること
ができる接続構造物も提供できることを、テンドン保持構造物７６９に関連して理解すべ
きである。ここで、付加的カバー構造物（隙間フィラー）７６７をワイヤテンドンに固定
することができるので、付加的カバー構造物は、さらに、ワイヤテンドンから離れる方向
にパネル部７５０が動くことを防止する（例えば、パネル構造物の浮き上がりを防止する
）のに役立つ。また、収容ブラケットが、（付加的カバー構造物の上方の位置において）
テンドン保持構造物に固定されており、さらに垂直及び水平の収容ワイヤロープを受けて
支持できる。
【０２１０】
さらに、少なくともいくつかの実施形態においては、本明細書に包含されるワークプラ
ットフォームシステムが吊り下げサブシステム及び支持サブシステムの両方を含むみ、こ
こで、支持サブシステムは、上述した吊り下げアクセスシステムＱｕｉｋＤｅｃｋ（登録
商標）に対応した部品（ハブ３１０及びジョイスト３３０等）を含むが、これは、すべて
の実施形態でそうである必要はないことを理解されたい。吊り下げアクセスシステムＱｕ
ｉｋＤｅｃｋ（登録商標）に対応した部品を含む支持サブシステムの使用は、いくつかの
理由のいずれにおいても有効である。いくつかの理由には、例えば、吊り下げアクセスシ
ステムＱｕｉｋＤｅｃｋ（登録商標）に応じたワークプラットフォームの実装が、吊り下
げサブシステムのワイヤテンドン（例えば、ワイヤテンドン２３０の対）を固定するため
の複数の位置で頑強な固定を提供するのに役立つことが含まれる。実際、そのようなワー
クプラットフォームは、ワイヤテンドンの取り付けを容易にする安定で頑強な表面を提供
する。
【０２１１】
しかし、吊り下げアクセスシステムＱｕｉｋＤｅｃｋ（登録商標）に応じたサブシステ
ム（ワークプラットフォーム）に関して吊り下げサブシステムを実装するこれらの利点に
もかかわらず、本開示は、他のタイプの支持サブシステムを利用する実施形態を包含する
ものであり、本明細書のいずれの事項もＱｕｉｋＤｅｃｋ（登録商標）、又は本明細書で
説明された特定の支持サブシステム部品又は変形形態のいずれかを使用することの要求を
示すものとして解釈されるべきではない。実際に、本開示は、１以上の吊り下げサブシス
テム部品のみを含むワークプラットフォームシステム又は吊り下げサブシステムと考える
ことができるもののみを含むワークプラットフォームシステムを包含することが意図され
ている。この吊り下げサブシステムは、支持サブシステムなどの存在なしに吊橋１００な
どの対象となる構造物に直接接続されているものである。
【０２１２】
また、使用される特定の吊り下げサブシステム又は支持サブシステム部品に関わらず、
多くの他の変形もまた本明細書中に包含することが意図されている。例えば、完全に実装
されたワークプラットフォームシステム８６０は、単一のワークプラットフォーム高さを
含むが、他の実施形態では、複数の高さのワークプラットフォーム構造物があってもよい
。さらに、いくつかの実施形態では、他のタイプの部品もワークプラットフォームシステ
ムに含まれ得る。例えば、いくつかの実施形態において、レール(railing)システムは、
ワークプラットフォームシステムの１以上の部分（例えば、ワークプラットフォームシス
テムの支持サブシステム及び／又は吊り下げサブシステムの１以上の部分）に取り付けら
れ得る。こうしたシステムのレールは、種々の材料、例えばチェーン、ケーブル（例えば
、亜鉛メッキされた航空機ケーブル）、線などから製造され、とりわけ、さらに別の実施
形態において、レールスタンダードも作業囲いシステムを立設させるために使用され得る
。例えば、タープ、シート等が種々の目的で作業領域（複数可）を囲むようにレールスタ
ンダードに取り付けられ得る。
【０２１３】
ワークプラットフォームシステム８６０又は他の実施形態における他のワークプラット
フォームシステムを形成することができる材料は、実施例に応じて変更することができる
。例えば、そのようなワークプラットフォームシステムの部品に適した材料には、金属（
例えば、鋼、アルミニウムなど）、木材、プラスチック、複合材、又は他の適切な材料が
含まれ得る。また、このような部品は、固体の、波型の、グレーチングされた、滑らかな
、又は他の適切な構成のものとすることができる。例えば、そのようなワークプラットフ
ォームアセンブリのパネル部は、とりわけ木材シート、合板、ルーフデッキ材料、フレー
ム上の金属、グレーチング、鋼シートなどからつくられ得る。
【０２１４】
さらに、例えば、吊り下げサブシステムの吊り下げチェーン（例えば、吊り下げチェー
ン７９０）及び支持サブシステムの支持チェーン（例えば、支持チェーン２２０）は、実
施形態に応じて、歯付チェーン、吊り下げワイヤもしくはワイヤテンドンを含む種々のタ
イプのチェーンのいずれか、ベルト、又は他の支持部品のいずれの形態も取ることができ
る。また吊り下げシステムのワイヤテンドン（例えば、対のワイヤテンドン２３０のワイ
ヤテンドン）は、さらにワイヤ、ケーブル、及び同様の可撓性延在構造の種々の形態のい
ずれかをとることができる。実際に、実施形態又は状況に依存して、湾曲可能な又は可撓
性の結合部、延長部、又は可撓性機械要素（又は単に可撓性要素）の種々のタイプのいず
れかが、ワイヤ、ワイヤロープ、チェーン（又は歯付チェーン）、ベルト、又は延長部、
結合部、コネクタの同様のタイプ等の吊り下げチェーン７９０、支持チェーン２２０、及
びワイヤテンドン２３０のそれぞれの役割で、使用され得ることを理解されたい。
【０２１５】
またこれに関連して、典型的には延長部、結合部、又はコネクタは、可撓性がある構造
物であって、その幅及び深さよりも実質的に大きい直線寸法に沿った長さを有する構造物
となるであろう。ここで、幅及び深さは、それ自体長さよりも小さく、幅及び深さは、そ
れ自体同様のサイズである。しかしながら、いくつかの代替実施形態では、延長部、結合
部、又はコネクタは、他の特徴を有する構造物であってもよい。他の特徴には、例えば、
長さが、幅よりも実質的に大きく、かつ幅が深さよりも実質的に大きい構造物（例えば、
リボンの形態をとる構造物）が含まれる。また、場合によっては、吊り下げチェーン７９
０、支持チェーン２２０、及び／又はワイヤテンドン２３０として（又はその代わりに）
使用される延長部、結合部、又はコネクタのうちの１以上が、可撓性ではなく、剛性であ
ることができる。
【０２１６】
少なくともいくつかの実施形態では、本明細書に記載したワークプラットフォームシス
テムの一部が、従来のワークプラットフォームシステムの一部とインタフェース接続され
、接続され、又は一緒に用いられ得る。また、少なくともいくつかの実施形態では、作業
員が、手工具のみを用いて、ワークプラットフォームシステムの部品を延ばし、再配置し
、又は除去することができ、かつ、ワークプラットフォームシステムの既存の部品を追加
したり除去したりするために、機械的工具、ホイスト、クレーン、又は他の機器が必要と
されない。少なくともいくつかの実施形態では、ワークプラットフォームシステムの設置
は、基本的に、「空中で」行うことができる。すなわち、ワークプラットフォームシステ
ムは、持ち上げ機器やホイスト機器の複数の部分を使用することによって、部分毎に順番
に「空中で」立設され、互いに接続され得る。しかし、代替実施形態では、サブシステム
、部分、又は部品のうちの１以上は、地上で、又は遠隔位置で予め組み立てられ、予め組
み立てられたモジュールとして所望の位置に移動させて、つり上げる可能性もある。
【０２１７】
また、本明細書で説明される実装／設置及び使用のプロセスに加えて、本開示はまた、
分解処理などの他のプロセスを包含することが意図されることを理解されたい。例えば、
パネル部７５０を設置するためのプロセスが上記に説明される範囲において、かつランヤ
ードや同様のロープ状構造物によってパネル部の１つを下降させる作業員を含む範囲にお
いて、取り外しは、同様に、既に設置されたパネルを上方に持ち上げるために、ランヤー
ドを引っ張ることを含む。そのような状況において、ランヤードは、取り外されようとし
ているパネル部のハンドル支持延長部であって、ランヤードを引っ張る作業員の位置と反
対にある当該パネル部の側部ストラットから延びる支持延長部に取り付けられる。
【０２１８】
したがって、本開示の特定の実施形態が示され、上記で詳細に説明してきたが、添付の
特許請求の範囲から逸脱することなく多くの変更及び修正が可能であることを理解された
い。例えば、上述したワークプラットフォームシステムは、種々の実施形態、及び本明細
書で説明した種々の部品の実施形態の組み合わせを含むことができる。本開示の実施形態
の非限定的な例を以下に示す。
【０２１９】
ある実施形態Ｅ１では、第１の可撓性要素及び第２の可撓性要素であって、各可撓性要
素の、それぞれの第１端部が、第１支持部に少なくとも間接的に接続され、各可撓性要素
の第２端部が、第２支持部に少なくとも間接的に接続されている、第１の可撓性要素及び
第２の可撓性要素と、可撓性要素上に支持され、第１の可撓性要素と第２の可撓性要素の
間に実質的に延びている複数のパネル構造物であって、可撓性要素に沿って延びるパネル
構造物の列を形成するように、相互に連続して配置されている複数のパネル構造物とを備
える、ある構造物に関連して実装するためのワークプラットフォームシステムであって、
おり、パネル構造物の各々が、第１対の対向する縁部及び第２対の対向する縁部を含み、
第１対の対向する縁部の各々は可撓性要素と実質的に平行に延び、第２対の対向する縁部
の各々は、第１対の対向する縁部同士の間に延び、複数のパネル構造物のうち、第１のパ
ネル構造物が、第１のパネル構造物の、第２対の対向する縁部のそれぞれのうち、第１の
ものから離れるように外方に延びる第１支持延長部を含み、第１のパネル構造物の第１支
持延長部が、第１構成を有し、この第１構成内に、複数のパネル構造物のうち第２のパネ
ル構造物の、第２対の対向する縁部のそれぞれのうち、第２のものが配置され、この第１
構成が、第１のパネル構造物に対する第２のパネル構造物の動きを少なくとも部分的に制
限するのに役立つ、ワークプラットフォームシステム。Ｅ２．第１支持延長部が、ハンド
ル構造物として構成されている、Ｅ１のワークプラットフォームシステム。Ｅ３．第２の
パネル構造物が、第２対の対向する縁部のそれぞれのうち、第２のものから離れるように
外方に延びる第２支持延長部を含み、第２支持延長部が、第２構成を有し、この第２構成
内に、第１のパネル構造物の、第２対の対向する縁部のそれぞれのうち、第１のものが配
置され、この第２構成が、第１のパネル構造物に対する第２のパネル構造物の動きを少な
くとも部分的に制限するのに役立つ、Ｅ１のワークプラットフォームシステム。Ｅ４．第
１のパネル構造物が、さらに、第１のパネル構造物の、第２対の対向する縁部のそれぞれ
のうち、第１のものから離れるように外方に延びる第３支持延長部を含み、第１支持延長
部が、第３支持延長部が配置されている第２位置よりも、第１のパネル構造物の、第１対
の対向する縁部のそれぞれのうち、第１のものに近い第１位置にあり、第２のパネル構造
物が、さらに、第２のパネル構造物の、第２対の対向する縁部のそれぞれのうち、第２の
ものから離れるように外方に延びる第４支持延長部を含み、第２支持延長部が、第４支持
延長部が配置されている第４位置よりも、第２のパネル構造物の、第１対の対向する縁部
のそれぞれのうち、第２のものに近い第３位置にあり、第１位置、第４位置、第２位置、
及び第３位置が、第１及び第２の可撓性要素の間に連続して存在している、Ｅ３のワーク
プラットフォームシステム。
【０２２０】
Ｅ５．それぞれパネル構造物が、それぞれのパネル構造物の、それぞれの第２対の対向
する縁部の各々から離れるように外方に延びる少なくとも１つの支持延長部を含み、第１
のパネル構造物の少なくとも１つの支持延長部が、第１支持延長部を含み、それぞれパネ
ル構造物の、それぞれの第２対の対向する縁部のうち、第１のものから離れるように外方
に延びる少なくとも１つの支持延長部が、それぞれのパネル構造物の、それぞれの第２対
の対向する縁部のうち、第２のものから離れるように外方に延びる少なくとも１つの支持
延長部に対して、相補的にシフトして配置されている、Ｅ１のワークプラットフォームシ
ステム。
【０２２１】
Ｅ６．第１支持延長部が、第１のパネル構造物のパネル構造物表面に実質的に平行な方
向に、それぞれの第２対の対向する縁部から離れるように外方に延びる外方延長部と、外
方延長部からパネル構造物表面の平面に近づくように上方に延びる上方延長部と、第１対
の対向する縁部のうち、第１のもののさらなる平面に近づくように長手方向に延びる長手
方向延長部と、パネル構造物表面の平面から離れるように下方に延びる下方延長部と、第
２対の対向する縁部のうち、第１のものに向けて内方に延びる内方延長部とを含むＵ字状
構造物であり、第１構成が、上方延長部、長手方向延長部、及び下方延長部を少なくとも
含む、Ｅ１のワークプラットフォームシステム。Ｅ７．外方延長部及び内方延長部が、第
１構成に含まれているフック形状の外側部を含み、第１のパネル構造物の、第１対の対向
する縁部及び第２対の対向する縁部それぞれが、パネル構造物表面の下を延びる、筒状の
支持ストラットで形成される、Ｅ６のワークプラットフォームシステム。Ｅ８．第１支持
延長部が、第１及び第２の可撓性要素に対する第２のパネル構造物の支持を補助するのに
役立つ、Ｅ６のワークプラットフォームシステム。
【０２２２】
Ｅ９．パネル構造物の各々が、第１対の対向する縁部の各々から外方に延びる少なくと
も２つの支持延長部を含み、パネル構造物が可撓性要素上に支持されたときに、支持延長
部の各々が、それぞれ第１の可撓性要素又は第２の可撓性要素を受けるように構成された
少なくとも１つの凹部を含む、Ｅ１のワークプラットフォームシステム。Ｅ１０．第３の
可撓性要素であって、第３の可撓性要素のそれぞれの第１端部も、第１支持部に少なくと
も間接的に接続され、第３の可撓性要素のそれぞれの第２端部が第２支持部に少なくとも
間接的に接続されている、第３の可撓性要素と、第２の可撓性要素及び第３の可撓性要素
上に支持された、追加の複数のパネル構造物とをさらに備え、追加の複数のパネル構造物
のパネル構造物が、第３の可撓性要素に沿って延びるパネル構造物の追加の列を形成する
ように、相互に連続して配置されている、Ｅ１のワークプラットフォームシステム。Ｅ１
１．第２の可撓性要素の一部分上を覆うように、初めの前記複数のパネル構造物のうち少
なくとも１つと、前記追加の複数のパネル構造物のうちの少なくとも１つとの間に位置す
る少なくとも１つのカバー部をさらに備えるＥ１０のワークプラットフォームシステム。
【０２２３】
Ｅ１２．吊り下げ部品と、吊り下げチェーンが取り付けられる吊り下げ構造物とをさら
に備え、第１の可撓性要素又は第２の可撓性要素がそれぞれ吊り下げ部品に支持されるよ
うに、吊り下げ構造物がそれぞれの可撓性要素に接続されている、Ｅ１のワークプラット
フォームシステム。Ｅ１３．吊り下げ構造物が、少なくとも一次面構成と、回転可能に一
次面構成に取り付けられているが、一次面構成に対して所定の位置に係止されている留め
付け部品とを含む、Ｅ１２のワークプラットフォームシステム。Ｅ１４．一次面構成のオ
リフィスに嵌合する留め付け部品のポストによって、留め付け部品が係止されていない第
１位置から、留め付け部品が一次面構成に対して係止されている第２位置まで回転するよ
うに、留め付け部品が構成されている、Ｅ１３のワークプラットフォームシステム。Ｅ１
５．吊り下げ構造物が、同様に回転可能に一次面構成に取り付けられているが、一次面構
成に対して所定の位置に係止されている追加の留め付け部品を含む、Ｅ１３のワークプラ
ットフォームシステム。Ｅ１６．吊り下げ構造物が、吊り下げ部品の固定と調整のうち、
少なくとも一方を可能にするように構成されている、Ｅ１３のワークプラットフォームシ
ステム。Ｅ１７．吊り下げ部品が、吊り下げ構造物のスロットによって固定され、又は調
整されるように構成されたチェーンである、Ｅ１６のワークプラットフォームシステム。
【０２２４】
Ｅ１８．構造物の第１部分及び第２の部分にそれぞれ取り付けられた、第１及び第２支
持部品をさらに備えるＥ１のワークプラットフォームシステム。
【０２２５】
ある実施形態Ｅ１９では、第１対の可撓性要素及び第２対の可撓性要素であって、各可
撓性要素の、それぞれの第１端部が、第１支持部に少なくとも間接的に接続され、各対の
可撓性要素の第２端部が、第２支持部に少なくとも間接的に接続されている、第１対の可
撓性要素及び第２対の可撓性要素と、可撓性要素上に支持された複数のパネル構造物と、
吊り下げ部品と、第１対の可撓性要素及び第２対の可撓性要素の少なくとも一方が吊り下
げ部品によって支持されるように、第１対の可撓性要素及び第２の対の可撓性要素の当該
少なくとも一方に接続された吊り下げ構造物とを備える、ある構造物に関連して実装する
ためのワークプラットフォームシステムであって、吊り下げ構造物が、少なくとも一次面
構成と、回転可能に一次面構成に取り付けられているが、一次面構成に対して所定の位置
に係止されている留め付け部品とを含む、ワークプラットフォームシステム。
【０２２６】
Ｅ２０．留め付け部品が第１位置まで回転すると、留め付け部品が、第１対及び第２対
の可撓性要素の少なくとも一方の間に嵌合され、第２位置まで回転すると、留め付け部品
が、一次面構成のオリフィス内に嵌合する留め付け部品のポストによって、一次面構成に
対して所定の位置に係止されるように留め付け部品が構成されている、Ｅ１９のワークプ
ラットフォームシステム。Ｅ２１．吊り下げ構造の留め付け部品が、パネル構造物の少な
くともそれぞれ１つの端部又は端部をさらに支持する、Ｅ１９のワークプラットフォーム
システム。Ｅ２２．パネル構造物の各々が、可撓性要素によって支持された第１延長部と
、パネル構造物のうち、隣接するものがそれぞれのパネル構造物に対して固定され、実装
されることを可能にするのに役立つ第２縁状部とを含む、Ｅ１９のワークプラットフォー
ムシステム。Ｅ２３．構造物の第１及び第２の部分にそれぞれ取り付けられる第１支持部
及び第２支持部をさらに備えるＥ１９のワークプラットフォームシステム。
【０２２７】
Ｅ２４．複数パネル構造物の各々が、可撓性要素と実質的に平行に延びる、第１対の対
向する縁部と、第１対の対向する縁部同士の間に延びる第２対の対向する縁部を含み、複
数のパネル構造物のうち、第１のパネル構造物が、第１のパネル構造物の、第２対の対向
する縁部のそれぞれのうち、第１のものから離れるように外方に延びる第１支持延長部を
含み、第１のパネル構造物の第１支持延長部が、第１構成を有し、この第１構成内に、第
２のパネル構造物の、第２対の対向する縁部のそれぞれのうち、第２のものが配置され、
この第１構成が、第１のパネル構造物に対する第２のパネル構造物の動きを少なくとも部
分的に制限するのに役立ち、第２のパネル構造物が、第２対の対向する縁部のそれぞれの
うち、第２のものから離れるように外方に延びる第２支持延長部を含み、第２支持延長部
が、第２構成を有し、この第２構成内に、第１のパネル構造物の、第２対の対向する縁部
のそれぞれのうち、第１のものが配置され、この第２構成が、第１のパネル構造物に対す
る第２のパネル構造物の動きを少なくとも部分的に制限するのに役立ち、第１のパネル構
造物が、さらに、第１のパネル構造物の、第２対の対向する縁部のそれぞれのうち、第１
のものから離れるように外方に延びる第３支持延長部を含み、第１支持延長部が、第３支
持延長部が配置されている第２位置よりも、第１のパネル構造物の、第１対の対向する縁
部のそれぞれのうち、第１のものに近い第１位置にあり、第２のパネル構造物が、さらに
、第２のパネル構造物の、第２対の対向する縁部のそれぞれのうち、第２のものから離れ
るように外方に延びる第４支持延長部を含み、第２支持延長部が、第４支持延長部が配置
されている第４位置よりも、第２のパネル構造物の、第１対の対向する縁部のそれぞれの
うち、第２のものに近い第３位置にあり、第１支持延長部、第２支持延長部は、第３支持
延長部、第４支持延長部の各々が、ハンドル構造物として機能するように構成されている
、Ｅ１９のワークプラットフォームシステム。
【０２２８】
ある実施形態Ｅ２５では、第１対の可撓性要素及び第２対の可撓性要素であって、各可
撓性要素のそれぞれの第１端部が、第１支持部に少なくとも間接的に接続され、各可撓性
要素のそれぞれの第２端部が、第２支持部に少なくとも間接的に接続されている、第１対
の可撓性要素及び第２対の可撓性要素と、可撓性要素上に支持され、第１対の可撓性要素
及び第２対の可撓性要素の間に実質的に延びている複数のパネル構造物であって、可撓性
要素に沿って延びるパネル構造物の列を形成するように、相互に連続して配置されており
、かつ、可撓性要素とほぼ平行に延びる第１対の対向する縁部及び第１対の対向する縁部
同士の間に延びる第２対の対向する縁部を含む、複数のパネル構造物と、第１のパネル構
造物の第２対の対向する縁部ジのそれぞれのうち、第１のものから離れるように外方に延
びる第１支持延長部とを備える、ある構造物に関連して実装するためのワークプラットフ
ォームシステムであって、第１のパネル構造物の第１支持延長部が、第１構成を有し、こ
の第１構成内に、第２対の対向する縁部のそれぞれのうち、第２のものが配置され、この
第１構成が、第１のパネル構造物に対する第２のパネル構造物の動きを少なくとも部分的
に制限するのに役立つ、ワークプラットフォームシステム。
【０２２９】
Ｅ２６．第１支持延長部が、ハンドル構造物として機能する構造物である、Ｅ２５のワ
ークプラットフォームシステム。Ｅ２７．吊り下げ部品に接続されるように構成されてい
る吊り下げ構造物であって、第１対の可撓性要素及び第２対の可撓性要素の少なくとも一
方が支持部品によって支持されるように、当該第１対の可撓性要素及び第２対の可撓性要
素の少なくとも一方に接続されている吊り下げ構造物をさらに備えるＥ２５のワークプラ
ットフォームシステム。Ｅ２８．吊り下げ構造物が、少なくとも一次面構成と、回転可能
に一次面構成に取り付けられているが、一次面構成に対して所定の位置に係止されている
留め付け部品とを含み、留め付け部品が第１位置まで回転すると、留め付け部品が、上記
の第１対及び第２対の可撓性要素の少なくとも一方の間に嵌合され、第２位置まで回転す
ると、留め付け部品が、一次面構成のオリフィスに嵌合する留め付け部品のポストによっ
て、一次面構成に対して定位置に係止されるように構成されている、Ｅ２７のワークプラ
ットフォームシステム。Ｅ２９．吊り下げ構造物が、チェーンスロットなどの開口部によ
る、チェーンなどの吊り下げ部品の固定及び調整を可能にするように構成されている、Ｅ
２８のワークプラットフォームシステム。
【０２３０】
Ｅ３０．パネル構造物の各々が可撓性要素によって支持されている第１延長部と、支持
部として役立ち、さらにパネル構造物のうち隣接するものが、それぞれのパネル構造物に
関連して実装されることを可能にするのに役立つ第２延長部とを含む、Ｅ２５のワークプ
ラットフォームシステム。Ｅ３１．構造物の第１部分及び第２部分にそれぞれ取り付けら
れる第１支持部品及び第２支持部品をさらに含む、Ｅ２５のワークプラットフォームシス
テム。
【０２３１】
Ｅ３２．第２のパネル構造物の、第２対の対向する縁部のそれぞれのうち、第２のもの
から離れるように外方に延びる第２支持延長部をさらに備え、第２支持延長部が、第２構
成を有し、この第２構成内に、第１のパネル構造物の、第２対の対向する縁部のそれぞれ
のうち、第１のものが配置され、この第２構成が、第１のパネル構造物に対する第２のパ
ネル構造物の動きを少なくとも部分的に制限するのに役立つ、Ｅ２５のワークプラットフ
ォームシステム。Ｅ３３．（ｉ）第１のパネル構造物の、第２対の対向する縁部のそれぞ
れのうち、第１のものから離れるように外方に延びる第３支持延長部と、（ｉｉ）第２の
パネル構造物の、第２対の対向する縁部のそれぞれのうち、第２のものから離れるように
外方に延びる第４支持延長部とをさらに備え、第１支持延長部が、第３支持延長部が配置
されている第２位置よりも、第１のパネル構造物の、第１対の対向する縁部のそれぞれの
うち、第１のものに近い第１位置にあり、第４支持延長部が配置されている第４位置より
も、第２のパネル構造物の、第１対の対向する縁部のそれぞれのうち、第２のものに近い
第３位置にあり、第１位置、第４位置、第２位置、及び第３位置が、第１及び第２の可撓
性要素の間に連続して存在している、Ｅ３２のワークプラットフォームシステム。
【０２３２】
Ｅ３４．それぞれパネル構造物が、それぞれのパネル構造物の、それぞれの第２対の対
向する縁部の各々から離れるように外方に延びる少なくとも１つの支持延長部を含み、第
１のパネル構造物の少なくとも１つの支持延長部が、第１支持延長部を含み、それぞれパ
ネル構造物の、それぞれの第２対の対向する縁部のうち、第１のものから離れるように外
方に延びる少なくとも１つの支持延長部が、それぞれのパネル構造物の、それぞれの第２
対の対向する縁部のうち、第２のものから離れるように外方に延びる少なくとも１つの支
持延長部に対して、相補的にシフトして配置されている、Ｅ２５のワークプラットフォー
ムシステム。
【０２３３】
Ｅ３５．第１支持延長部が、第１のパネル構造物のパネル構造物表面に実質的に平行な
方向に、それぞれの第２対の対向する縁部から離れるように外方に延びる外方延長部と、
外方延長部からパネル構造物表面の平面に近づくように上方に延びる上方延長部と、第１
対の対向する縁部のうち、第１のもののさらなる平面に近づくように長手方向に延びる長
手方向延長部と、パネル構造物表面の平面から離れるように下方に延びる下方延長部と、
第２対の対向する縁部のうち、第１のものに向けて内方に延びる内方延長部とを含むＵ字
状構造物であり、第１構成が、上方延長部、長手方向延長部、及び下方延長部を少なくと
も含む、Ｅ２５のワークプラットフォームシステム。Ｅ３６．外方延長部及び内方延長部
が、第１構成に含まれているフック形状の外側部を含み、第１のパネル構造物の、第１対
の対向する縁部及び第２対の対向する縁部それぞれが、パネル構造物表面の下を延びる、
支持ストラットで形成される、Ｅ３５のワークプラットフォームシステム。Ｅ３７．第１
支持延長部が、第１対及び第２対の可撓性要素に対する第２のパネル構造物の支持を補助
するのに役立つ、Ｅ３６のワークプラットフォームシステム。
【０２３４】
Ｅ３８．パネル構造物の各々が、第１対の対向する縁部の各々から外方に延びる少なく
とも２つの支持延長部を含み、パネル構造物が可撓性要素上に支持されたときに、支持延
長部の各々が、それぞれ第１対の可撓性要素又は第２対の可撓性要素を受けるように構成
されたそれぞれの対の凹部を含む、Ｅ２５のワークプラットフォームシステム。
【０２３５】
Ｅ３９．第３対の可撓性要素であって、第３対の可撓性要素の各々のそれぞれの第１端
部も、第１支持部に少なくとも間接的に接続され、第３対の可撓性要素の各々のそれぞれ
の第２端部が第２支持部に少なくとも間接的に接続されている、第３対の可撓性要素と、
第２対の可撓性要素及び第３対の可撓性要素上に支持された、追加の複数のパネル構造物
であって、追加の複数のパネル構造物のパネル構造物が、第３対の可撓性要素に沿って延
びるパネル構造物の追加の列を形成するように、相互に連続して配置されている、追加の
複数のパネル構造物とを備えるＥ２５のワークプラットフォームシステム。Ｅ４０．第２
対の可撓性要素の各部分上を覆うように、初めの前記複数のパネル構造物のうち少なくと
も１つと、前記追加の複数のパネル構造物のうちの少なくとも１つとの間に位置する少な
くとも１つのカバー部をさらに備えるＥ３９のワークプラットフォームシステム。Ｅ４１
．吊り下げ部品と、吊り下げ部品が取り付けられる吊り下げ構造物とをさらに備え、第１
対の可撓性要素及び第２対の可撓性要素の少なくとも一方が吊り下げ部品に支持されるよ
うに、吊り下げ構造物が第１対の可撓性要素及び第２対の可撓性要素の少なくとも一方に
接続されている、Ｅ３９のワークプラットフォームシステム。Ｅ４２．吊り下げ構造物が
、少なくとも一次面構成と、回転可能に一次面構成に取り付けられているが、一次面構成
に対して所定の位置に係止されている留め付け部品とを含む、Ｅ４１のワークプラットフ
ォームシステム。Ｅ４３．留め付け部品が第１位置まで回転すると、留め付け部品が、第
１対及び第２対の可撓性要素の少なくとも一方の間に嵌合され、第２位置まで回転すると
、留め付け部品が、一次面構成のオリフィス内に嵌合する留め付け部品のポストによって
、一次面構成に対して所定の位置に係止されるように留め付け部品が構成されている、Ｅ
４２のワークプラットフォームシステム。
【０２３６】
Ｅ４４．吊り下げ構造物が、同様に回転可能に一次面構成に取り付けられているが、一
次面構成に対して所定の位置に係止されている追加の留め付け部品を含む、Ｅ４２のワー
クプラットフォームシステム。Ｅ４５．吊り下げ構造の留め付け部品が、パネル構造物の
少なくともそれぞれ１つの端部又は端部をさらに支持する、Ｅ４４のワークプラットフォ
ームシステム。
【０２３７】
Ｅ４６．構造物の第１部分及び第２の部分にそれぞれ取り付けられた、第１及び第２支
持部品をさらに備えるＥ２５のワークプラットフォームシステム。Ｅ４７．少なくとも１
つのカバー部をさらに備え、パネル部の少なくとも１つが、少なくとも部分的にカバー部
によって、少なくとも実質的に所定の位置に保持されている、Ｅ２５のワークプラットフ
ォームシステム。Ｅ４８．カバー部が、テンドン保持構造物に固定的に取り付けられてい
る隙間フィラーを備える、Ｅ４７のワークプラットフォームシステム。Ｅ４９．テンドン
保持構造物が主外側シェルを含み、主外側シェルが、屋根部と、屋根部の２辺の各々から
下方にそれぞれ延びる第１側壁及び第２側壁と、２つの側壁の各々の下縁近傍に形成され
た２つの相補的なスロットにそれぞれ嵌合される２つの耳延長部を含む平坦な内部圧縮構
造物とを有する、Ｅ４８のワークプラットフォームシステム。Ｅ５０．テンドン保持構造
物が、第１対及び第２対の可撓性要素のうちの少なくとも一方を受けるための凹部を含む
、Ｅ４９のワークプラットフォームシステム。Ｅ５１．テンドン保持構造に少なくとも間
接的に固定されている収容ブラケットをさらに備えているＥ５０のワークプラットフォー
ムシステム。
【０２３８】
ある実施形態Ｅ５２では、第１対の可撓性要素及び第２対の可撓性要素を、第１支持部
及び第２支持部にそれぞれ少なくとも間接的に取り付けることと、第１対及び第２対の可
撓性要素上に第１のパネル部を設置することと、第１対及び第２対の可撓性要素上に第２
のパネル部を設置することとを含む、ある構造物に対してワークプラットフォームシステ
ムを実装する方法であって、第２のパネル部を設置することが、第１のパネル部の第１の
側縁から外方に延びる少なくとも１つの支持部品に、第２のパネル部の第２の側縁を配置
すること、及び第２のパネルが、第１対及び第２対の可撓性要素上に支持されるまで、第
２パネル部を回転させることを含み、方法が、少なくとも１つの支持部品を、第１対及び
第２対の可撓性要素に対して設置すべきか否かを判定することと、設置すべきと判定され
た場合には、少なくとも１つの吊り下げ構造物を第１対及び第２対の可撓性要素の少なく
とも１つ上に設置し、少なくとも１つの吊り下げ部品を少なくとも１つの吊り下げ構造物
に接続することとをさらに含む方法。
【０２３９】
Ｅ５３．少なくとも１つの支持部品が、ハンドル構造物として構成されており、方法が
、ハンドルの構造物によって、第１のパネル部を動かすことをさらに含むＥ５２の方法。
Ｅ５４．表示装置に対する第１支持部及び第２支持部の少なくとも一方が、細長い構造部
材と、相互接続構造物の、細長い構造部材に対する関節運動を可能にするような方法で、
細長い部材に接続された相互接続構造物とを含み、取り付けることが、可撓性要素の少な
くとも１つを、少なくとも間接的に少なくとも１つの相互接続構造に接続することを含む
、Ｅ５２の方法。
【０２４０】
Ｅ５５．第１の可撓性要素及び第２の可撓性要素であって、各可撓性要素の、それぞれ
の第１端部が、第１支持部に少なくとも間接的に接続され、各対の可撓性要素の第２端部
が、第２支持部に少なくとも間接的に接続されている、第１対の可撓性要素及び第２対の
可撓性要素と、可撓性要素上に支持され、第１の可撓性要素と第２の可撓性要素の間に実
質的に延びている複数のパネル構造物であって、とを備える、ある構造物に関連して実装
するためのワークプラットフォームシステムであって、複数のパネル構造物が、可撓性要
素に沿って延びるパネル構造物の列を形成するように、相互に連続して配置されており、
パネル構造物の各々が、第１対の対向する縁部及び第２対の対向する縁部を含み、第１対
の対向する縁部の各々は可撓性要素と実質的に平行に延び、第２対の対向する縁部の各々
は、第１対の対向する縁部同士の間に延び、複数のパネル構造物のうち、第１のパネル構
造物が、第１のパネル構造物の、第２対の対向する縁部のそれぞれのうち、第１のものか
ら離れるように外方に延びる第１支持延長部を含み、第１のパネル構造物の第１支持延長
部が、第１構成を有し、この第１構成内に、複数のパネル構造物のうち第２のパネル構造
物の、第２対の対向する縁部のそれぞれのうち、第２のものが配置され、この第１構成が
、第１のパネル構造物に対する第２のパネル構造物の動きを少なくとも部分的に制限する
のに役立つ、ワークプラットフォームシステム。
【０２４１】
Ｅ５６．パネル構造物の各々が、第１対の対向する縁部の各々から外方に延びる少なく
とも２つの支持延長部を含み、パネル構造物が可撓性要素上に支持されたときに、支持延
長部の各々が、それぞれ第１の可撓性要素又は第２の可撓性要素を受けるように構成され
た少なくとも１つの凹部を含む、Ｅ５５のワークプラットフォームシステム。Ｅ５７．第
１対の対向する縁部の、少なくとも２つの支持延長部のうち、少なくとも１つに旋回可能
に接続されたラッチをさらに備えるＥ５６のワークプラットフォームシステム。Ｅ５８．
ラッチが、グラビティラッチである、Ｅ５７のワークプラットフォームシステム。Ｅ５９
．ラッチが、支持延長部の少なくとも１つの凹部に対応し、かつラッチが下位置にあると
き、第１又は第２の可撓性要素を受けるように構成された凹部を含む、Ｅ５７のワークプ
ラットフォームシステム。Ｅ６０．第１対の対向する縁部の各々上の、少なくとも１つの
支持延長部に旋回可能に接続されたラッチをさらに備えている、Ｅ５７のワークプラット
フォームシステム。
【０２４２】
Ｅ６１．第３の可撓性要素であって、第３の可撓性要素のそれぞれの第１端部も、第１
支持部に少なくとも間接的に接続され、第３の可撓性要素のそれぞれの第２端部が第２支
持部に少なくとも間接的に接続されている、第３の可撓性要素と、第２の可撓性要素及び
第３の可撓性要素上に支持された、追加の複数のパネル構造物とをさらに備え、追加の複
数のパネル構造物のパネル構造物が、第３の可撓性要素に沿って延びるパネル構造物の追
加の列を形成するように、相互に連続して配置されている、Ｅ５５のワークプラットフォ
ームシステム。Ｅ６２．第２の可撓性要素の一部分上を覆うように、初めの前記複数のパ
ネル構造物のうち少なくとも１つと、前記追加の複数のパネル構造物のうちの少なくとも
１つとの間に位置する少なくとも１つのカバー部をさらに備えるＥ６１のワークプラット
フォームシステム。Ｅ６３．少なくとも１つのカバー部が、第２の可撓性要素と、第３の
可撓性要素とを少なくとも間接的に係合させるように構成された鉛直側壁を有する少なく
とも第１端部を備える、Ｅ６２のワークプラットフォームシステム。Ｅ６４．鉛直側壁が
、２つの脚部を備え、各脚部が凹部を有しており、各凹部が、第２及び第３の可撓性要素
の一方を受けるように構成されている、Ｅ６３のワークプラットフォームシステム。Ｅ６
５．少なくとも互いに隣接して配置された第１カバー部と第２カバー部をさらに備え、各
カバー部が、第２の可撓性要素の一部上を覆うように、初めの前記複数のパネル構造物の
うち少なくとも１つと、前記追加の複数のパネル構造物のうち少なくとも１つとの間に配
置されている、Ｅ６２のワークプラットフォームシステム。Ｅ６６．第１カバー部及び第
２カバー部が、受容開口部、及び第２の可撓性要素と第３の可撓性要素を少なくとも間接
的に係合させるように構成された鉛直側壁を有する第１端部と、Ｚ字状隆起部を有する第
２端部とを含む、Ｅ６５のワークプラットフォームシステム。Ｅ６７．第１のカバー部の
Ｚ字状隆起部が、第２のカバー部の受容開口に少なくとも間接的に係合するように構成さ
れており、第２のカバー部に対する第１のカバー部の動きを少なくとも部分的に制限する
のに役立つ、Ｅ６６のワークプラットフォームシステム。
【０２４３】
Ｅ６８．吊り下げ部品と、吊り下げ部品が取り付けられる吊り下げ構造物とをさらに備
え、第１の可撓性要素又は第２の可撓性要素がそれぞれ吊り下げ部品に支持されるように
、吊り下げ構造物がそれぞれの可撓性要素に接続されている、Ｅ５５のワークプラットフ
ォームシステム。Ｅ６９．複数パネルの構造物が、ストラット上に取り付けけられた上パ
ネル面を含み、第１対の対向する筒状ストラットは、第１対の対向する縁部に対応し、第
２対の対向する筒状ストラットは、第２対の対向する縁部に対応している、Ｅ５５のワー
クプラットフォームシステム。Ｅ７０．第１対の対向する縁部の第１縁部において、第１
のパネル構造物に少なくとも間接的に固定されたトーボードフレームをさらに備えるＥ６
９のワークプラットフォームシステム。Ｅ７１．トーボードフレームが、２つの水平延長
部を有する筒状フレームを含み、水平延長部を対応する筒状ストラットに挿入することに
よってトーボードフレームが第１のパネル構造物に固定されるように、水平延長部の各々
が、第１対の対向する筒状ストラットの一方に対応している、Ｅ７０のワークプラットフ
ォームシステム。Ｅ７２．前板、第１側板、及び第２側板を含む少なくとも１つのレール
ポストマウントをさらに備え、第１側板及び第２側板が、チャネルを形成するために、前
板によって、一定の距離だけ離れている、Ｅ７０のワークプラットフォームシステム。Ｅ
７３．レールポストマウントが、少なくとも間接的にトーボードフレームと係合するよう
に構成された少なくとも１つのフックを備えている、Ｅ７２のワークプラットフォームシ
ステム。Ｅ７４．レールポストマウントのチャネル内に固定するように構成されたレール
ポストをさらに備える、Ｅ７１のワークプラットフォームシステム。
【０２４４】
Ｅ７５．第１対の可撓性要素及び第２対の可撓性要素であって、各可撓性要素のそれぞ
れの第１端部が、第１支持部に少なくとも間接的に接続され、各可撓性要素のそれぞれの
第２端部が、第２支持部に少なくとも間接的に接続されている、第１対の可撓性要素及び
第２対の可撓性要素と、可撓性要素上に支持された複数のパネル構造物であって、各々が
、第１対の可撓性要素と第２対の可撓性要素との間に延びる第１対の対向する縁部と、そ
れぞれの第１対の対向する縁部の各々から外方に延びる少なくとも２つの支持延長部を有
する、複数のパネル構造物とを備える、ある構造物に関連して実装するためのワークプラ
ットフォームシステムであって、各支持延長部が、第１対の可撓性要素及び第２対の可撓
性要素のいずれかを受けるように構成された、それぞれ少なくとも１つの凹部と、第１対
の対向する縁部のそれぞれの少なくとも一方の支持延長部に旋回可能に取り付けられたグ
ラビティフックとを含み、ワークプラットフォームシステムが、さらに、吊り下げ部品と
、第１対の可撓性要素及び第２対の可撓性要素の少なくとも一方が吊り下げ部品によって
支持されるように、第１対の可撓性要素及び第２の対の可撓性要素の当該少なくとも一方
に接続され、かつその吊り下げ部品を係合するように構成された吊り下げ構造物であって
、少なくとも一次面構成、及び回転可能に一次面構成に取り付けられているが、一次面構
成に対して所定の位置に係止されている留め付け部品を含む吊り下げ構造物とを備えるワ
ークプラットフォームシステム。
【０２４５】
Ｅ７６．留め付け部品が第１位置まで回転すると、留め付け部品が、第１対及び第２対
の可撓性要素の少なくとも一方の間に嵌合され、第２位置まで回転すると、留め付け部品
が、一次面構成のオリフィス内に嵌合する留め付け部品のポストによって、一次面構成に
対して所定の位置に係止されるように留め付け部品が構成されている、Ｅ７５のワークプ
ラットフォームシステム。Ｅ７７．少なくとも１つのパネル構造物の端部又は端部に少な
くとも間接的に固定されたトーボードフレームをさらに備え、吊り下げ構造の留め付け部
品が、少なくとも１つのパネル構造物の端部をさらに支持する、Ｅ７５のワークプラット
フォームシステム。
【０２４６】
Ｅ７８．第１対の可撓性要素と第２対の可撓性要素であって、各可撓性要素の、それぞ
れの第１端部が、第１支持部に少なくとも間接的に接続され、各対の可撓性要素の第２端
部が、第２支持部に少なくとも間接的に接続されている、第１対の可撓性要素及び第２対
の可撓性要素と、可撓性要素上に支持され、第１対の可撓性要素及び第２対の可撓性要素
の間に実質的に延びている複数のパネル構造物であって、可撓性要素に沿って延びるパネ
ル構造物の列を形成するように、相互に連続して配置されており、かつ、可撓性要素とほ
ぼ平行に延びる第１対の対向する縁部及び第１対の対向する縁部同士の間に延びる第２対
の対向する縁部を含む、複数のパネル構造物と、第１対の支持延長部であって、支持延長
部の各々が、パネル構造物の第１対の対向する縁部のそれぞれのうち、一方から離れるよ
うに外方に延び、第１支持延長部が、第１対の可撓性要素又は第２対の可撓性要素を受け
るように構成された凹部を含み、第１対及び第２対の可撓性要素に対するパネル構造物の
動きを少なくとも部分的に制限するのに役立つ第１対の支持延長部と、第２対の支持延長
部であって、各々が、パネル構造物の第２対の対向する縁部のそれぞれのうち、一方から
離れるように外方に延び、第２支持延長部が、ある構成を有し、この構成内に別のパネル
構造物の、第２対の対向する縁部のそれぞれのうち、一方が配置され、この構成が、第１
のパネル構造物に対する第２のパネル構造物の動きを少なくとも部分的に制限するのに役
立つ、第２対の支持延長部とを備える、ある構造物に関連して実装するためのワークプラ
ットフォームシステム。
【０２４７】
Ｅ７９．第３対の可撓性要素であって、第３対の可撓性要素の各々のそれぞれの第１端
部も、第１支持部に少なくとも間接的に接続され、第３対の可撓性要素の各々のそれぞれ
の第２端部が第２支持部に少なくとも間接的に接続されている、第３対の可撓性要素と、
第２対の可撓性要素及び第３対の可撓性要素上に支持された、追加の複数のパネル構造物
であって、追加の複数のパネル構造物のパネル構造物が、第３対の可撓性要素に沿って延
びるパネル構造物の追加の列を形成するように、相互に連続して配置されている、加の複
数のパネル構造物と、第２対の可撓性要素の各部分上を覆うように、初めの前記複数のパ
ネル構造物と、前記追加の複数のパネル構造物との間に位置する複数のカバー部とをさら
に備えるＥ７５のワークプラットフォームシステム。
【０２４８】
Ｅ８０．カバー部が、第２の可撓性要素と、第３の可撓性要素とを少なくとも間接的に
係合させるように構成された鉛直側壁を有する少なくとも第１端部を備える、Ｅ７９のワ
ークプラットフォームシステム。Ｅ８１．鉛直側壁が、２つの脚部を備え、各脚部が凹部
を有しており、各凹部が、第２及び第３の可撓性要素の一方を受けるように構成されてい
る、Ｅ８０のワークプラットフォームシステム。Ｅ８２．少なくとも２つのトーボードフ
レームであって、各々が、第１対の対向する縁部の第１縁部において、パネル構造物に少
なくとも間接的に固定された少なくとも２つのトーボードフレームをさらに備えるＥ７８
のワークプラットフォームシステム。Ｅ８３．複数パネルの構造物が、筒状ストラット上
に取り付けけられた上パネル面を含み、第１対の対向する筒状ストラットは、第１対の対
向する縁部に対応し、第２対の対向する筒状ストラットは、第２対の対向する縁部に対応
している、Ｅ８２のワークプラットフォームシステム。Ｅ８４．トーボードフレームが、
２つの水平延長部を有する筒状フレームを含み、水平延長部を対応する筒状ストラットに
挿入することによってトーボードフレームが第１のパネル構造物に固定されるように、水
平延長部の各々が、第１対の対向する筒状ストラットの一方に対応している、Ｅ８３のワ
ークプラットフォームシステム。
【０２４９】
Ｅ８５．少なくとも２つのレールポストマウントであって、各々が前板、第１側板、及
び第２側板を含む、少なくとも２つのレールポストマウントをさらに備え、第１側板及び
第２側板が、チャネルを形成するために、前板によって、一定の距離だけ離れている、Ｅ
７８のワークプラットフォームシステム。Ｅ８６．レールポストマウントのチャネル内に
固定するように構成されたレールポストをさらに備える、Ｅ８５のワークプラットフォー
ムシステム。Ｅ８７．少なくとも２つのレールポストマウントであって、各々が、少なく
とも間接的にトーボードフレームと係合するように構成された少なくとも１つのフックを
備えている、少なくとも２つのレールポストマウントを備える、Ｅ８２のワークプラット
フォームシステム。
【０２５０】
Ｅ８８．第１対の可撓性要素及び第２対の可撓性要素を、第１支持部及び第２支持部にそれぞれ少なくとも間接的に取り付けることと、第１対及び第２対の可撓性要素上に第１のパネル部を設置することと、第１対及び第２対の可撓性要素上に第２のパネル部を設置することとを含む、ある構造物に対してワークプラットフォームシステムを実装する方法であって、第２のパネル部を設置することが、第１のパネル部の第１の側縁から外方に延びる少なくとも１つの支持部品に、第２のパネル部の第２の側縁を配置すること、及び第２のパネルが、第１対及び第２対の可撓性要素上に支持されるまで、第２パネル部を回転させることを含み、方法が、少なくとも１つの支持部品を、第１対及び第２対の可撓性要素に対して設置すべきか否かを判定することと、設置すべきと判定された場合には、少なくとも１つの吊り下げ構造物を第１対及び第２対の可撓性要素の少なくとも１つ上に設置し、少なくとも１つの吊り下げ部品を少なくとも１つの吊り下げ構造物に接続することとをさらに含む方法。Ｅ８９．第１対及び第２対の可撓性要素上に第１のパネル部を設置することが、グラビティラッチを作動させることを含む、Ｅ８８の方法。Ｅ９０．第３対の可撓性要素を、第１支持部及び第２支持部にそれぞれ少なくとも間接的に取り付けることと、第２対及び第３対の可撓性要素上に第３のパネル部を設置することとをさらに含み、第３のパネル部が、第１及び第２のパネル部のうち一方と隣接する、Ｅ８８の方法。Ｅ９１．カバー部を、第３のパネル部と、第１及び第２のパネル部のうちの少なくとも一方との間に設置することをさらに含む、Ｅ９０の方法。Ｅ９２．第１又は第２のパネル部の少なくとも一方に、少なくとも１つのトーボードフレームを設置することをさらに含む、Ｅ８８の方法。Ｅ９３．（ａ）トーボードフレーム上に少なくとも１つのトーボードを設置することと、（ｂ）トーボードフレームと係合するように構成された少なくとも１つのレールポストマウントであって、少なくとも１つのレールポストを受けるように構成されたレールポストマウントを設置することと、（ｃ）（ａ）及び（ｂ）の両方からなる群から選択された少なくとも１つのステップをさらに含むＥ９２の方法。
【０２５１】
とりわけ、本開示の範囲が、上述した部品の数、その材料、その形状、その相対的配置
等に限定されるものではなく、上記の開示は、単に、例示的な実施形態として提供された
ものであることを理解すべきである。
【０２５２】
したがって、具体的には、本発明は、本明細書に含まれる実施形態及び図に限定される
ことなく、それらの実施形態の修正形態であって、実施形態の一部及び異なる実施形態の
部品の組み合わせを含む修正形態を、以下の請求項の範囲内に入るものとして含むことを
意図している
【図１】
2019007341.tif 000003
【図２】
2019007341.tif 000004
【図３】
2019007341.tif 000005
【図３Ａ】
2019007341.tif 000006
【図４】
2019007341.tif 000007
【図５】
2019007341.tif 000008
【図６Ａ】
2019007341.tif 000009
【図６Ｂ】
2019007341.tif 000010
【図７】
2019007341.tif 000011
【図７Ａ】
2019007341.tif 000012
【図７Ｂ】
2019007341.tif 000013
【図８Ａ】
2019007341.tif 000014
【図８Ｂ】
2019007341.tif 000015
【図９】
2019007341.tif 000016
【図９Ａ】
2019007341.tif 000017
【図１０】
2019007341.tif 000018
【図１１Ａ】
2019007341.tif 000019
【図１１Ｂ】
2019007341.tif 000020
【図１１Ｃ】
2019007341.tif 000021
【図１１Ｄ】
2019007341.tif 000022
【図１１Ｅ】
2019007341.tif 000023
【図１１Ｆ】
2019007341.tif 000024
【図１１Ｇ】
2019007341.tif 000025
【図１１Ｈ】
2019007341.tif 000026
【図１１Ｉ】
2019007341.tif 000027
【図１１Ｊ】
2019007341.tif 000028
【図１１Ｋ】
2019007341.tif 000029
【図１１Ｌ】
2019007341.tif 000030
【図１１Ｍ】
2019007341.tif 000031
【図１１Ｎ】
2019007341.tif 000032
【図１１Ｏ】
2019007341.tif 000033
【図１１Ｐ】
2019007341.tif 000034
【図１１Ｑ】
2019007341.tif 000035
【図１１Ｒ】
2019007341.tif 000036
【図１１Ｓ】
2019007341.tif 000037
【図１１Ｔ】
2019007341.tif 000038
【図１１Ｕ】
2019007341.tif 000039
【図１２】
2019007341.tif 000040
【図１３Ａ】
2019007341.tif 000041
【図１３Ｂ】
2019007341.tif 000042
【図１４Ａ】
2019007341.tif 000043
【図１４Ｂ】
2019007341.tif 000044
【図１５】
2019007341.tif 000045
【図１６】
2019007341.tif 000046
【図１７Ａ】
2019007341.tif 000047
【図１７Ｂ】
2019007341.tif 000048
【図１７Ｃ】
2019007341.tif 000049
【図１７Ｄ】
2019007341.tif 000050
【図１７Ｅ】
2019007341.tif 000051
【図１７Ｆ】
2019007341.tif 000052
【図１８Ａ】
2019007341.tif 000053
【図１８Ｂ】
2019007341.tif 000054
【図１８Ｃ】
2019007341.tif 000055
【図１８Ｄ】
2019007341.tif 000056
【図１８Ｅ】
2019007341.tif 000057
【図１８Ｆ】
2019007341.tif 000058
【図１８Ｇ】
2019007341.tif 000059
【図１８Ｈ】
2019007341.tif 000060
【図１８Ｉ】
2019007341.tif 000061
【図１８Ｊ】
2019007341.tif 000062
【図１８Ｋ】
2019007341.tif 000063
【図１８Ｌ】
2019007341.tif 000064
【図１８Ｍ】
2019007341.tif 000065
【図１８Ｎ】
2019007341.tif 000066
【図１９】
2019007341.tif 000067
【図２０】
2019007341.tif 000068
【図２１】
2019007341.tif 000069
【図２２Ａ】
2019007341.tif 000070
【図２２Ｂ】
2019007341.tif 000071
【図２３】
2019007341.tif 000072
【図２４】
2019007341.tif 000073
【図２５】
2019007341.tif 000074
【図２６】
2019007341.tif 000075
【図２７】
2019007341.tif 000076
【図２８Ａ】
2019007341.tif 000077
【図２８Ｂ】
2019007341.tif 000078
【図２９】
2019007341.tif 000079
【図３０】
2019007341.tif 000080
【手続補正書】
【提出日】平成30年9月4日(2018.9.4)
【手続補正１】
【補正対象書類名】明細書
【補正対象項目名】０２５０
【補正方法】変更
【補正の内容】
【０２５０】
Ｅ８８．第１対の可撓性要素及び第２対の可撓性要素を、第１支持部及び第２支持部にそれぞれ少なくとも間接的に取り付けることと、第１対及び第２対の可撓性要素上に第１のパネル部を設置することと、第１対及び第２対の可撓性要素上に第２のパネル部を設置することとを含む、ある構造物に対してワークプラットフォームシステムを実装する方法であって、第２のパネル部を設置することが、第１のパネル部の第１の側縁から外方に延びる少なくとも１つの支持部品に、第２のパネル部の第２の側縁を配置すること、及び第２のパネルが、第１対及び第２対の可撓性要素上に支持されるまで、第２パネル部を回転させることを含み、方法が、少なくとも１つの支持部品を、第１対及び第２対の可撓性要素に対して設置すべきか否かを判定することと、設置すべきと判定された場合には、少なくとも１つの吊り下げ構造物を第１対及び第２対の可撓性要素の少なくとも１つ上に設置し、少なくとも１つの吊り下げ部品を少なくとも１つの吊り下げ構造物に接続することとをさらに含む方法。
Ｅ８９．第１対及び第２対の可撓性要素上に第１のパネル部を設置することが、グラビティラッチを作動させることを含む、Ｅ８８の方法。
Ｅ９０．第３対の可撓性要素を、第１支持部及び第２支持部にそれぞれ少なくとも間接的に取り付けることと、第２対及び第３対の可撓性要素上に第３のパネル部を設置することとをさらに含み、第３のパネル部が、第１及び第２のパネル部のうち一方と隣接する、Ｅ８８の方法。
Ｅ９１．カバー部を、第３のパネル部と、第１及び第２のパネル部のうちの少なくとも一方との間に設置することをさらに含む、Ｅ９０の方法。
Ｅ９２．第１又は第２のパネル部の少なくとも一方に、少なくとも１つのトーボードフレームを設置することをさらに含む、Ｅ８８の方法。
Ｅ９３．（ａ）トーボードフレーム上に少なくとも１つのトーボードを設置することと、（ｂ）トーボードフレームと係合するように構成された少なくとも１つのレールポストマウントであって、少なくとも１つのレールポストを受けるように構成されたレールポストマウントを設置することと、（ｃ）（ａ）及び（ｂ）の両方からなる群から選択された少なくとも１つのステップをさらに含むＥ９２の方法。
Ｅ９４．  ある構造物に関連して実装するためのワークプラットフォームシステムであって、前記ワークプラットフォームは、
第１の可撓性要素及び第２の可撓性要素であって、各々の前記可撓性要素の、それぞれの第１端部が、第１支持部に少なくとも間接的に接続され、各前記可撓性要素の第２端部が、第２支持部に少なくとも間接的に接続されている、第１の可撓性要素及び第２の可撓性要素と、
前記可撓性要素上に支持され、前記第１の可撓性要素と前記第２の可撓性要素との間に実質的に延びる複数のパネル構造物であって、前記可撓性要素に沿って延びるパネル構造物の列を形成するように、相互に連続して配置されている複数のパネル構造物とを備え、
前記複数のパネル構造物の各々が、第１の対向する縁部及び第２の対向する縁部を含み、前記第１の対向する縁部の各々が、前記可撓性要素と実質的に平行に各々延び、前記第２の対向する縁部の各々が、前記第１の対向する縁部同士の各々の間に各々延び、
前記複数のパネル構造物のうち第１のパネル構造物が、前記第１のパネル構造物の前記第１の対向する縁部と平行又はほぼ平行な方向へ、前記第１のパネル構造物の前記第２の対向する縁部のそれぞれのうち第１の縁部から離れるように外方に延びる第１ハンドル支持延長部を含み、
第１のパネル構造物の第１ハンドル支持延長部が、複数のパネル構造物のうち第２のパネル構造物の、前記第２の対向する縁部のそれぞれのうち、第２の縁部を内部に配置する第１構造を有し、前記第１構造が、第１のパネル構造物に対する第２のパネル構造物の動きを少なくとも部分的に制限するのに役立ち、
前記第２のパネル構造物が、前記第２のパネル構造物の、前記第２の対向する縁部のそれぞれのうち、前記第２の縁部から離れるように外方に延びる第２ハンドル支持延長部を含み、
前記第２ハンドル支持延長部が、前記第１のパネル構造物の、前記第２の対向する縁部のそれぞれのうち、前記第１の縁部を内部に配置する第２構造を有し、前記第２構造が、前記第１のパネル構造物に対する前記第２のパネル構造物の動きを少なくとも部分的に制限するのに役立つ、
ワークプラットフォームシステム。
Ｅ９５．  前記第１のパネル構造物が、前記第１のパネル構造物の、前記第２の対向する縁部のそれぞれのうち、前記第１の縁部から離れるように外方に、前記第１のパネル構造物の前記第１の対向する縁部と平行又はほぼ平行な方向に延びる第３ハンドル支持延長部を含み、前記第１ハンドル支持延長部が、前記第３ハンドル支持延長部が配置されている第２位置よりも、前記第１のパネル構造物の、前記第１の対向する縁部のそれぞれのうち、前記第１の縁部に近い第１位置にあり、前記第２のパネル構造物が、さらに、前記第２のパネル構造物の、前記第２の対向する縁部のそれぞれのうち、前記第２の縁部から離れるように外方に、前記第２のパネル構造物の前記第１の対向する縁部と平行又はほぼ平行な方向に延びる第４ハンドル支持延長部を含み、前記第２ハンドル支持延長部が、前記第４ハンドル支持延長部が配置されている第４位置よりも、前記第２のパネル構造物の、前記第１の対向する縁部のそれぞれのうち、前記第２の縁部に近い第３位置にあり、前記第１ハンドル支持延長部、前記第２ハンドル支持延長部、前記第３ハンドル支持延長部、前記第４ハンドル支持延長部の各々が、ハンドルとして機能するように構成されている、Ｅ９４に記載のワークプラットフォームシステム。
Ｅ９６．  前記パネル構造物の各々が、前記第１の対向する縁部の各々から外方に延びる少なくとも２つのワイヤテンドン支持延長部を含み、前記パネル構造物が前記可撓性要素上に支持されたときに、前記ワイヤテンドン支持延長部の各々が、それぞれ前記第１の可撓性要素又は前記第２の可撓性要素を受けるように構成された少なくとも１つの凹部を含む、Ｅ９４に記載のワークプラットフォームシステム。
Ｅ９７．  前記第１の対向する縁部の、前記少なくとも２つのワイヤテンドン支持延長部のうち、少なくとも１つに旋回可能に接続されたラッチをさらに備えるＥ９６に記載のワークプラットフォームシステム。
Ｅ９８．  前記ラッチが、グラビティラッチである、Ｅ９７に記載のワークプラットフォームシステム。
Ｅ９９．  前記第１の可撓性要素及び前記第２の可撓性要素の各々が、一対の可撓性の要素を含む、Ｅ９４に記載のワークプラットフォームシステム。
Ｅ１００．  第３の可撓性要素の対であって、前記第３の可撓性要素の対のそれぞれの前記第１端部も、前記第１支持部に少なくとも間接的に接続され、前記第３の可撓性要素の対のそれぞれの前記第２端部が前記第２支持部に少なくとも間接的に接続されている、第３の可撓性要素の対と、前記第２の可撓性要素の対及び前記第３の可撓性要素の対上に支持された、追加の複数のパネル構造物とをさらに備え、前記追加の複数のパネル構造物のパネル構造物が、前記第２の可撓性要素の対及び前記第３の可撓性要素の対に沿って延びるパネル構造物の追加の列を形成するように、相互に連続して配置されている、Ｅ９９に記載のワークプラットフォームシステム。
Ｅ１０１．  前記第２の可撓性要素の対の一部分上を覆うように、初めの前記複数のパネル構造物のうち少なくとも１つのパネル構造物と、前記追加の複数のパネル構造物のうちの少なくとも１つのパネル構造物との間に位置する少なくとも１つのカバー部アセンブリをさらに備え、前記カバー部アセンブリは、カバー構造物と、前記カバー構造物と係合するように構成されたクリップとを備え、前記クリップは、２つの可撓性要素係合部を備え、前記可撓性要素係合部は、前記第２の可撓性要素の対の少なくとも一部分を受容するように構成された前記可撓性要素係合部の各々の内に開口を互いに形成する２つの脚部を備えるＥ１００に記載のワークプラットフォームシステム。
Ｅ１０２．  吊り下げ部品と、前記吊り下げ部品が取り付けられている吊り下げ構造物とをさらに備え、前記第１の可撓性要素又は前記第２の可撓性要素がそれぞれ前記吊り下げ部品に支持されるように、前記吊り下げ構造物がそれぞれの前記可撓性要素に接続されている、Ｅ９４に記載のワークプラットフォームシステム。
Ｅ１０３．  ある構造物に対してワークプラットフォームシステムを実装する方法であって、前記方法は、
第１の可撓性要素の対及び第２の可撓性要素の対を、第１支持部及び第２支持部にそれぞれ少なくとも間接的に取り付けることと、
前記第１の可撓性要素の対及び前記第２の可撓性要素の対上に第１のパネル部を設置することと、
前記第１の可撓性要素の対及び前記第２の可撓性要素の対上に第２のパネル部を設置することであって、前記第２のパネル部の第２の側縁から外方に延びる少なくとも１つのハンドル支持延長部に前記第１のパネル部の第１の側縁が配置されるように、前記第１のパネル部の第１の側縁から外方に延びる少なくとも１つの前記ハンドル支持延長部に前記第２のパネル部の第２の側縁を配置すること、及び前記第１の可撓性要素の対及び前記第２の可撓性要素の対上に前記第２のパネルが支持されるまで前記第２パネル部を回転させることを含む、前記第２のパネル部を設置することと、
少なくとも１つの吊り下げ部品を、前記第１の可撓性要素の対及び前記第２の可撓性要素の対に対して設置すべきか否かを判定し、設置すべきと判定した場合には、少なくとも１つの構造物を前記第１の可撓性要素の対及び前記第２の可撓性要素の対の少なくとも１つ上に設置し、前記吊り下げ部品を少なくとも１つの前記構造物に接続することとを含む方法。
Ｅ１０４．  第３の可撓性要素の対を、前記第１支持部及び前記第２支持部にそれぞれ少なくとも間接的に取り付けることと、
前記第２の可撓性要素の対及び前記第３の可撓性要素の対上に第３のパネル部を設置することとをさらに含み、前記第３のパネル部が、前記第１のパネル部及び前記第２のパネル部のうち一方と隣接する、Ｅ１０３に記載の方法。
Ｅ１０５．  カバー部アセンブリを、前記第３のパネルと、前記第１のパネル及び前記第２のパネルのうち対応する隣接する一方との間に設置するステップをさらに含み、前記カバー部アセンブリを設置するステップは、クリップの把持部がクリップスロットと平行となるように、カバー構造の下側からカバー構造のクリップスロット内にクリップを挿入することと、クリップの把持部がクリップスロットと直角となるように、クリップスロット内でクリップを回転させることと、第１のパネル及び第２のパネルのうち隣接する１つ及び前記第３のパネル部の少なくとも一部とカバー構造が重なるように第２の可撓性要素の対の上にクリップでカバー構造を配置することと、下方向にカバー構造を押して、クリップを第２の可撓性要素の対と係合させることと、を備える、Ｅ１０４に記載の方法。
Ｅ１０６．  前記第２の可撓性要素の対及び前記第３の可撓性要素の対上に第４のパネル部を設置することをさらに含み、前記第４のパネル部が、前記第３のパネル部と、前記第１のパネル部及び前記第２のパネル部のうち前記隣接する一方とは異なる他方と隣接している、Ｅ１０５に記載の方法。
Ｅ１０７．  第２のカバー部アセンブリを、前記第４のパネルと、前記第１のパネル及び前記第２のパネルのうち対応する隣接する一方との間に設置することをさらに含み、前記第２のカバー部アセンブリを設置するステップは、クリップの把持部がクリップスロットと平行となるように、第２のカバー構造の下側から第２のカバー構造のクリップスロット内にクリップを挿入することと、前記クリップの把持部が前記クリップスロットと直角となるように、前記クリップスロット内で前記クリップを回転させることと、前記第２のカバー構造の第１端部を前記第１のカバー構造アセンブリに固定することと、前記クリップが前記第２の可撓性要素の対と係合するまで下向きに前記第２のカバー構造を旋回させることと、を備える、Ｅ１０６に記載の方法。
Ｅ１０８．  前記複数のパネル構造物の各々が、一対の前記可撓性要素と実質的に平行に各々延びる前記第１の対向する縁部と、前記第１の対向する縁部同士の間に各々延びる前記第２の対向する縁部とを含み、
前記複数のパネル構造物の各々が、前記第２の対向する縁部のうち、第１の縁部から離れるように外方に延びる第１ハンドル支持延長部と、前記第２の対向する縁部のうち、第２の縁部から離れるように外方に延びる第２ハンドル支持延長部とを含み、前記第１ハンドル支持延長部及び前記第２ハンドル支持延長部の各々が、ハンドルとして機能するように構成されており、
前記複数のパネル構造物の各々が、前記第１の対向する縁部のうち、第１の縁部から離れるように外方に延びる第１ワイヤテンドン支持延長部と、前記第１の対向する縁部のうち、第２の縁部から離れるように外方に延びる第２ワイヤテンドン支持延長部とをさらに含み、
前記パネル構造物が、前記可撓性要素上に支持されたとき、前記第１ワイヤテンドン支持延長部及び前記第２ワイヤテンドン支持延長部の各々が、前記可撓性要素の対の少なくとも１つの可撓性要素を受けるように構成された凹部をそれぞれ少なくとも１つ含み、かつ、前記パネル構造物が、前記可撓性要素上に支持されたとき、少なくとも間接的に、前記パネル構造物を前記可撓性要素に固定するように構成されている前記第１ワイヤテンドン支持延長部及び前記第２ワイヤテンドン支持延長部に旋回可能に接続されたグラビティフックを含み、
前記複数のパネル構造物の前記第１ワイヤテンドン支持延長部及び前記第２ワイヤテンドン支持延長部のうちの少なくとも１つが、前記第１ワイヤテンドン支持延長部及び前記第２ワイヤテンドン支持延長部のうちの少なくとも１つに旋回可能に取り付けられたグラビティフックを含む、Ｅ１０１に記載のワークプラットフォームシステム。
Ｅ１０９．  ある構造物に関連して実装するためのワークプラットフォームシステムであって、前記ワークプラットフォームは、
第１の可撓性要素の対及び第２の可撓性要素の対であって、各々の前記可撓性要素のそれぞれの第１端部が、第１支持部に少なくとも間接的に接続され、各々の前記可撓性要素のそれぞれの第２端部が、第２支持部に少なくとも間接的に接続されている、第１の可撓性要素の対及び第２の可撓性要素の対と、
前記可撓性要素上に支持される第１の複数のパネル構造物であって、前記パネル構造物の各々は、
前記第１の可撓性要素の対と前記第２の可撓性要素の対との間に延びる第１の対向する縁部の対と、前記第１の対向する縁部の対の間に延びる第２の対向する縁部の対と、
前記第１の対向する縁部の対の各々から外方に延びる少なくとも２つの支持延長部を含み、前記支持延長部の各々が、それぞれ前記第１の可撓性要素の対又は前記第２の可撓性要素の対を受けるように構成された一対の凹部を含む、少なくとも２つの支持延長部と、を含む前記第１の複数のパネル構造物と、
吊り下げ部品と、
前記第１の可撓性要素の対及び前記第２の可撓性要素の対の少なくとも一方が前記吊り下げ部品によって支持されるように前記吊り下げ部品と係合するように構成され、第１の可撓性要素の対及び第２の可撓性要素の対の当該少なくとも一方に接続されたクランプ構造物とを備え、
前記クランプ構造物が、少なくとも一次面構成と、回転可能に前記一次面構成に取り付けられているが、前記一次面構成に対して所定の位置に係止されている留め付け部品とを含む、ワークプラットフォームシステム。
Ｅ１１０．  前記留め付け部品が第１位置まで回転すると、前記留め付け部品が、前記第１の可撓性要素の対及び前記第２の可撓性要素の対の少なくとも一方の間に存在し、第２位置まで回転すると、前記留め付け部品が、前記一次面構成のオリフィス内に嵌合する前記留め付け部品のポストによって、前記一次面構成に対して所定の位置に係止されるように留め付け部品が構成されている、Ｅ１０９に記載のワークプラットフォームシステム。
Ｅ１１１．  第３の可撓性要素の対であって、前記第３の可撓性要素の対の各々の前記可撓性要素のそれぞれの第１端部が、第１支持部に少なくとも間接的に接続され、前記第３の可撓性要素の対の各々の前記可撓性要素のそれぞれの第２端部が、第２支持部に少なくとも間接的に接続されている、前記第３の可撓性要素の対と、
前記第２の可撓性要素の対及び前記第３の可撓性要素の対上に支持された、追加の複数のパネル構造物であって、前記追加の複数のパネル構造物のパネル構造物が、前記第３の可撓性要素の対に沿って延びるパネル構造物の追加の列を形成するように、相互に連続して配置されている、前記追加の複数のパネル構造物と
を備える、Ｅ１０９に記載のワークプラットフォームシステム。
Ｅ１１２．  前記第２の可撓性要素の対の一部分上を覆うように、前記第１の複数のパネル構造物のうち少なくとも１つと、前記追加の複数のパネル構造物のうちの少なくとも１つとの間に位置する少なくとも１つのカバー部をさらに備える、Ｅ１１１に記載のワークプラットフォームシステム。
Ｅ１１３．  前記少なくとも１つのカバー部が、２つの脚部を備える鉛直側壁を有する第１端部を備え、各脚部は、前記第２の可撓性要素の対の少なくとも１つの可撓性要素を受けるように構成される凹部を有する、Ｅ１１２に記載のワークプラットフォームシステム。
Ｅ１１４．  少なくとも１つのカバー部に隣接して配置され、前記第２の可撓性要素の対の一部上を覆うように、前記第１の複数のパネル構造物のうち少なくとも１つと、前記追加の複数のパネル構造物のうち少なくとも１つとの間に配置されている、第２カバー部をさらに備える、Ｅ１１３に記載のワークプラットフォームシステム。
Ｅ１１５．  前記カバー部の第１端部が、受容開口部及び鉛直側壁を有し、前記カバー部は、Ｚ字状隆起部を有する第２端部をさらに含む、Ｅ１１４に記載のワークプラットフォームシステム。
Ｅ１１６．  前記第１のカバー部の前記Ｚ字状隆起部が、前記第２のカバー部の前記受容開口に少なくとも間接的に係合するように構成されており、前記第２のカバー部に対する前記第１のカバー部の動きを少なくとも部分的に制限するのに役立つ、Ｅ１１５に記載のワークプラットフォームシステム。
Ｅ１１７．  前記第１の複数のパネル構造物のパネルの各々が、ストラット上に取り付けけられた上パネル面を含み、第１の対向する筒状ストラットの対は、前記第１の対向する縁部の対に対応し、第２の対向する筒状ストラットの対は、前記第２の対向する縁部の対に対応する、Ｅ１１６に記載のワークプラットフォームシステム。
Ｅ１１８．  前記第１の対向する縁部の対の第１縁部において、前記第１の複数のパネル構造物の第１のパネル構造物に少なくとも間接的に固定されたトーボードフレームをさらに備える、Ｅ１１７に記載のワークプラットフォームシステム。
Ｅ１１９．  前記トーボードフレームが、２つの水平延長部を有する筒状フレームを含み、前記水平延長部を対応する筒状ストラットに挿入することによって前記トーボードフレームが前記第１のパネル構造物に固定されるように、水平延長部の各々が、前記第１のパネル構造物の前記第１の対向する筒状ストラットの対の一つに対応する、Ｅ１１８に記載のワークプラットフォームシステム。
Ｅ１２０．  前板、第１側板、及び第２側板を含む少なくとも１つのレールポストマウントをさらに備え、前記第１側板及び前記第２側板が、チャネルを形成するために、前記前板によって、一定の距離だけ離れている、Ｅ１１９に記載のワークプラットフォームシステム。
Ｅ１２１．  ワークプラットフォームシステムを実装する方法であって、前記方法は、
第１の可撓性要素の対及び第２の可撓性要素の対を、第１支持部及び第２支持部にそれぞれ少なくとも間接的に取り付けることと、
前記第１の可撓性要素の対及び前記第２の可撓性要素の対上に第１の複数のパネル構造物を設置することと、
前記第１の可撓性要素の対及び前記第２の可撓性要素の対上に、第１の複数のパネル構造物の第２のパネル構造物を設置することであって、前記第２のパネル構造物を設置することは、前記第１のパネル構造物の前記第２の対向する縁部の対の１つから外方に延びる少なくとも１つの支持部品に、前記第２のパネル構造物の前記第２の対向する縁部の対のうちの１つを配置すること、及び前記第２のパネル構造物が前記第１の可撓性要素の対及び前記第２の可撓性要素の対上に支持されるまで、前記第２パネル構造物を回転させることを含む、前記第２のパネル構造物を設置することと、
前記第１の可撓性要素の対及び前記第２の可撓性要素の対の少なくとも１つに対して支持部品を設置すべきか否かを判定することであって、設置すべきと判定した場合には、クランプ構造物を前記第１の可撓性要素の対及び前記第２の可撓性要素の対の少なくとも１つ上に設置し、前記支持部品を少なくとも１つの前記クランプ構造物に接続する、支持部品を設置すべきか否かを判定することと
を含む方法。
Ｅ１２２．  第３の可撓性要素の対を、前記第１支持部及び前記第２支持部にそれぞれ少なくとも間接的に取り付けることと、
前記第２の可撓性要素の対及び前記第３の可撓性要素の対上に追加の複数のパネル構造物の第１のパネル構造物を設置することとをさらに含み、前記追加の複数のパネル構造物の第１のパネル構造物が、前記第１の複数のパネル構造物の前記第１のパネル構造物及び第２のパネル構造物のうち、隣接した一方である、Ｅ１２１に記載の方法。
Ｅ１２３．  前記追加の複数のパネル構造物の前記第１のパネルと、前記第１の複数のパネル構造物の前記第１及び第２のパネル構造のうちの少なくとも１つとの間にカバー部を設置することをさらに含む、Ｅ１２２に記載の方法。
【手続補正２】
【補正対象書類名】特許請求の範囲
【補正対象項目名】全文
【補正方法】変更
【補正の内容】
【特許請求の範囲】
【請求項１】
ある構造物に関連して実装するためのワークプラットフォームシステムであって、前記ワークプラットフォームは、
第１の可撓性要素の対及び第２の可撓性要素の対であって、各々の前記可撓性要素のそれぞれの第１端部が、第１支持部に少なくとも間接的に接続され、各々の前記可撓性要素のそれぞれの第２端部が、第２支持部に少なくとも間接的に接続されている、第１の可撓性要素の対及び第２の可撓性要素の対と、
前記可撓性要素上に支持される第１の複数のパネル構造物であって、前記パネル構造物の各々は、
前記第１の可撓性要素の対と前記第２の可撓性要素の対との間に延びる第１の対向する縁部の対と、前記第１の対向する縁部の対の間に延びる第２の対向する縁部の対と、
前記第１の対向する縁部の対の各々から外方に延びる少なくとも２つの支持延長部を含み、前記支持延長部の各々が、それぞれ前記第１の可撓性要素の対又は前記第２の可撓性要素の対を受けるように構成された一対の凹部を含む、少なくとも２つの支持延長部と、を含む前記第１の複数のパネル構造物と、
吊り下げ部品と、
前記第１の可撓性要素の対及び前記第２の可撓性要素の対の少なくとも一方が前記吊り下げ部品によって支持されるように前記吊り下げ部品と係合するように構成され、第１の可撓性要素の対及び第２の可撓性要素の対の当該少なくとも一方に接続されたクランプ構造物とを備え、
前記クランプ構造物が、少なくとも一次面構成と、回転可能に前記一次面構成に取り付けられているが、前記一次面構成に対して所定の位置に係止されている留め付け部品とを含む、ワークプラットフォームシステム。
【請求項２】
前記留め付け部品が第１位置まで回転すると、前記留め付け部品が、前記第１の可撓性要素の対及び前記第２の可撓性要素の対の少なくとも一方の間に存在し、第２位置まで回転すると、前記留め付け部品が、前記一次面構成のオリフィス内に嵌合する前記留め付け部品のポストによって、前記一次面構成に対して所定の位置に係止されるように留め付け部品が構成されている、請求項１に記載のワークプラットフォームシステム。
【請求項３】
第３の可撓性要素の対であって、前記第３の可撓性要素の対の各々の前記可撓性要素のそれぞれの第１端部が、第１支持部に少なくとも間接的に接続され、前記第３の可撓性要素の対の各々の前記可撓性要素のそれぞれの第２端部が、第２支持部に少なくとも間接的に接続されている、前記第３の可撓性要素の対と、
前記第２の可撓性要素の対及び前記第３の可撓性要素の対上に支持された、追加の複数のパネル構造物であって、前記追加の複数のパネル構造物のパネル構造物が、前記第３の可撓性要素の対に沿って延びるパネル構造物の追加の列を形成するように、相互に連続して配置されている、前記追加の複数のパネル構造物と
を備える、請求項１に記載のワークプラットフォームシステム。
【請求項４】
前記第２の可撓性要素の対の一部分上を覆うように、前記第１の複数のパネル構造物のうち少なくとも１つと、前記追加の複数のパネル構造物のうちの少なくとも１つとの間に位置する少なくとも１つのカバー部をさらに備える、請求項３に記載のワークプラットフォームシステム。
【請求項５】
前記少なくとも１つのカバー部が、２つの脚部を備える鉛直側壁を有する第１端部を備え、各脚部は、前記第２の可撓性要素の対の少なくとも１つの可撓性要素を受けるように構成される凹部を有する、請求項４に記載のワークプラットフォームシステム。
【請求項６】
少なくとも１つのカバー部に隣接して配置され、前記第２の可撓性要素の対の一部上を覆うように、前記第１の複数のパネル構造物のうち少なくとも１つと、前記追加の複数のパネル構造物のうち少なくとも１つとの間に配置されている、第２カバー部をさらに備える、請求項５に記載のワークプラットフォームシステム。
【請求項７】
前記カバー部の第１端部が、受容開口部及び鉛直側壁を有し、前記カバー部は、Ｚ字状隆起部を有する第２端部をさらに含む、請求項６に記載のワークプラットフォームシステム。
【請求項８】
前記第１のカバー部の前記Ｚ字状隆起部が、前記第２のカバー部の前記受容開口に少なくとも間接的に係合するように構成されており、前記第２のカバー部に対する前記第１のカバー部の動きを少なくとも部分的に制限するのに役立つ、請求項７に記載のワークプラットフォームシステム。
【請求項９】
前記第１の複数のパネル構造物のパネルの各々が、ストラット上に取り付けけられた上パネル面を含み、第１の対向する筒状ストラットの対は、前記第１の対向する縁部の対に対応し、第２の対向する筒状ストラットの対は、前記第２の対向する縁部の対に対応する、請求項８に記載のワークプラットフォームシステム。
【請求項１０】
前記第１の対向する縁部の対の第１縁部において、前記第１の複数のパネル構造物の第１のパネル構造物に少なくとも間接的に固定されたトーボードフレームをさらに備える、請求項９に記載のワークプラットフォームシステム。
【請求項１１】
前記トーボードフレームが、２つの水平延長部を有する筒状フレームを含み、前記水平延長部を対応する筒状ストラットに挿入することによって前記トーボードフレームが前記第１のパネル構造物に固定されるように、水平延長部の各々が、前記第１のパネル構造物の前記第１の対向する筒状ストラットの対の一つに対応する、請求項１０に記載のワークプラットフォームシステム。
【請求項１２】
前板、第１側板、及び第２側板を含む少なくとも１つのレールポストマウントをさらに備え、前記第１側板及び前記第２側板が、チャネルを形成するために、前記前板によって、一定の距離だけ離れている、請求項１１に記載のワークプラットフォームシステム。
【請求項１３】
ワークプラットフォームシステムを実装する方法であって、前記方法は、
第１の可撓性要素の対及び第２の可撓性要素の対を、第１支持部及び第２支持部にそれぞれ少なくとも間接的に取り付けることと、
前記第１の可撓性要素の対及び前記第２の可撓性要素の対上に第１の複数のパネル構造物を設置することと、
前記第１の可撓性要素の対及び前記第２の可撓性要素の対上に、第１の複数のパネル構造物の第２のパネル構造物を設置することであって、前記第２のパネル構造物を設置することは、前記第１のパネル構造物の前記第２の対向する縁部の対の１つから外方に延びる少なくとも１つの支持部品に、前記第２のパネル構造物の前記第２の対向する縁部の対のうちの１つを配置すること、及び前記第２のパネル構造物が前記第１の可撓性要素の対及び前記第２の可撓性要素の対上に支持されるまで、前記第２パネル構造物を回転させることを含む、前記第２のパネル構造物を設置することと、
前記第１の可撓性要素の対及び前記第２の可撓性要素の対の少なくとも１つに対して支持部品を設置すべきか否かを判定することであって、設置すべきと判定した場合には、クランプ構造物を前記第１の可撓性要素の対及び前記第２の可撓性要素の対の少なくとも１つ上に設置し、前記支持部品を少なくとも１つの前記クランプ構造物に接続する、支持部品を設置すべきか否かを判定することと
を含む方法。
【請求項１４】
第３の可撓性要素の対を、前記第１支持部及び前記第２支持部にそれぞれ少なくとも間接的に取り付けることと、
前記第２の可撓性要素の対及び前記第３の可撓性要素の対上に追加の複数のパネル構造物の第１のパネル構造物を設置することとをさらに含み、前記追加の複数のパネル構造物の第１のパネル構造物が、前記第１の複数のパネル構造物の前記第１のパネル構造物及び第２のパネル構造物のうち、隣接した一方である、請求項１３に記載の方法。
【請求項１５】
前記追加の複数のパネル構造物の前記第１のパネルと、前記第１の複数のパネル構造物の前記第１及び第２のパネル構造のうちの少なくとも１つとの間にカバー部を設置することをさらに含む、請求項１４に記載の方法。
【外国語明細書】
2019007341000001.pdf